(57)【要約】チャンルおよび干渉測定に使用する非ゼロパワー（ＮＺＰ）チャネル状態情報基準信号（ＣＳＩ−ＲＳ）リソースを決定するためのシステムおよび方法がここに開示されている。いくつかの実施形態では、無線デバイスによって実行される方法は、ネットワークノードから、チャネル測定のためのＮＺＰ ＣＳＩ−ＲＳリソースの１つまたは複数の第１のセットの半静的指標と、干渉測定のためのＮＺＰ ＣＳＩ−ＲＳリソースの１つまたは複数の第２のセットの半静的指標を受信することを含む。方法は、チャネル測定のために無線デバイスによって使用されるＮＺＰ ＣＳＩ−ＲＳリソースの１つまたは複数の第１のセットからのＮＺＰ ＣＳＩ−ＲＳリソースの第１のセットと、干渉測定のために無線デバイスによって使用されるＮＺＰ ＣＳＩ−ＲＳリソースの１つまたは複数の第２のセットからのＮＺＰ ＣＳＩ−ＲＳリソースの第２のセットとを示す１つまたは複数の動的指標をネットワークノードから受信することをさらに備える【選択図】図２４
2020536446.tif 000002
【特許請求の範囲】
【請求項１】
無線通信システム（７００）において測定を実行するために無線デバイス（７０２）によって実行される方法であって、
前記無線通信システム（７００）のネットワークノード（７０４）から、チャネル測定のための非ゼロパワー（ＮＺＰ）チャネル状態情報基準信号（ＣＳＩ−ＲＳ）リソースの１つまたは複数の第１のセットの半静的指標を受信すること（２４００）と、
前記ネットワークノード（７０４）から、干渉測定のためのＮＺＰ ＣＳＩ−ＲＳリソースの１つまたは複数の第２のセットの半静的指標を受信すること（２４０２）と、
前記ネットワークノード（７０４）から、チャネル測定のために前記無線デバイス（７０２）によって使用されるＮＺＰ ＣＳＩ−ＲＳリソースの前記１つまたは複数の第１のセットからのＮＺＰ ＣＳＩ−ＲＳリソースの第１のセットと、干渉測定のために前記無線デバイス（７０２）によって使用されるＮＺＰ ＣＳＩ−ＲＳリソースの前記１つまたは複数の第２のセットからのＮＺＰ ＣＳＩ−ＲＳリソースの第２のセットとを示す１つまたは複数の動的指標を受信すること（２４０４、２４０６）を含む、方法。
【請求項２】
請求項１に記載の方法であって、さらに、
前記１つまたは複数の動的指標によって示されるＮＺＰ ＣＳＩ−ＲＳリソースの前記第１のセットにおいてチャネル測定を実行すること（２４０８）と、
前記１つまたは複数の動的指示によって示されるＮＺＰ ＣＳＩ−ＲＳリソースの前記第２のセットにおいて干渉測定を実行すること（２４１０）を含む、方法。
【請求項３】
請求項１または２に記載の方法であって、前記１つまたは複数の動的指標は、チャネル測定のために前記無線デバイス（７０２）によって使用されるＮＺＰ ＣＳＩ−ＲＳリソースの前記１つまたは複数の第１のセットからのＮＺＰ ＣＳＩ−ＲＳリソースの前記第１のセットと、干渉測定のために前記無線デバイス（７０２）によって使用されるＮＺＰ ＣＳＩ−ＲＳリソースの前記１つまたは複数の第２のセットからのＮＺＰ ＣＳＩ−ＲＳリソースの前記第２のセットの両方を示す、単一の動的指標を含む、方法。
【請求項４】
請求項１から３のいずれか１項に記載の方法であって、前記チャネル測定および前記干渉測定の結果を前記ネットワークノード（７０４）に報告すること（２４１２）をさらに含む、方法。
【請求項５】
請求項１から４のいずれか１項に記載の方法であって、チャネル測定のためのＮＺＰ ＣＳＩ−ＲＳリソースの前記１つまたは複数の第１のセットにおける各ＮＺＰ ＣＳＩ−ＲＳリソースセットは、単一のＮＺＰ ＣＳＩ−ＲＳリソースから構成される、方法。
【請求項６】
請求項１から５のいずれか１項に記載の方法であって、チャネル測定のためのＮＺＰ ＣＳＩ−ＲＳリソースの前記１つまたは複数の第１のセットにおける各ＮＺＰ ＣＳＩ−ＲＳリソースは、チャネル測定のために使用される１つまたは複数のポートから構成される、方法。
【請求項７】
請求項１から５のいずれか１項に記載の方法であって、チャネル測定のためのＮＺＰ ＣＳＩ−ＲＳリソースの前記１つまたは複数の第１のセットにおける各ＮＺＰ ＣＳＩ−ＲＳリソースは、チャネル測定のために使用される１つ、２つ、または４つのポートから構成される、方法。
【請求項８】
請求項１から４のいずれか１項に記載の方法であって、干渉測定のためのＮＺＰ ＣＳＩ−ＲＳリソースの前記１つまたは複数の第２のセットにおける各ＮＺＰ ＣＳＩ−ＲＳリソースは、数ＫのＮＺＰ ＣＳＩ−ＲＳリソースで構成され、Ｋは１以上である、方法。
【請求項９】
無線通信システム（７００）において測定を実行するための無線デバイス（７０２）であって、
前記無線通信システム（７００）のネットワークノード（７０４）から、チャネル測定のための非ゼロパワー（ＮＺＰ）チャネル状態情報基準信号（ＣＳＩ−ＲＳ）リソースの１つまたは複数の第１のセットの半静的指標を受信し、
前記ネットワークノード（７０４）から、干渉測定のためのＮＺＰ ＣＳＩ−ＲＳリソースの１つまたは複数の第２のセットの半静的指標を受信し、
前記ネットワークノード（７０４）から、チャネル測定のために前記無線デバイス（７０２）によって使用されるＮＺＰ ＣＳＩ−ＲＳリソースの１つまたは複数の第１のセットからのＮＺＰ ＣＳＩ−ＲＳリソースの第１のセットと、干渉測定のために前記無線デバイス（７０２）によって使用されるＮＺＰ ＣＳＩ−ＲＳリソースの１つまたは複数の第２のセットからのＮＺＰ ＣＳＩ−ＲＳリソースの第２のセットとを示す１つまたは複数の動的指標を受信する、ように構成される、無線デバイス。
【請求項１０】
請求項９に記載の無線デバイス（７０２）であって、さらに、
前記１つまたは複数の動的指標によって示されるＮＺＰ ＣＳＩ−ＲＳリソースの前記第１のセットにおいてチャネル測定を実行し、
前記１つまたは複数の動的指示によって示されるＮＺＰ ＣＳＩ−ＲＳリソースの前記第２のセットにおいて干渉測定を実行する、ように構成される、無線デバイス。
【請求項１１】
請求項９または１０に記載の無線デバイス（７０２）であって、前記１つまたは複数の動的指標は、チャネル測定のために前記無線デバイス（７０２）によって使用されるＮＺＰ ＣＳＩ−ＲＳリソースの前記１つまたは複数の第１のセットからのＮＺＰ ＣＳＩ−ＲＳリソースの前記第１のセットと、干渉測定のために前記無線デバイス（７０２）によって使用されるＮＺＰ ＣＳＩ−ＲＳリソースの前記１つまたは複数の第２のセットからのＮＺＰ ＣＳＩ−ＲＳリソースの前記第２のセットの両方を示す、単一の動的指標を含む、無線デバイス。
【請求項１２】
請求項９から１１のいずれか１項に記載の無線デバイス（７０２）であって、前記チャネル測定および前記干渉測定に基づくチャネル状態情報（ＣＳＩ）結果を前記ネットワークノード（７０４）に報告するようにさらに構成される、無線デバイス。 
【請求項１３】
無線通信システムにおいて測定を実行するための無線デバイス（７０２、２５１０）であって、前記無線デバイス（７０２、２５１０）は、インターフェース（２５１４）および処理回路（２５２０）を有し、それによって無線デバイス（７０２、２５１０）は、
前記無線通信システム（７００）のネットワークノード（７０４）から、チャネル測定のための非ゼロパワー（ＮＺＰ）チャネル状態情報基準信号（ＣＳＩ−ＲＳ）リソースの１つまたは複数の第１のセットの半静的指標を受信し、
前記ネットワークノード（７０４）から、干渉測定のためのＮＺＰ ＣＳＩ−ＲＳリソースの１つまたは複数の第２のセットの半静的指標を受信し、
前記ネットワークノード（７０４）から、チャネル測定のために前記無線デバイス（７０２）によって使用されるＮＺＰ ＣＳＩ−ＲＳリソースの前記１つまたは複数の第１のセットからのＮＺＰ ＣＳＩ−ＲＳリソースの第１のセットと、干渉測定のために前記無線デバイス（７０２、２５１０）によって使用されるＮＺＰ ＣＳＩ−ＲＳリソースの前記１つまたは複数の第２のセットからのＮＺＰ ＣＳＩ−ＲＳリソースの第２のセットとを示す１つまたは複数の動的指標を受信する、ように動作可能である、無線デバイス。
【請求項１４】
請求項１３に記載の無線デバイス（７０２、２５１０）であって、前記インターフェース（２５１４）および前記処理回路（２５２０）を介して、前記無線デバイス（７０２、２５１０）は、さらに、
前記１つまたは複数の動的指標によって示されるＮＺＰ ＣＳＩ−ＲＳリソースの前記第１のセットにおいてチャネル測定を実行し、
前記１つまたは複数の動的指示によって示されるＮＺＰ ＣＳＩ−ＲＳリソースの前記第２のセットにおいて干渉測定を実行する、ように動作可能である、無線デバイス。
【請求項１５】
請求項１３または１４に記載の無線デバイス（７０２、２５１０）であって、前記１つまたは複数の動的指標は、チャネル測定のために前記無線デバイス（７０２）によって使用されるＮＺＰ ＣＳＩ−ＲＳリソースの前記１つまたは複数の第１のセットからのＮＺＰ ＣＳＩ−ＲＳリソースの前記第１のセットと、干渉測定のために前記無線デバイス（７０２）によって使用されるＮＺＰ ＣＳＩ−ＲＳリソースの前記１つまたは複数の第２のセットからのＮＺＰ ＣＳＩ−ＲＳリソースの前記第２のセットの両方を示す、単一の動的指標を含む、無線デバイス。
【請求項１６】
請求項１３から１５のいずれか１項に記載の無線デバイス（７０２、２５１０）であって、前記インターフェース（２５１４）および前記処理回路（２５２０）を介して、前記無線デバイス（７０２、２５１０）は、さらに、前記チャネル測定および干渉測定の結果を前記ネットワークノード（７０４）に報告する、ように動作可能である、無線デバイス。
【請求項１７】
無線通信システムにおいて測定を実行するための無線デバイス（７０２）であって、
前記無線通信システム（７００）のネットワークノード（７０４）から、チャネル測定のための非ゼロ（ＮＺＰ）チャネル状態情報基準信号（ＣＳＩ−ＲＳ）リソースの１つまたは複数の第１のセットの半静的指標を受信し、
前記ネットワークノード（７０４）から、干渉測定のためのＮＺＰ ＣＳＩ−ＲＳリソースの１つまたは複数の第２のセットの半静的指標を受信し、
前記ネットワークノード（７０４）から、チャネル測定のために前記無線デバイス（７０２）によって使用されるＮＺＰ ＣＳＩ−ＲＳリソースの前記１つまたは複数の第１のセットからのＮＺＰ ＣＳＩ−ＲＳリソースの第１のセットと、干渉測定のために前記無線デバイス（７０２）によって使用されるＮＺＰ ＣＳＩ−ＲＳリソースの前記１つまたは複数の第２のセットからのＮＺＰ ＣＳＩ−ＲＳリソースの第２のセットとを示す１つまたは複数の動的指標を受信する、
ように動作可能である受信部（３４０２）を有する、無線デバイス。
【請求項１８】
請求項１７に記載の無線デバイス（７０２）であって、さらに、
前記１つまたは複数の動的指標によって示されるＮＺＰ ＣＳＩ−ＲＳリソースの前記第１のセットにおいてチャネル測定を実行し、
前記１つまたは複数の動的指示によって示されるＮＺＰ ＣＳＩ−ＲＳリソースの前記第２のセットにおいて干渉測定を実行する、
ように動作可能である処理部（３４０２）を有する、無線デバイス。
【請求項１９】
少なくとも１つのプロセッサ上で実行されるときに、前記少なくとも１つのプロセッサに、請求項１から８のいずれか１項に記載の方法を実行させる命令を含むコンピュータプログラム。
【請求項２０】
請求項１９の前記コンピュータプログラムを含むキャリアであって、前記キャリアは、電子信号、光信号、無線信号、またはコンピュータ可読媒体のうちの１つである、キャリア。
【請求項２１】
無線通信システム（７００）において測定を実行するように無線デバイス（７０２）を構成するためにネットワークノード（７０４）によって実行される方法であって、
無線デバイス（７０２）へ、チャネル測定のための非ゼロパワー（ＮＺＰ）チャネル状態情報基準信号（ＣＳＩ−ＲＳ）リソースの１つまたは複数の第１のセットの半静的指標を送信すること（２４００）と、
前記無線デバイス（７０２）へ、干渉測定のためのＮＺＰ ＣＳＩ−ＲＳリソースの１つまたは複数の第２のセットの半静的指標を送信すること（２４０２）と、
前記無線デバイス（７０２）へ、チャネル測定のために前記無線デバイス（７０２）によって使用されるＮＺＰ ＣＳＩ−ＲＳリソース前記の１つまたは複数の第１のセットからのＮＺＰ ＣＳＩ−ＲＳリソースの第１のセットと、干渉測定のために前記無線デバイス（７０２）によって使用されるＮＺＰ ＣＳＩ−ＲＳリソースの前記１つまたは複数の第２のセットからのＮＺＰ ＣＳＩ−ＲＳリソースの第２のセットとを示す１つまたは複数の動的指標を送信すること（２４０４、２４０６）を含む、方法。
【請求項２２】
請求項２１に記載の方法であって、さらに、前記無線デバイス（７０２）から、ＮＺＰ ＣＳＩ−ＲＳリソースの前記第１のセットにおけるチャネル測定の結果と、ＮＺＰ ＣＳＩ−ＲＳリソースの前記第２のセットにおける干渉測定の結果とを受信すること（２４１２）を含む、方法。
【請求項２３】
請求項２１または２２に記載の方法であって、前記１つまたは複数の動的指標は、チャネル測定のために前記無線デバイス（７０２）によって使用されるＮＺＰ ＣＳＩ−ＲＳリソースの前記１つまたは複数の第１のセットからのＮＺＰ ＣＳＩ−ＲＳリソースの前記第１のセットと、干渉測定のために前記無線デバイス（７０２）によって使用されるＮＺＰ ＣＳＩ−ＲＳリソースの前記１つまたは複数の第２のセットからのＮＺＰ ＣＳＩ−ＲＳリソースの前記第２のセットの両方を示す、単一の動的指標を含む、方法。
【請求項２４】
無線通信システム（７００）において測定を実行するように無線デバイス（７０２）を構成するためのネットワークノード（７０４）であって、
無線デバイス（７０２）へ、チャネル測定のための非ゼロパワー（ＮＺＰ）チャネル状態情報基準信号（ＣＳＩ−ＲＳ）リソースの１つまたは複数の第１のセットの半静的指標を送信し、
前記無線デバイス（７０２）へ、干渉測定のためのＮＺＰ ＣＳＩ−ＲＳリソースの１つまたは複数の第２のセットの半静的指標を送信し、
前記無線デバイス（７０２）へ、チャネル測定のために前記無線デバイス（７０２）によって使用されるＮＺＰ ＣＳＩ−ＲＳリソースの前記１つまたは複数の第１のセットからのＮＺＰ ＣＳＩ−ＲＳリソースの第１のセットと、干渉測定のために前記無線デバイス（７０２）によって使用されるＮＺＰ ＣＳＩ−ＲＳリソースの前記１つまたは複数の第２のセットからのＮＺＰ ＣＳＩ−ＲＳリソースの第２のセットとを示す１つまたは複数の動的指標を送信する、ように構成される、ネットワークノード。
【請求項２５】
請求項２４に記載のネットワークノード（７０４）であって、さらに、前記無線デバイス（７０２）から、ＮＺＰ ＣＳＩ−ＲＳリソースの前記第１のセットにおけるチャネル測定の結果と、ＮＺＰ ＣＳＩ−ＲＳリソースの前記第２のセットにおける干渉測定の結果とを受信する、ように構成される、ネットワークノード。
【請求項２６】
請求項２４または２５に記載のネットワークノード（７０４）であって、前記１つまたは複数の動的指標は、チャネル測定のために前記無線デバイス（７０２）によって使用されるＮＺＰ ＣＳＩ−ＲＳリソースの前記１つまたは複数の第１のセットからのＮＺＰ ＣＳＩ−ＲＳリソースの前記第１のセットと、干渉測定のために前記無線デバイス（７０２）によって使用されるＮＺＰ ＣＳＩ−ＲＳリソースの前記１つまたは複数の第２のセットからのＮＺＰ ＣＳＩ−ＲＳリソースの前記第２のセットの両方を示す、単一の動的指標を含む、ネットワークノード。
【請求項２７】
無線通信システムにおいて測定を実行するように無線デバイス（７０２）を構成するネットワークノード（７０４、２５６０）であって、前記ネットワークノード（７０４、２５６０）は、インターフェース（２５９０）および処理回路（２５７０）を有し、それによってネットワークノード（７０４、２５６０）は、
無線デバイス（７０２）へ、チャネル測定のための非ゼロパワー（ＮＺＰ）チャネル状態情報基準信号（ＣＳＩ−ＲＳ）リソースの１つまたは複数の第１のセットの半静的指標を送信し、
前記無線デバイス（７０２）へ、干渉測定のためのＮＺＰ ＣＳＩ−ＲＳリソースの１つまたは複数の第２のセットの半静的指標を送信し、
前記無線デバイス（７０２）へ、チャネル測定のために前記無線デバイス（７０２）によって使用されるＮＺＰ ＣＳＩ−ＲＳリソースの前記１つまたは複数の第１のセットからのＮＺＰ ＣＳＩ−ＲＳリソースの第１のセットと、干渉測定のために前記無線デバイス（７０２）によって使用されるＮＺＰ ＣＳＩ−ＲＳリソースの前記１つまたは複数の第２のセットからのＮＺＰ ＣＳＩ−ＲＳリソースの第２のセットとを示す１つまたは複数の動的指標を送信する、ように動作可能である、ネットワークノード。
【請求項２８】
請求項２７に記載のネットワークノード（７０４）であって、前記インターフェース（２５９０）および前記処理回路（２５７０）を介して、前記ネットワークノード（７０４、２５６０）は、さらに、前記無線デバイス（７０２）から、ＮＺＰ ＣＳＩ−ＲＳリソースの前記第１のセットにおけるチャネル測定の結果と、ＮＺＰ ＣＳＩ−ＲＳリソースの前記第２のセットにおける干渉測定の結果とを受信する、ように動作可能である、ネットワークノード。
【請求項２９】
請求項２７または２８に記載のネットワークノード（７０４）であって、前記１つまたは複数の動的指標は、チャネル測定のために前記無線デバイス（７０２）によって使用されるＮＺＰ ＣＳＩ−ＲＳリソースの前記１つまたは複数の第１のセットからのＮＺＰ ＣＳＩ−ＲＳリソースの前記第１のセットと、干渉測定のために前記無線デバイス（７０２）によって使用されるＮＺＰ ＣＳＩ−ＲＳリソースの前記１つまたは複数の第２のセットからのＮＺＰ ＣＳＩ−ＲＳリソースの前記第２のセットの両方を示す、単一の動的指標を含む、ネットワークノード。
【請求項３０】
無線通信システム（７００）において測定を実行するように無線デバイス（７０２）を構成するためのネットワークノード（７０４）であって、
無線デバイス（７０２）へ、チャネル測定のための非ゼロパワー（ＮＺＰ）チャネル状態情報基準信号（ＣＳＩ−ＲＳ）リソースの１つまたは複数の第１のセットの半静的指標を送信し、
前記無線デバイス（７０２）へ、干渉測定のためのＮＺＰ ＣＳＩ−ＲＳリソースの１つまたは複数の第２のセットの半静的指標を送信し、
前記無線デバイス（７０２）へ、チャネル測定のために前記無線デバイス（７０２）によって使用されるＮＺＰ ＣＳＩ−ＲＳリソースの前記１つまたは複数の第１のセットからのＮＺＰ ＣＳＩ−ＲＳリソースの第１のセットと、干渉測定のために前記無線デバイス（７０２）によって使用されるＮＺＰ ＣＳＩ−ＲＳリソースの前記１つまたは複数の第２のセットからのＮＺＰ ＣＳＩ−ＲＳリソースの第２のセットとを示す１つまたは複数の動的指標を送信する、
ように動作可能である送信部（３４０２）を有する、ネットワークノード。
【請求項３１】
請求項３０に記載のネットワークノード（７０４）であって、さらに、前記無線デバイス（７０２）から、ＮＺＰ ＣＳＩ−ＲＳリソースの前記第１のセットにおけるチャネル測定の結果と、ＮＺＰ ＣＳＩ−ＲＳリソースの前記第２のセットにおける干渉測定の結果とを受信する、ように動作可能である受信部（３４０２）を有する、ネットワークノード。
【請求項３２】
少なくとも１つのプロセッサ上で実行されるときに、前記少なくとも１つのプロセッサに、請求項２１か２３のいずれか１項に記載の方法を実行させる命令を含むコンピュータプログラム。
【請求項３３】
請求項３２の前記コンピュータプログラムを含むキャリアであって、前記キャリアは、電子信号、光信号、無線信号、またはコンピュータ可読媒体のうちの１つである、キャリア。
【発明の詳細な説明】
【技術分野】
【０００１】
関連する出願
本出願は、2017年10月2日に出願された仮特許出願第62/567,015号の利益を主張し、その開示は、その全体が基準により本明細書に組み込まれる。
【０００２】
本開示は、セルラ通信ネットワークにおけるチャネル状態情報基準信号（ＣＳＩ−ＲＳ（Channel State Information Reference Signal））測定に関係し、より具体的には、チャネル測定およびマルチユーザ（ＭＵ（Multiple User））干渉測定のために使用される非ゼロパワー（電力）（ＮＺＰ（Non-zero power））ＣＳＩ−ＲＳリソースのシグナリングに関係する。
【背景技術】
【０００３】
次世代移動無線通信システム（第５世代（５Ｇ））またはＮｅｗ  Ｒａｄｉｏ（ＮＲ）は、多様なユースケースの設定および多様な配備シナリオの設定をサポートする。後者は、今日のロングタームエボリューション（ＬＴＥ）に類似した低周波数、すなわち数百メガヘルツ（ＭＨｚ）、および数十ギガヘルツ（ＧＨｚ）の超高周波数、すなわちミリメートル（ｍｍ）波の両方での展開を含む。
【０００４】
ＬＴＥと同様に、ＮＲは、ネットワークノード、ＮＲ基地局（次世代ノードＢ(ｇＮＢ)と呼ばれる）、進化型または拡張型ノードＢ（ｅＮＢ）、または他の基地局からユーザ装置（ＵＥ）へのダウンリンクにおいて、直交周波数分割多重（ＯＦＤＭ）を使用する。ＵＥからネットワークへのアップリンクでは、ＬＴＥでシングルキャリア周波数分割多重アクセス（ＳＣ−ＦＤＭＡ）としても知られるＯＦＤＭおよび離散フーリエ変換（ＤＦＴ）拡散ＯＦＤＭ（ＤＦＴ−Ｓ−ＯＦＤＭ）の両方がサポートされる。
【０００５】
したがって、基本的なＮＲ物理リソースは、図１に示されるような時間−周波数グリッドとして理解することができ、１４シンボルスロットを有するリソースブロック（ＲＢ）が示される。リソースブロックは、時間領域では１スロットに対応し、周波数領域では１２個の連続したサブキャリアに対応する。リソースブロックは、システム帯域幅の一方の端から０から始まり、周波数領域で番号が付けられる。各リソースエレメントは、１つのＯＦＤＭシンボル間隔の間の１つのＯＦＤＭサブキャリアに対応する。
【０００６】
ＮＲでは、異なるサブキャリア間隔値がサポートされる。サポートされるサブキャリア間隔値（異なるヌメロロジーとも呼ばれる）は、Δｆ＝（１５×２α）ｋＨｚで与えられ、ここで、αは非負の整数である。Δｆ＝１５ｋＨｚは、ＬＴＥでも使用される基本的なサブキャリア間隔である。
【０００７】
時間領域では、ＮＲにおけるダウンリンク送信およびアップリンク送信は、それぞれがＬＴＥに類似する１ｍｓの等しいサイズのサブフレームに編成される。サブフレームはさらに、等しい継続時間の複数のスロットに分割される。異なるサブキャリア間隔におけるスロット長を表１に示す。Δｆ＝１５ｋＨｚにおいて、サブフレーム当たり１つのスロットしかなく、１つのスロットは１４個のＯＦＤＭシンボルからなる。
2020536446.tif 000003
【０００８】
ＮＲにおけるデータスケジューリングは、ＬＴＥにおけるようにスロットベースであり得ることが理解される。一例は１４シンボルのスロットを有する図２に示され、最初の２つのシンボルは制御チャネル（物理ダウンリンク制御チャネル（ＰＤＣＣＨ））を含み、残りはデータチャネル（物理ダウンリンク共有チャネル（ＰＤＳＣＨ））を含む。便宜上、以下の説明では、１つのスロットをサブフレームと呼ぶ。
【０００９】
ダウンリンク送信は、動的にスケジュールされる。すなわち、各サブフレームにおいて、ｇＮＢは、どのＵＥデータがどのＵＥデータに送信されるべきか、および、現在のダウンリンクサブフレーム内のどのリソースブロックにデータが送信されるかについて、ダウンリンク制御情報（ＤＣＩ）を送信する。この制御シグナリング（信号）は、典型的にはＮＲ内の各サブフレーム内の最初の１つまたは２つのＯＦＤＭシンボルで送信される。制御情報はＰＤＣＣＨ上で搬送され、データはＰＤＳＣＨ上で搬送される。ＵＥはまず、ＰＤＣＣＨを検出し、復号する。ＰＤＣＣＨが正常に復号された場合、ＵＥは、ＰＤＣＣＨ内の復号された制御情報に基づいて、対応するＰＤＳＣＨを復号する。
【００１０】
アップリンクデータ送信も、ＰＤＣＣＨを使用して動的にスケジュールされる。ダウンリンクと同様に、ＵＥはまず、ＰＤＣＣＨにおいてアップリンク許可（グラント）を復号し、次いで、変調オーダー（次数）、符号化レート、アップリンクリソース割り当てなどのアップリンク許可における復号された制御情報に基づいて、物理アップリンク共有チャネル（ＰＵＳＣＨ）を介してデータを送信する。
【００１１】
［空間多重］
マルチアンテナ技術は、無線通信システムのデータレートおよび信頼性を著しく高めることができる。送信機と受信機の両方が複数のアンテナを備えている場合、性能は特に改善され、その結果、多入力多出力（ＭＩＭＯ）通信チャネルが生じる。そのようなシステムおよび／または関連技術は、一般にＭＩＭＯと呼ばれる。
【００１２】
ＬＴＥおよびＮＲにおけるコアコンポーネントは、ＭＩＭＯアンテナ展開およびＭＩＭＯ関連技術のサポートである。空間多重化は、好ましいチャネル条件で高いデータレート（速度）を達成するために使用されるＭＩＭＯ技術の一つである。空間多重化動作の図を図３に示す。
【００１３】
図に示すように、シンボルベクトルｓ ＝ ［ｓ１，ｓ２，．．．，ｓＴ］Ｔを搬送する情報は、ＮＴ×ｒプリコーダ行列によって乗算され、これは（ＮＴアンテナポートに対応する）ＮＴの次元ベクトル空間の部分空間に送信エネルギーを分配する役割を果たす。プリコーダ行列は、典型的には可能なプリコーダ行列のコードブックから選択され、典型的には、所与の個数のシンボルストリームについてコードブック内の一意のプリコーダ行列を指定するプリコーダ行列インジケータ（ＰＭＩ（Precoder Matrix Indicator））の手段によって示される。ｓ内のｒ個のシンボルはそれぞれ、レイヤに対応し、ｒは、送信ランクと呼ばれる。このようにして、同じ時間／周波数リソースエレメント（ＲＥ）上で複数のシンボルを同時に送信することができるので、空間多重化が達成される。シンボルの数ｒは、典型的には現在のチャネル特性に適するように適合される。
【００１４】
あるＲＥ ｎでＮＲ本の受信アンテナを持つＵＥでの受信信号は、
2020536446.tif 000004
により与えられる。ここで、ｙｎはＮＲ×１受信信号ベクトルであり、ＨｎはＲＥにおけるＮＲ×ＮＴチャネル行列であり、ｅｎはＵＥによってＲＥで受信された雑音と干渉ベクトルであるかによって与えられる。プリコーダＷは広帯域プリコーダであってもよく、これは、周波数にわたって一定であるか、または周波数選択性、すなわち、周波数にわたって異なる。
【００１５】
プリコーダ行列はしばしば、ＮＲ×ＮＴ ＭＩＭＯチャネル行列Ｈｎの特性に一致するように選択され、その結果、いわゆるチャネル依存性プリコーディングが生じる。これはまた、一般に、閉ループプリコーディングとも呼ばれ、本質的に、送信エネルギーの大部分をＵＥに伝達するという意味で強いサブスペースに集束することを目指している。さらに、プリコーダ行列はまた、チャネルを直交化するように努めるように選択されてもよく、これは、ＵＥにおける適切な線形等化の後に、レイヤ間干渉が低減されることを意味する。
【００１６】
送信ランク、したがって空間的に多重化されたレイヤの数は、プリコーダの列数に反映される。送信ランクは、ＵＥで観測される信号対干渉雑音比（ＳＩＮＲ）にも依存する。典型的には、より高いランクを有する送信にはより高いＳＩＮＲが必要とされる。効率的な性能のためには、干渉と同様にチャネル特性にマッチする送信ランクが選択されることが重要である。プリコーディング行列、送信ランク、およびチャネル品質は、通常、ＵＥによって測定され、ネットワークノードまたはｇＮＢにフィードバックされる、チャネル状態情報（ＣＳＩ）の一部である。
【００１７】
［ＣＳＩフィードバック］
ＣＳＩフィードバックの場合、ＬＴＥと同様に、ＮＲは、ＵＥが送信ランクインジケータ（ＲＩ）、ＰＭＩ、および１つまたは２つのチャネル品質インジケータ（ＣＱＩ）に関してダウンリンクＣＳＩをフィードバックする、暗黙のＣＳＩ機構を採用した。ＣＱＩ／ＲＩ／ＰＭＩ報告は、設定（構成）に基づいて、広帯域またはサブバンドのいずれかとすることができる。
【００１８】
ＲＩは、空間的に多重化され、従って有効チャネルを介して並列に送信されるべき推奨されるレイヤ数に対応する。ＰＭＩは、推奨されるプリコーダを識別する。ＣＱＩは、各トランスポートブロックに対する推奨される変調レベル（すなわち、直交位相シフトキーイング（ＱＰＳＫ）、１６直交振幅変調（ＱＡＭ）など）および符号化率を表す。ＮＲは、１つのスロット内のＵＥへの１つまたは２つのトランスポートブロックの送信をサポートする。したがって、１つまたは複数のトランスポートブロックが送信される空間レイヤのＣＱＩとＳＩＮＲとの間には関係がある。
【００１９】
［チャネル状態情報基準信号（ＣＳＩ−ＲＳ）］
ＬＴＥと同様に、ダウンリンクにおけるチャネル推定のためにＣＳＩ−ＲＳがＮＲに導入された。ＣＳＩ−ＲＳは、各送信アンテナ（またはアンテナポート）において送信され、各アンテナポートに関連するダウンリンクチャネルを測定するためにＵＥによって使用される。最大３２個のＣＳＩ−ＲＳが定義される。アンテナポートは、ＣＳＩ−ＲＳポートとも呼ばれる。ＮＲでサポートされるアンテナポートの数は｛１,２,４,８,１２,１６,２４,３２｝である。受信したＣＳＩ−ＲＳを測定することにより、ＵＥは、無線伝播チャネルおよびアンテナゲインを含むＣＳＩ−ＲＳが移動しているチャネルを推定することができる。ＣＳＩ−ＲＳは、ＮＺＰ（非ゼロパワー（Non-Zero Power））ＣＳＩ−ＲＳとも呼ばれる。
【００２０】
ＣＳＩ−ＲＳは、あるＲＥおよびサブフレームにおいて送信される。図４には、１２アンテナポートを用いたＣＳＩ−ＲＳに使用されるＲＥの例を示している。ここではポートあたりＲＢあたり１ＲＥが示されている。２つのＯＦＤＭシンボルで１２ポートのＣＳＩ−ＲＳを有することも可能であることに注意する。
【００２１】
ＮＺＰ ＣＳＩ−ＲＳに加え、ＮＲではゼロパワー（ＺＰ）ＣＳＩ−ＲＳを導入した。その目的は、関連するＲＥがｇＮＢにおいてミュートされていることをＵＥに示すことであった。ＺＰ ＣＳＩ−ＲＳが、隣接セル内のＮＺＰ ＣＳＩ−ＲＳと完全にオーバーラップするように割り当てられる場合、このセルによって生成される干渉がないので、隣接セルにおけるＵＥによるチャネル推定を改善するために使用することができる。
【００２２】
干渉測定リソース（ＩＭＲ（Interference Measurement Resource））は、干渉を測定するためのＵＥのためにＮＲで使用されることが合意された。ＺＰ ＣＳＩ−ＲＳは、ＩＭＲとして使用することができる。ＮＺＰ ＣＳＩ−ＲＳに基づくチャネルとＩＭＲに基づく干渉の両方を測定することにより、ＵＥはＣＳＩ、すなわちランク、プリコーディング行列、およびチャネル品質を決定するために有効チャネルと雑音＋干渉を推定できる。
【００２３】
［非プリコード対プリコードまたはビーム形成ＣＳＩ−ＲＳ］
ビームフォーミング（ビーム形成）された（またはプリコーディングされた）ＣＳＩ−ＲＳ概念は、ＣＳＩ−ＲＳがプリコーディングされ、２つ以上のアンテナポートを介して送信されるＬＴＥリリース１３に導入された。これは、各ＣＳＩ−ＲＳが１つのアンテナポートで送信される非プリコードＣＳＩ−ＲＳと対照的である。ビーム形成ＣＳＩ−ＲＳは、ＣＳＩ−ＲＳが狭いビーム又はビームで送信されて１つ以上のＵＥに到達することができように、当該１つ以上のＵＥの方向が大まかに知られている場合に使用することができる。これは、増加したビームフォーミングゲインでＣＳＩ−ＲＳカバレッジを改善でき、ＣＳＩ−ＲＳリソースとＣＳＩフィードバックオーバーヘッドも低減できる。このビームフォーミングまたはプリコードされたＣＳＩ−ＲＳは、通常、ＵＥ特定の方法で使用され、必要に応じて、または不定期に送信される。
【００２４】
［マルチユーザＭＩＭＯ（ＭＵ−ＭＩＭＯ）］
全てのデータレイヤが一つのＵＥに送信される場合、それは単一ユーザＭＩＭＯ（ＳＵ−ＭＩＭＯ）と呼ばれる。一方、データレイヤが複数のＵＥに送信される場合、それはＭＵ−ＭＩＭＯと呼ばれる。ＭＵ−ＭＩＭＯは例えば、２つのＵＥがセルの異なるエリア（領域）にあり、ｇＮＢで異なるプリコーダ（またはビームフォーミング）によって分離できる場合に可能である。２つのＵＥは、異なるプリコーダまたはビームを使用することによって、同じ時間−周波数リソース（すなわち、物理リソースブロック（ＰＲＢ（Physical Resource Block）））上でサービスを受け得る。
【００２５】
［ＭＵ−ＭＩＭＯ干渉］
ＭＵ−ＭＩＭＯシナリオでは、他のセルからの干渉（セル間干渉とも呼ばれる）に加えて、ＭＵ−ＭＩＭＯに参加するＵＥ間の干渉も、ＵＥによって経験される（セル内干渉または多重ユーザ（ＭＵ）干渉とも呼ばれる）。ＭＵ干渉は、ＭＵ−ＭＩＭＯで対になっているＵＥの動的性質のため、測定または推定がより困難である。データ送信において同じ時間−周波数リソースを共有するＫ個のＵＥが存在すると仮定すると、ｋ番目（ｋ=１,２,...,Ｋ）のＵＥおよびｉ番目のＲＥにおける受信信号は、以下のように表すことができる：
2020536446.tif 000005
ここで、Ｈｋ（ｉ）、Ｗｋ（ｉ）、ｓｋ（ｉ）は、チャネル行列、プリコーディング行列、およびｉ番目のＲＥにおけるｋ番目のＵＥに関連するデータベクトルであり、
2020536446.tif 000006
は、ｋ番目のＵＥにおいて経験されるＭＵ干渉であり、ｅｋ（ｉ）は、ｋ番目のＵＥにおいて受信される雑音＋セル間干渉である。通常、ｅｋ（ｉ）は、ＵＥ側でＳＵ−ＭＩＭＯを仮定した既存のＣＳＩフィードバックでのみ考慮される。典型的には、ＩＭＲベースのＺＰ ＣＳＩ−ＲＳリソースは、セル間干渉測定のためにＵＥのために構成される。
【００２６】
［ＮＺＰ ＣＳＩ−ＲＳベースＩＭＲによるＭＵ干渉測定］
ＮＺＰ ＣＳＩ−ＲＳベースのＩＭＲが提案され、ＭＵ干渉測定のためにＮＲで合意された。典型的なユースケースは、ｇＮＢがＣＳＩフィードバックまたはチャネル相互性のいずれかを通じて機能する各ＵＥのダウンリンクチャネルについてすでにある程度の知識を有しており、ＭＵ−ＭＩＭＯ事前調整が実行されている、すなわち、ＵＥのグループがＭＵ−ＭＩＭＯ送信の候補であると決定されている。ＵＥの各々のためのプリコーダは知られているが、ＭＵ干渉は知られていないので、事前スケジュールされたＭＵ−ＭＩＭＯ送信に基づくランクおよびＣＱＩに関するさらなるフィードバックが必要とされる。この目的のために、プリコーディングされたＮＺＰ ＣＳＩ−ＲＳを用いることによりＭＵ干渉をエミュレートし、各ＮＺＰ ＣＳＩ−ＲＳポートは１つのＭＵ−ＭＩＭＯレイヤに対応する。
【００２７】
第３世代パートナーシッププロジェクト（３ＧＰＰ）無線アクセスネットワーク（ＲＡＮ）１では、２つのオプションが提案されている。
・オプション１：単一の共通ＮＺＰ ＣＳＩ−ＲＳリソースは、事前にスケジュールされたＭＵ−ＭＩＭＯ内のＵＥごとに設定される（すなわち、ＮＺＰ ＣＳＩ−ＲＳリソースは、ＭＵ−ＭＩＭＯのために事前にスケジュールされたＵＥに共通である）。この場合、ＵＥはまた、チャネル測定のためにリソース内のポートのサブセットを用いてシグナリングされる。一例を図５に示す。
・オプション２：事前にスケジュールされたＭＵ−ＭＩＭＯでＵＥごとにＮＺＰ ＣＳＩ−ＲＳリソースの共通セットが設定される。このオプションでは、ＵＥはまた、チャネル測定のための共通セットからのＮＺＰ ＣＳＩ−ＲＳリソースを用いてシグナリングされる。一例を図６に示す。
【００２８】
ＮＲにおいて、ＵＥはＮ≧１のＣＳＩ報告設定、Ｍ≧１のリソース設定、及び１つのＣＳＩ測定設定で構成されることができ、ＣＳＩ測定設定は、Ｌ≧１のリンクを含むことが合意されている。Ｌリンクのそれぞれは、ＣＳＩ報告設定とリソース設定に対応している。
【００２９】
少なくともＣＳＩ取得のために、少なくとも以下の設定パラメータが無線リソース制御（ＲＲＣ）を介してシグナリングされる： 
・Ｎ、Ｍ、Ｌ−暗黙的または明示的に示される
・各ＣＳＩ報告設定において、少なくとも、報告されたＣＳＩパラメータ、報告された場合のＣＳＩタイプ（ＩまたはＩＩ）、コードブックサブセット制限を含むコードブック構成、時間領域動作、ＣＱＩおよびＰＭＩの周波数粒度、測定制限構成
・各リソース設定において
〇Ｓ≧１のＣＳＩ−ＲＳリソースセットの設定
‐注記：各セットは、設定済みのすべてのＣＳＩ−ＲＳリソースの「プール」からＵＥへの異なる選択に対応する
〇少なくともＲＥへのマッピング、ポート数、タイムドメイン動作などを含む、セットごとのＫｓ≧１のＣＳＩ−ＲＳリソースの設定
〇ＣＳＩ測定設定（ＣＳＩ報告設定指示、リソース設定指示、測定される量（チャネルまたは干渉のいずれか））におけるＬ個のリンクの各々において、
‐１つのＣＳＩレポート設定は、１つまたは複数のリソース設定とリンクできる
‐同じリソース設定で複数のＣＳＩレポート設定をリンクできる
【００３０】
適用可能であれば、Ｌ１またはＬ２信号によって、少なくとも以下のものが動的に選択される
・ＣＳＩ測定設定内の１つまたは複数のＣＳＩ報告設定
・１つ以上のリソース設定から選択された１つ以上のＣＳＩ−ＲＳリソースセット
・少なくとも１つのＣＳＩ−ＲＳリソースセットから選択された１つ以上のＣＳＩ−ＲＳリソース
【００３１】
現在、ある種の課題が存在する。ＭＵ干渉測定のためのＮＺＰ ＣＳＩ−ＲＳベースＩＭＲにより、問題は、チャネル測定と干渉測定のためのＮＺＰ ＣＳＩ−ＲＳリソースを、いかに効率的にＵＥにシグナリングオーバーヘッドが低く、シグナリングするかである。
【発明の概要】
【００３２】
チャネル測定および干渉測定（例えばＭＵ（マルチユーザ）干渉測定）に使用する非ゼロパワー（ＮＺＰ）チャネル状態情報基準信号（ＣＳＩ−ＲＳ）リソースを決定するためのシステムおよび方法がここに開示されている。いくつかの実施形態では、無線通信システムにおいて測定を実行するために無線デバイスによって実行される方法は、無線通信システムのネットワークノードから、チャネル測定のためのＮＺＰ ＣＳＩ−ＲＳリソースの１つまたは複数の第１のセットの半静的指標を受信することと、ネットワークノードから、干渉測定のためのＮＺＰ ＣＳＩ−ＲＳリソースの１つまたは複数の第２のセットの半静的指標を受信することを含む。方法は、チャネル測定のために無線デバイスによって使用されるＮＺＰ ＣＳＩ−ＲＳリソースの１つまたは複数の第１のセットからのＮＺＰ ＣＳＩ−ＲＳリソースの第１のセットと、干渉測定のために無線デバイスによって使用されるＮＺＰ ＣＳＩリソースの１つまたは複数の第２のセットからのＮＺＰ ＣＳＩ−ＲＳリソースの第２のセットとを示す１つまたは複数の動的指標をネットワークノードから受信することをさらに含む。このようにして、チャネル測定および干渉測定に使用すべきＮＺＰ ＣＳＩ−ＲＳリソースを、無線デバイスに効率的にシグナリングし、無線デバイスによって決定することができる。
【００３３】
いくつかの実施形態では、方法はさらに、１つ以上の動的指標によって示されるＮＺＰ ＣＳＩ−ＲＳの第１のセットにおいてチャネル測定を実行することと、１つ以上の動的指標によって示されるＮＺＰ ＣＳＩリソースの第２のセットにおいて干渉測定を実行することとを含む。
【００３４】
いくつかの実施形態では、１つまたは複数の動的指標は、チャネル測定のために無線デバイスによって使用されるＮＺＰ ＣＳＩ−ＲＳリソースの１つまたは複数の第１のセットからのＮＺＰ ＣＳＩ−ＲＳリソースの第１のセットと、干渉測定のために無線デバイスによって使用されるＮＺＰ ＣＳＩリソースの１つまたは複数の第２のセットからのＮＺＰ ＣＳＩ−ＲＳリソースの第２のセットとの両方を示す単一の動的指標を含む。
【００３５】
いくつかの実施形態では、方法は、チャネル測定および干渉測定の結果をネットワークノードに報告することをさらに含む。
【００３６】
いくつかの実施形態では、チャネル測定のための１つまたは複数の第１のＮＺＰ ＣＳＩ−ＲＳリソースセット内の各ＮＺＰ ＣＳＩ−ＲＳリソースセットは、単一のＮＺＰ ＣＳＩ−ＲＳリソースからなる。いくつかの他の実施形態では、チャネル測定のための１つまたは複数の第１のＮＺＰ ＣＳＩ−ＲＳリソースセット内の各ＮＺＰ ＣＳＩ−ＲＳリソースは、チャネル測定目的のために使用される１つまたは複数のポートからなる。いくつかの他の実施形態では、チャネル測定のための１つまたは複数の第１のＮＺＰ ＣＳＩ−ＲＳリソースセット内の各ＮＺＰ ＣＳＩ−ＲＳリソースがチャネル測定目的のために使用される１つ、２つ、または４つのポートからなる。
【００３７】
いくつかの実施形態では、干渉測定のための１つ以上の第２のＮＺＰ ＣＳＩ−ＲＳリソースセット内の各ＮＺＰ ＣＳＩ−ＲＳリソースセットは、いくつか、Ｋの、ＮＺＰ ＣＳＩ−ＲＳリソースから成り、ここで、Ｋは１以上である。
【００３８】
無線通信システムにおいて測定を実行するための無線デバイスの実施形態も開示される。いくつかの実施形態では、無線通信システムにおいて測定を実行するための無線デバイスは、無線通信システムのネットワークノードから、チャネル測定のためのＮＺＰ ＣＳＩ−ＲＳリソースの１つまたは複数の第１のセットの半静的指標を受信し、ネットワークノードから、干渉測定のためのＮＺＰ ＣＳＩ−ＲＳリソースの１つまたは複数の第２のセットの半静的指標を受信するように適合される。無線デバイスは、チャネル測定のために無線デバイスによって使用されるＮＺＰ ＣＳＩ−ＲＳリソースの１つまたは複数の第１のセットからのＮＺＰ ＣＳＩ−ＲＳリソースの第１のセットと、干渉測定のために無線デバイスによって使用されるＮＺＰ ＣＳＩ−ＲＳリソースの１つまたは複数の第２のセットからのＮＺＰ ＣＳＩ−ＲＳリソースの第２のセットとを示す１つまたは複数の動的指標をネットワークノードから受信するようにさらに適合される。
【００３９】
いくつかの実施形態では、無線デバイスはさらに、１つまたは複数の動的指標によって示されるＮＺＰ ＣＳＩ−ＲＳリソースの第１のセットに対してチャネル測定を実行し、１つまたは複数の動的指標によって示されるＮＺＰ ＣＳＩリソースの第２のセットに対して干渉測定を実行するように構成される。
【００４０】
いくつかの実施形態では、１つまたは複数の動的指標は、チャネル測定のために無線デバイスによって使用されるＮＺＰ ＣＳＩ−ＲＳリソースの１つまたは複数の第１のセットからのＮＺＰ ＣＳＩ−ＲＳリソースの第１のセットと、干渉測定のために無線デバイスによって使用されるＮＺＰ ＣＳＩリソースの１つまたは複数の第２のセットからのＮＺＰ ＣＳＩ−ＲＳリソースの第２のセットとの両方を示す単一の動的指標を備える。
【００４１】
いくつかの実施形態では、無線デバイスは、チャネル測定および干渉測定に基づいてチャネル状態情報（ＣＳＩ）結果をネットワークノードに報告するようにさらに適合される。
【００４２】
いくつかの実施形態では、無線通信システムにおいて測定を実行するための無線デバイスは、無線通信システムのネットワークノードから、チャネル測定のためのＮＺＰ ＣＳＩ−ＲＳリソースの１つまたは複数の第１のセットの半静的指標を受信し、ネットワークノードから、干渉測定のためのＮＺＰ ＣＳＩ−ＲＳリソースの１つまたは複数の第２のセットの半静的指標を受信し、ネットワークノードから、チャネル測定のために無線デバイスによって使用されるＮＺＰ ＣＳＩ−ＲＳリソースの１つまたは複数の第１のセットからのＮＺＰ ＣＳＩ−ＲＳリソースの第１のセットと、干渉測定のために無線デバイスによって使用されるＮＺＰ ＣＳＩ−ＲＳリソースの１つまたは複数の第２のセットからのＮＺＰ ＣＳＩ−ＲＳリソースの第２のセットとを示す１つまたは複数の動的指標を受信するように動作可能な、インターフェースおよび処理回路を備える。
【００４３】
ネットワークノードによって実行される方法の実施形態も開示される。いくつかの実施形態では、無線通信システムにおいて測定を実行するように無線デバイスを構成するためにネットワークノードによって実行される方法は、チャネル測定のためのＮＺＰ ＣＳＩ−ＲＳリソースの１つまたは複数の第１のセットの半静的指標を無線デバイスに送信することと、干渉測定のためのＮＺＰ ＣＳＩ−ＲＳリソースの１つまたは複数の第２のセットの半静的指標を無線デバイスに送信することを含む。方法は、チャネル測定のために無線デバイスによって使用されるＮＺＰ ＣＳＩ−ＲＳリソースの１つまたは複数の第１のセットからのＮＺＰ ＣＳＩ−ＲＳリソースの第１のセットと、干渉測定のために無線デバイスによって使用されるＮＺＰ ＣＳＩ−ＲＳリソースの１つまたは複数の第２のセットからのＮＺＰ ＣＳＩ−ＲＳリソースの第２のセットとを示す１つまたは複数の動的指標を無線デバイスに送信することをさらに含む。
【００４４】
実施形態では、方法は、ＮＺＰ ＣＳＩ−ＲＳリソースの第１のセットにおけるチャネル測定の結果と、ＮＺＰ ＣＳＩ−ＲＳリソースの第２のセットにおける干渉測定の結果とを、無線デバイスから受信することを更に含む。
【００４５】
いくつかの実施形態では、１つまたは複数の動的指標は、チャネル測定のために無線デバイスによって使用されるＮＺＰ ＣＳＩ−ＲＳリソースの１つまたは複数の第１のセットからのＮＺＰ ＣＳＩ−ＲＳリソースの第１のセットと、干渉測定のために無線デバイスによって使用されるＮＺＰ ＣＳＩ−ＲＳリソースの１つまたは複数の第２のセットからのＮＺＰ ＣＳＩ−ＲＳリソースの第２のセットとの両方を示す単一の動的指標を含む。
【００４６】
ネットワークノードの実施形態も開示される。いくつかの実施形態では、無線通信システムにおいて測定を実行するように無線デバイスを構成するためのネットワークノードは、チャネル測定のためのＮＺＰ ＣＳＩ−ＲＳリソースの１つまたは複数の第１のセットの半静的指標を無線デバイスに送信し、干渉測定のためのＮＺＰ ＣＳＩ−ＲＳリソースの１つまたは複数の第２のセットの半静的指標を無線デバイスに送信するように適合される。ネットワークノードは、チャネル測定のために無線デバイスによって使用されるＮＺＰ ＣＳＩ−ＲＳリソースの１つまたは複数の第１のセットからのＮＺＰ ＣＳＩ−ＲＳリソースの第１のセットと、干渉測定のために無線デバイスによって使用されるＮＺＰ ＣＳＩ−ＲＳリソースの１つまたは複数の第２のセットからのＮＺＰ ＣＳＩ−ＲＳリソースの第２のセットとを示す１つまたは複数の動的指標を無線デバイスに送信するようにさらに適合される。
【００４７】
いくつかの実施形態では、ネットワークノードはさらに、無線デバイスから、ＮＺＰ ＣＳＩ−ＲＳリソースの第１のセットにおけるチャネル測定の結果、およびＮＺＰ ＣＳＩ−ＲＳリソースの第２のセットにおける干渉測定の結果を受信するように構成される。
【００４８】
いくつかの実施形態では、１つまたは複数の動的指標は、チャネル測定のために無線デバイスによって使用されるＮＺＰ ＣＳＩ−ＲＳリソースの１つまたは複数の第１のセットからのＮＺＰ ＣＳＩ−ＲＳリソースの第１のセットと、干渉測定のために無線デバイスによって使用されるＮＺＰ ＣＳＩ−ＲＳリソースの１つまたは複数の第２のセットからのＮＺＰ ＣＳＩ−ＲＳリソースの第２のセットとの両方を示す単一の動的指標を含む。
【００４９】
いくつかの実施形態では、無線通信システムにおいて測定を実行するように無線デバイスを構成するためのネットワークノードは、無線デバイスに、チャネル測定のためのＮＺＰ ＣＳＩ−ＲＳリソースの１つまたは複数の第１のセットの半静的指標を送信し、無線デバイスに、干渉測定のためのＮＺＰ ＣＳＩ−ＲＳリソースの１つまたは複数の第２のセットの半静的指標を送信し、無線デバイスに、チャネル測定のために無線デバイスによって使用されるＮＺＰ ＣＳＩ−ＲＳリソースの１つまたは複数の第１のセットからのＮＺＰ ＣＳＩ−ＲＳリソースの第１のセットと、干渉測定のために無線デバイスによって使用されるＮＺＰ ＣＳＩ−ＲＳリソースの１つまたは複数の第２のセットからのＮＺＰ ＣＳＩ−ＲＳリソースの第２のセットとを示す１つまたは複数の動的指標を送信するように動作可能な、インターフェースおよび処理回路を備える。
【図面の簡単な説明】
【００５０】
本明細書に組み込まれ、その一部を形成する添付の図面は本開示のいくつかの態様を示し、説明とともに本開示の原理を説明するのに役立つ。
【図１】図１は、基本的なＮｅｗ  Ｒａｄｉｏ（ＮＲ）物理リソースを示す。
【図２】図２は、１５キロヘルツ（ｋＨｚ）のサブキャリア間隔を有するＮＲ時間領域構造を示す。
【図３】図３は、ロングタームエボリューション（ＬＴＥ）におけるプリコードされた空間多重化モードの伝送構造を示す。
【図４】図４は、ＮＲにおける１２ポートチャネル状態基準信号（ＣＳＩ−ＲＳ）のリソースエレメント（ＲＥ）割り当ての例を示す。
【図５】図５は、単一の非ゼロパワー（ＮＺＰ）ＣＳＩ−ＲＳリソースを用いる、第３世代パートナーシッププロジェクト（３ＧＰＰ）ワーキンググループ（ＷＧ）無線アクセスネットワーク（ＲＡＮ）１において提案されているオプション１の例を示す。
【図６】図６は、複数のＮＺＰ ＣＳＩ−ＲＳリソースを含むＣＳＩ−ＲＳリソースセットを用いる、有する、３ＧＰＰ  ＷＧ  ＲＡＮ１でにおいて提案されているオプション２の例を示す。
【図７】図７は、本開示の実施形態が実装され得る無線通信システムの一例を示す。
【図８】図８は、本開示のいくつかの実施形態による、マルチユーザ（ＭＵ）干渉測定のためのオプション１の可能なフレームワークを示す。
【図９】図９は、本開示のいくつかの他の実施形態による、ＭＵ干渉測定のためのオプション２のための可能なフレームワークを示す。
【図１０】図１０は、本開示のいくつかの実施形態による、開始インデックスおよびポートの数をシグナリングすることによる、チャネル測定のためのポートのシグナリングを示す。
【図１１】図１１は、本開示のいくつかの実施形態による、ＭＵ干渉測定のためのポートを示すためにビットマップを使用する例を示す。
【図１２】図１２は、本開示のいくつかの実施形態による、ユーザ装置（ＵＥ）（この例ではＵＥ１）へのチャネル測定およびＭＵ干渉測定の両方のためのポートの動的シグナリングのための例示的なフレームワークを示す。
【図１３】図１３は、本開示のいくつかの実施形態による、ＭＵ干渉測定のための相補的ポートを使用する例を示す。
【図１４】図１４は、本開示のいくつかの実施形態による、ＮＺＰ ＣＳＩ−ＲＳリソース内の残りのポートがＭＵ干渉のためのものでＵＥ（この例ではＵＥ１）へのチャネル測定のためのポートのみの動的シグナリングの例を示す。
【図１５】図１５は、本開示の第１の実施形態の少なくともいくつかの態様による、ネットワークノードおよび無線デバイスの動作を示す。
【図１６】図１６は、本開示のいくつかの実施形態による、複数のＮＺＰ ＣＳＩ−ＲＳリソースを構成し、ＮＺＰ ＣＳＩ−ＲＳリソースを動的に選択する例を示す。
【図１７】図１７は、本開示の第２の実施形態の少なくともいくつかの態様による、ネットワークノードおよび無線デバイスの動作を示す。
【図１８】図１８は、本開示のいくつかの実施形態による、ＭＵ  ＣＳＩ測定のために６つの２ポートＮＺＰ ＣＳＩ−ＲＳリソースの単一のリソースセットを使用する例を示す。
【図１９】図１９は、本開示のいくつかの実施形態による、リソースをシグナリングすることなく、ＭＵ干渉測定のための補足ＮＺＰ ＣＳＩ−ＲＳリソースを仮定するＵＥの例を示す。
【図２０】図２０は、本開示のいくつかの実施形態による、２つのＵＥによってＮＺＰ ＣＳＩ−ＲＳリソースを共有する例を示す。
【図２１】図２１は、本開示の第３の実施形態の少なくともいくつかの態様による、ネットワークノードおよび無線デバイスの動作を示す。
【図２２】図２２は、本開示の第４の実施形態の少なくともいくつかの態様によるネットワークノードおよび無線デバイスの操作を示す。
【図２３】図２３は、本開示のいくつかの実施形態による、１つのリソース設定におけるチャネル測定のためのＮＺＰ ＣＳＩ−ＲＳリソースセットと、異なるリソース設定における干渉測定のためのＮＺＰ ＣＳＩ−ＲＳリソースセットとを構成する例を示す。
【図２４】図２４は、本開示の第５の実施形態の少なくともいくつかの態様による、ネットワークノードおよび無線デバイスの動作を示す。
【図２５】図２５は、本開示のいくつかの実施形態による、例示的な無線ネットワークを示す。
【図２６】図２６は、本開示のいくつかの実施形態による、例示的なＵＥを示す。
【図２７】図２７は、本開示のいくつかの実施形態による、仮想化環境を示す。
【図２８】図２８は、本開示のいくつかの実施形態による、中間ネットワークを介してホストコンピュータに接続された電気通信ネットワークを示す。
【図２９】図２９は、本開示のいくつかの実施形態による、基地局を介して、部分的に無線接続を介してＵＥと通信するホストコンピュータを示す。
【図３０】図３０は、本開示のいくつかの実施形態による、ホストコンピュータ、基地局、およびＵＥを含む通信システムにおいて実装される方法を示すフローチャートである。
【図３１】図３１は、本開示のいくつかの実施形態による、ホストコンピュータ、基地局、およびＵＥを含む通信システムにおいて実装される方法を示すフローチャートである。
【図３２】図３２は、本開示のいくつかの実施形態による、ホストコンピュータ、基地局、およびＵＥを含む通信システムにおいて実装される方法を示すフローチャートである。
【図３３】図３３は、本開示のいくつかの実施形態による、ホストコンピュータ、基地局、およびＵＥを含む通信システムにおいて実装される方法を示すフローチャートである。
【図３４】図３４は、本開示のいくつかの実施形態による仮想化環境を示す。
【発明を実施するための形態】
【００５１】
以下に記載される実施形態は当業者が実施形態を実施し、実施形態を実施する最良の形態を示すことを可能にする情報を表す。添付の図面に照らして以下の説明を読むと、当業者は本開示の概念を理解し、本明細書で特に対処されないこれらの概念の適用を認識するのであろう。これらの概念およびアプリケーションは、本開示の範囲内にあることを理解されたい。
【００５２】
ここで、本明細書で企図される実施形態のいくつかを、添付の図面を参照してより完全に説明する。しかしながら、他の実施形態は本明細書に開示された被写体の範囲内に含まれ、開示された被写体は本明細書に記載された実施形態のみに限定されると解釈されるべきではなく、むしろ、これらの実施形態は被写体の範囲を当業者に伝えるために例として提供される。追加情報は、付録に記載されている文書にも記載されている。
【００５３】
一般に、本明細書で使用されるすべての用語は異なる意味が明確に与えられ、かつ/またはそれが使用される文脈から暗示されない限り、関連する技術分野におけるそれらの通常の意味に従って解釈されるべきである。a/an/the要素、装置、構成要素（コンポーネント）、手段、工程（ステップ）などへの言及はすべて、特に明記しない限り、要素、装置、構成要素、手段、工程などの少なくとも１つのインスタンスを指すものとして開放的に解釈されるべきである。本明細書に開示される任意の方法の工程は、工程が別の工程の後または前として明示的に記載されていない限り、および／または工程が別の工程の後または前になければならないことが暗黙的である場合、開示される正確な順序で実行される必要はない。本明細書に開示される実施形態のいずれかの任意の特徴は、適切な場合には任意の他の実施形態に適用されてもよい。同様に、任意の実施形態の任意の利点は任意の他の実施形態に適用することができ、その逆も同様である。添付の実施形態の他の目的、特徴、および利点は、以下の説明から明らかになるのであろう。
【００５４】
本開示では本開示のいくつかの実施形態を例示するために、第３世代パートナーシッププロジェクト（３ＧＰＰ）ロングタームエボリューション（ＬＴＥ）およびＮｅｗ  Ｒａｄｉｏ（ＮＲ）からの用語が使用されたが、これは本開示のいくつかの実施形態の範囲を前述のシステムのみに限定するものと見なされるべきではないことに留意されたい。他の無線システムもまた、本開示内でカバーされるアイデアを活用することから利益を得ることができる。
【００５５】
また、発展型または拡張型ノードＢ(ｅＮＢ)／Ｎｅｗ  Ｒａｄｉｏ基地局（ｇＮＢ）およびユーザ機器（ＵＥ）などの用語は非限定的に考慮されるべきであり、特に、２つの間のある階層関係を暗示するものではなく、一般に、「ｅＮｏｄｅＢ」はデバイス１、および「ＵＥ」はデバイス２と見なすことができ、これらの２つのデバイスは、何らかの無線チャネルを介して互いに通信することに留意されたい。本明細書ではダウンリンクにおける無線送信にも焦点を当てるが、本開示の実施形態はアップリンクにおいても同様に適用可能である。
【００５６】
現在、ある種の課題が存在する。マルチユーザ（ＭＵ）干渉測定のための非ゼロパワー（ＮＺＰ）チャネル状態情報基準（参照）信号（ＣＳＩ−ＲＳ）ベースの干渉測定リソース（ＩＭＲ）により、問題は、チャネル測定と干渉測定のためのＮＺＰ ＣＳＩ−ＲＳリソースをいかに効果的にＵＥに、低いシグナリングオーバーヘッドでシグナリングするか、である。
【００５７】
本開示およびそれらの実施形態のある態様は、これらの課題または他の課題に対する解決策を提供することができる。いくつかの実施形態では、ネットワークノード（例えば、ｇＮＢなどの基地局）は、チャネル測定のためのポートのみをＵＥに動的にシグナリングする。ネットワークノードは、ＭＵ干渉測定のためのポートを、ＵＥに明示的にシグナリングすることもできる。あるいは、ＭＵ干渉測定のためのポートがネットワークノードによってＵＥに暗黙的にシグナリングされてもよい（例えば、ＵＥは相補的ポート（すなわち、チャネル測定のためのポート以外のポート）がＭＵ干渉測定のためのものであると仮定する）。したがって、いくつかの実施形態では、ＭＵ干渉測定のためのポートが（明示的に）動的にシグナリングされない。
【００５８】
いくつかの他の実施形態では、リソースセットが構成され、リソースセットは例えば、それぞれが、例えば、２つのポートを有する、例えば、６つまでのＮＺＰ ＣＳＩ−ＲＳリソースからなる。ＵＥは、チャネル測定のためのＮＺＰ ＣＳＩ−ＲＳリソースと、ＭＵ測定のためのＮＺＰ ＣＳＩ−ＲＳリソースとを用いて動的にシグナリングされる。あるいは、ＭＵ測定のためのＮＺＰ ＣＳＩ−ＲＳリソースが暗黙的にシグナリングされてもよい（例えば、ＵＥはリソースセット中のＮＺＰ ＣＳＩ−ＲＳリソースの残りがＭＵ干渉測定のためのものであると仮定する）。
【００５９】
特定の実施形態は、以下の技術的利点のうちの１つまたは複数を提供することができる。本開示の実施形態は、チャネル測定およびＭＵ干渉測定のためのＮＺＰ ＣＳＩ−ＲＳリソースの効率的なシグナリングを可能にする。いくつかの実施形態では、ＭＵ干渉測定のためのＮＺＰ ＣＳＩ−ＲＳリソースのためのポートの明示的なシグナリングは存在せず、従って、シグナリングオーバーヘッドは低減される。
【００６０】
この点に関して、図７は、本開示の実施形態が実装され得る無線通信システム７００の一例を示す。いくつかの実施形態では、無線通信システム７００が第５世代（５Ｇ)ＮＲシステムである。しかし、本開示はこれに限定されない。図示のように、無線通信システム７００は、無線アクセスネットワーク（ＲＡＮ）によってサービスされる複数の無線デバイス７０２（本明細書ではＵＥとも呼ばれる）を含む。ＲＡＮは、対応するカバレッジエリア（例えば、セル７０６）を有するいくつかの無線アクセスノード７０４（またはより一般的にはネットワークノード）を含む。無線アクセスノード７０４は例えば、５Ｇ ＮＲノードＢ(ｇＮＢ)のような基地局でありうる。無線アクセスノード７０４はコアネットワーク７０８（例えば、５Ｇコアネットワーク）に接続される。
【００６１】
ＮＲにおけるＣＳＩ報告のための合意されたチャネル状態情報（ＣＳＩ）フレームワークを用いて、図８および９は、それぞれ、ＭＵ干渉測定に関する２つのオプションのための可能な報告メカニズムを示す。
【００６２】
オプション１（例：図８）については、共通ＮＺＰ ＣＳＩ−ＲＳリソースセット内のＣＳＩ−ＲＳポートの最初のサブセットがチャネル測定用のＵＥに動的にシグナリングされ、ポートの２番目のサブセットがＭＵ干渉測定に使用される。
【００６３】
オプション２（例：図９）については、ＣＳＩ−ＲＳ ポートにシグナリングする代わりに、ＮＺＰ ＣＳＩ−ＲＳリソースがチャネル測定用のＵＥにシグナリングされ、共通リソースセット内のＮＺＰ ＣＳＩ−ＲＳリソースのサブセットがＭＵ干渉測定用にシグナリンクされる。
【００６４】
［オプション１に対するシグナリンク方法］
第１の実施形態では、ネットワークノード（例えば、無線アクセスノード７０４）はリソースセットにおいて最大で、例えば、Ｐ=１２ポートを有する単一のＮＺＰ ＣＳＩ−ＲＳリソースを用いて、ＵＥ(例えば、無線デバイス７０２）を（例えば、無線リソース制御（ＲＲＣ）信号を介して、半静的に）構成する。
【００６５】
この第１の実施形態では、１２までのポートを有する単一のＮＺＰ ＣＳＩ−ＲＳリソースがチャネル測定（すなわち、ＭＵ ＣＳＩ報告）およびＭＵ干渉測定の両方のために（例えば、ＲＲＣによって）構成される。ＭＵ ＣＳＩの報告設定は、同じリソース設定およびリソースセットを指す少なくとも２つのリンクを有する測定設定で半静的に構成される。いくつかの実施形態では、チャネル測定のためのＣＳＩ−ＲＳポートおよびＭＵ干渉測定のためのポートが例えば、物理ダウンリンク制御チャネル（ＰＤＣＣＨ）上で搬送されるダウンリンク制御情報（ＤＣＩ）の一部として、ＵＥに動的にシグナリングされる。
【００６６】
ＵＥへのチャネル測定のためのポートをシグナリングするために、２つの代替例を使用することができる。
１．代替例１では、図１０に示すように、ＮＺＰ ＣＳＩ−ＲＳリソースの開始ポートインデックスとポート数によってポートが示される。
２．代替例２では、ジョイントエンコーディング（ジョイント符号化）が使用され、一例が表３から表６に示される。
【００６７】
代替例１では、開始ＣＳＩ−ＲＳポートをシグナリングするために４個までのＤＣＩビットが必要であり、（ＵＥ当たり最大４アンテナポートを仮定して）ポートの数、すなわち｛１,２,３,４｝をシグナリングするために追加の２個のＤＣＩビットが必要である。従って、合計６ＤＣＩビットまでが必要とされる。
【００６８】
ＤＣＩビットの総数は、ＮＺＰ ＣＳＩ−ＲＳリソースのポート数によって異なる場合がある。表２に、２、４、８、および１２ポートに必要なＤＣＩ ビットを示す。
2020536446.tif 000007
【００６９】
代替例２では、チャネル測定のためのポートをシグナリングするために、ジョイントエンコーディングを使用することができる。１２ポートＮＺＰ ＣＳＩ−ＲＳの例を表３に示す。この場合、６ＤＣＩビットの代わりに５ ＤＣＩビットのみが必要とされる。８ポート、４ポート、および２ポートを有するＮＺＰ ＣＳＩ−ＲＳリソースの例を、表４から表６に示す。ジョイントエンコーディングでは、チャネル測定のためにポートをシグナリングするために必要とされるＤＣＩビットの数が低減される。
2020536446.tif 000008
2020536446.tif 000009
2020536446.tif 000010
2020536446.tif 000011
【００７０】
ＭＵ干渉測定に対するシグナリンクポートには、２つの方法を使用できる。
１．他の干渉ＵＥによって使用されるポートをシグナリングするためにビットマップを使用する。ビットマップ長は、ＮＺＰ ＣＳＩ−ＲＳリソース内のポート数と等しくなる。対応するビットがセットされている場合、干渉測定にポートが含まれる。
２．干渉測定のためのポートは明示的にシグナリングされず、チャネル測定のためにシグナリングされるポートによって暗黙的に示される、すなわち、ＮＺＰ ＣＳＩ−ＲＳリソース内の相補的ポートは、干渉測定のためにＵＥによって使用されるべきである。異なって記載されているが、チャネル測定のために示されない／シグナリングされないポートは干渉測定のために使用されることになる。
【００７１】
方法１について、例を図１１に示す。ここで、１２ポートのＮＺＰ ＣＳＩ−ＲＳリソースが構成されているが、６つのレイヤ（ポート０〜５）を用いる多入力多出力（ＭＵ−ＭＩＭＯ）が４つのＵＥにスケジューリングされている。残りのポート（ポート６〜１１）は、実際には使用されない。ＵＥ１の場合、ＭＵ干渉測定用のポートはポート２〜５で、他のＵＥにより使用される。したがって、｛００１１１１００００００｝のビットマップがＵＥ１にシグナリングされ得る。ビットマップは、より正確な干渉測定を可能にする。この例では、ＵＥ１はポート６〜１１上の干渉を測定しない。オーバーヘッドをさらに低減するために、ビットマップは、ＵＥのためのチャネル測定ポートとして示されたポートを常に除外することができる。例えば、ＵＥ２はチャネル測定のために２つのポート（２および３）で示されるため、サイズが１０のビットマップ｛１１１１００００００｝がシグナルとして送信され、ビットマップ内の各ビットがポート２および３を除くポートに対応する。例えば、ビットマップの最初の２ビットはポート１と２に対応し、ビットマップの残りの８ビットはポート４〜１１に対応する。
【００７２】
方法１を用いた、全体的なシグナリング方式が図１２に示されている。ここではチャネル測定用のポートとＭＵ干渉測定用のポートの両方が動的にシグナリングされる。
【００７３】
方法２では、干渉測定のためのポートが明示的にシグナリングされないが、チャネル測定のためにシグナリングされるポートによって暗黙的に示される、すなわち、ＮＺＰ ＣＳＩ−ＲＳリソース内のすべての相補的ポートは干渉測定のためにＵＥによって使用されるべきである。一例が図１３に示されており、ＵＥ１はチャネル測定のためにポート０および１でシグナリングされ、ポート０および１以外のポート（すなわち、ポート２〜１１）上のＭＵ干渉を測定する。
【００７４】
ＵＥは各ポートでチャネル推定を実行し、そのポートに対するチャネル推定に基づいて干渉電力を決定できる。信号が送信されていないポート（例ではポート６〜１２）は、ＭＵ干渉電力推定のために破棄されるか、セル間干渉推定のために使用できる。方法２はシグナリングオーバーヘッドを節約し、好ましい解決策である。この方法のシグナリング方式は図１４に示されており、チャネル測定のためのポートのみが動的にシグナリングされる。
【００７５】
さらなる実施形態では、チャネル測定のために使用されるポートをシグナリングする代わりに、チャネル測定のためのポート数Ｎｃのみが、ＤＣＩにおいてＵＥに動的にシグナリングされる。ＵＥは受信電力に基づいてリソース内のポートを順序付けることによって、チャネル測定のためのポートを識別し、チャネル測定のための第１のポートとして、最大の受信電力を有するポートを選択する。この場合、２ビットのみが動的シグナリングに必要とされる。
【００７６】
例えば、リソースセットにおいてＮｃ=２で１２のポートがあるとする。最大受信電力を有するポートがｐ=５であると仮定すると、ＵＥはチャネル測定のためにポート｛５,６｝を使用し、ＭＵ干渉測定のためにリソース内の残りのポート｛０〜４および７〜１１｝を使用する。ＵＥは、ＣＳＩフィードバックの開始ポート（この例ではポート５）を示すポートインジケーション（ＰＩ）も含めるため、ｇＮＢは正しいポートがＵＥによって使用されているかどうかを確認できる。
【００７７】
図１５は、上述の第１の実施形態の態様のうちの少なくともいくつかによるネットワークノード７０４および無線デバイス７０２の動作を示す。図示されるように、ネットワークノード７０４は、チャネル測定およびＭＵ干渉測定の両方のための単一のＮＺＰ ＣＳＩ−ＲＳリソースを無線デバイス７０２に（例えば、半静的に）示す（知らせる）（ステップ１５００）。ネットワークノード７０４は、示された（知らされた）ＮＺＰ ＣＳＩ−ＲＳリソースにおいて、無線デバイス７０２に、チャネル測定のためのポートを（動的に）示し、ＭＵ干渉測定のためのポートを（明示的または暗黙的に）示す（ステップ１５０２）。無線デバイス７０２は、チャネル測定のために示されたポートを使用して、示されたＮＺＰ ＣＳＩ−ＲＳリソースにおいてチャネル測定を行い（ステップ１５０４）、ＭＵ干渉測定のために示されたポート（複数可）を使用して、示されたＮＺＰ ＣＳＩ−ＲＳリソースにおいてＭＵ干渉測定を行う（ステップ１５０６）。無線デバイス７０２は、測定の結果を、例えば、１つまたは複数の報告でネットワークノード７０４に送信する（ステップ１５０８）。
【００７８】
第２の実施形態では、ネットワークノード７０４は、リソースセットにおける異なる数のポートを有する複数のＮＺＰ ＣＳＩ−ＲＳリソースで無線デバイス７０２を構成する（例えば、ＲＲＣシグナリングを介して）。
【００７９】
単一のＮＺＰ ＣＳＩ−ＲＳリソースを有する第１の実施形態の欠点は、最大１２レイヤのＭＵ−ＭＩＭＯをサポートするために、１２ポートを有するＮＺＰ ＣＳＩ−ＲＳリソースが必要とされることである。しかしながら、場合によっては、１２ポートの全てが使用されるわけではない。この場合、ＮＺＰ ＣＳＩ−ＲＳリソースオーバーヘッドは依然としてリソースブロック（ＲＢ）あたり１２のリソースエレメント（ＲＥ）である。代替案は、複数のＮＺＰ ＣＳＩ−ＲＳリソース、例えば図１６ に示すように２、４、８、１２ポートの４つのＮＺＰ ＣＳＩ−ＲＳリソースを構成することである。スケジュールされるＭＵ−ＭＩＭＯレイヤの数に応じて、正しいサイズのＮＺＰ ＣＳＩ−ＲＳリソースを使用できる。例えば、４レイヤのＭＵ−ＭＩＭＯを予定する場合、４ポートのＮＺＰ ＣＳＩ−ＲＳリソースが選択される。一部の実施形態では、ＣＳＩ−ＲＳリソース選択のために余分な数のＤＣＩビット（例えば、２個のＤＣＩビット）が使用される。
【００８０】
図１７は、上述の第２の実施形態の態様のうちの少なくともいくつかによるネットワークノード７０４および無線デバイス７０２の動作を示す。図示されるように、ネットワークノード７０４は、異なる数のポートを有する複数のＮＺＰ ＣＳＩ−ＲＳリソースを無線デバイス７０２に（例えば、半静的に）示す（ステップ１７００）。ネットワークノード７０４は、無線デバイス７０２に、チャネル測定およびＭＵ干渉測定の両方のためのＮＺＰ ＣＳＩ−ＲＳリソースの示されたセットからの単一のＮＺＰ ＣＳＩ−ＲＳリソース、チャネル測定のために指示されたＮＺＰ ＣＳＩ−ＲＳリソースにおいて使用するポートを（明示的または暗黙的に）示し、ＭＵ干渉測定のために示されたＮＺＰ ＣＳＩ−ＲＳリソースにおいて使用するポートを、（例えば、動的に）示す（ステップ１７０２）。無線デバイス７０２は、チャネル測定のために示されたポートを使用して、示されたＮＺＰ ＣＳＩ−ＲＳリソースにおいてチャネル測定を行い（ステップ１７０４）、ＭＵ干渉測定のために示されたポート（複数可）を使用して、示されたＮＺＰ ＣＳＩ−ＲＳリソースにおいてＭＵ干渉測定を行う（ステップ１７０６）。無線デバイス７０２は、測定の結果を、例えば、１つまたは複数の報告でネットワークノード７０４に送信する（ステップ１７０８）。
【００８１】
［オプション２に対するシグナリング方法］
オプション２（すなわち、チャネル測定のためにＮＺＰ ＣＳＩ−ＲＳリソースがＵＥにシグナリングされ、共通リソースセット内のＮＺＰ ＣＳＩ−ＲＳリソースのサブセットがＭＵ干渉測定のためにシグナリングされるオプション）では、ＵＥがチャネル測定のためにＮＺＰ ＣＳＩ−ＲＳリソースを用いてシグナリングされる。１つのレイヤで最大１２ ＵＥ がダウンリンクＭＵ−ＭＩＭＯ に参加できるため、ＵＥ用に最大１２のシングルポートＮＺＰ ＣＳＩ−ＲＳリソースを設定する必要がある。異なるランク（１〜４）のＭＵ−ＭＩＭＯをサポートするために、３セットのＮＺＰ ＣＳＩ−ＲＳリソースをＵＥ用に設定できる。
・リソースセット０：１２ シングルポートＣＳＩ−ＲＳリソース  ｛RS0_1,...,RS11_1｝
・リソースセット１：６ ２ポートＣＳＩ−ＲＳリソース  ｛RS0_2,...,RS5_2｝
・リソースセット２：３ ４ポートＣＳＩ−ＲＳリソース  ｛RS0_4,...,RS2_4｝
【００８２】
チャネル測定のために、ＵＥは、リソースセットおよび当該リソースセットにおけるＮＺＰ ＣＳＩ−ＲＳリソースを用いてシグナリングされる。リソースセットを選択するために２個のＤＣＩビット、およびＣＳＩ−ＲＳリソースを選択するために最大４個のＤＣＩ ビットが必要となるため、チャネル測定のためにＣＳＩ−ＲＳリソースにシグナリングするために合計６個のＤＣＩビットが必要になる。
【００８３】
ＭＵ干渉測定のためにＣＳＩ−ＲＳリソースをシグナリングするために、ＮＺＰ ＣＳＩ−ＲＳリソースは３つのリソースセットすべてに入ることができる。組合せは、非常に大きくすることができる。
【００８４】
第３の実施形態では、ネットワークノードは、複数のＮＺＰ ＣＳＩ−ＲＳリソースの単一のＮＺＰ ＣＳＩ−ＲＳリソースセットを構成する（例えば、ＲＲＣシグナリングを介して半静的に）。
【００８５】
この実施形態では、各ＵＥは、チャネル測定のためのリソースセットからのＮＺＰ ＣＳＩ−ＲＳリソースと、ＭＵ干渉測定のためのリソースセット内の１つまたは複数のＮＺＰ ＣＳＩ−ＲＳリソースとを用いてシグナリングされる。
【００８６】
シグナリングを簡素化するために、１つのＵＥに対して、それぞれ２つのポートを持つ最大６つのＣＳＩ−ＲＳ リソースの１つのリソースセットを設定できる。一例が図１８に示されており、ここでは、６つの２ポートＮＺＰ ＣＳＩ−ＲＳリソースが各ＵＥに対して設定されている。ＮＺＰ ＣＳＩ−ＲＳリソース０がランク２でＵＥ１に割り当てられる。ＮＺＰ ＣＳＩ−ＲＳリソース１がランク２でもＵＥ２に割り当てられる。ＮＺＰ ＣＳＩ−ＲＳリソース２がランク１でＵＥ３に割り当てられる。ＮＺＰ ＣＳＩ−ＲＳリソース３がランク１でＵＥ４に割り当てられる。ＮＺＰ ＣＳＩ−ＲＳリソース４および５がこの例では実際には割り当てられていない。
【００８７】
チャネル測定のためのＮＺＰ ＣＳＩ−ＲＳリソースをシグナリングするために、表７に示すように、３つのＤＣＩビットを使用することができる。
2020536446.tif 000012
【００８８】
ＭＵ干渉測定のためのＮＺＰ ＣＳＩ−ＲＳリソースをシグナリングするために、５ビットビットマップが使用されてもよく、各ビットは、チャネル測定のためのもの以外のＮＺＰ ＣＳＩ−ＲＳリソースに関連付けられる。この場合、ＵＥあたりの最大ランクは、ＭＵ−ＭＩＭＯにおいて２に制限される。
【００８９】
図１８におけるＵＥ３とＵＥ４では、割り当てられたＣＳＩ−ＲＳリソースにおける１つのポートのみが実際に送信される。ＵＥは、両方のポートにおいて測定し、実際のランクを決定する。
【００９０】
この例における干渉測定のために、ＮＺＰ ＣＳＩ−ＲＳリソース２および３の全体が、ＤＣＩ内の５ビットビットマップを用いてＵＥ１にシグナリングされる。２つのリソースのうちのポート１上で測定された干渉はＵＥ３およびＵＥ４からの実際のＭＵ干渉ではない。ポート上でコヒーレントチャネル推定が実行されない限り、何らかの測定不正確さがあり得る。
【００９１】
代替として、リソースセットにおける１つのポートにそれぞれ関連付けられたＤＣＩ内の１２ビットビットマップはＭＵ干渉測定のためにリソースをシグナリングするために使用され得るが、追加のシグナリングオーバーヘッドのコストを伴う。
【００９２】
別の実施形態では、ＭＵ干渉測定のためのリソースが明示的にシグナリングされない。ＵＥは、チャネル測定のために示されたＮＺＰ ＣＳＩ−ＲＳリソース以外に、リソースセット内の残りのすべてのＮＺＰ ＣＳＩ−ＲＳリソースが、ＭＵ干渉測定のためのものであると仮定する。一例を図１９に示す。ここで、ＵＥ１は、チャネル測定のためにＮＺＰ ＣＳＩ−ＲＳ ０でシグナリングされる。ＵＥ１は、ＭＵ干渉測定のためにＮＺＰ ＣＳＩ−ＲＳリソース１〜５を仮定する。コヒーレントチャネル推定を使用して、ＣＳＩ−ＲＳ送信に実際に使用されていないポートを排除することができる。
【００９３】
これは、シグナリングオーバーヘッドを節約し、好ましい解決策である。このアプローチにより、ＭＵ−ＭＩＭＯ  ＣＳＩ測定のために最大６ＵＥをスケジュールできる。
【００９４】
ＭＵ−ＭＩＭＯにおいてより多くのＵＥをサポートするために、２ＵＥ がＮＺＰ ＣＳＩ−ＲＳリソースを共有できるように、各ＮＺＰ ＣＳＩ−ＲＳリソース内のポートをさらに選択するために２つの追加のＤＣＩビットを使用することができる。ＵＥ３とＵＥ４がＮＺＰ ＣＳＩ−ＲＳリソース２の異なるポートを使用する場合の例を図２０に示す。
2020536446.tif 000013
【００９５】
図２１は、上述の第２の実施形態の態様のうちの少なくともいくつかによるネットワークノード７０４および無線デバイス７０２の動作を示す。図示されるように、ネットワークノード７０４は、複数のＮＺＰ ＣＳＩ−ＲＳリソースを含むＮＺＰ ＣＳＩ−ＲＳリソースのセットを無線デバイス７０２に（例えば、半静的に）示す（ステップ２１００）。ネットワークノード７０４は、チャネル測定のために、示されたＮＺＰ ＣＳＩ−ＲＳリソースのセットからの単一のＮＺＰ ＣＳＩ−ＲＳリソースを無線デバイス７０２に（例えば、動的に）示す（ステップ２１０２）。任意選択で、ネットワークノード７０４は、ＭＵ干渉測定のために、示されたＮＺＰ ＣＳＩ−ＲＳリソースのセットからの単一のＮＺＰ ＣＳＩ−ＲＳリソースを無線デバイス７０２に（例えば、動的に）示す（ステップ２１０４）。他の実施形態では、ＭＵ干渉測定のためのＮＺＰ ＣＳＩ−ＲＳリソースの示されたセットからの単一のＮＺＰ ＣＳＩ−ＲＳリソースは暗に示される。無線デバイス７０２は、チャネル測定のために示されたＮＺＰ ＣＳＩ−ＲＳリソースにおいてチャネル測定を行い（ステップ２１０６）、ＭＵ干渉測定のために示されたＮＺＰ ＣＳＩ−ＲＳリソースにおいてＭＵ干渉測定を行う（ステップ２１０８）。無線デバイス７０２は、測定の結果を、例えば、１つまたは複数の報告でネットワークノード７０４に送信する（ステップ２１１０）。
【００９６】
第４の実施形態では、各ＵＥは、ＭＵ−ＭＩＭＯ共スケジューリング（co-scheduling）の異なる仮説に対応するいくつかのＮＺＰ ＣＳＩ−ＲＳリソースセットで構成される。この実施形態ではＮＺＰ ＣＳＩ−ＲＳリソースセットの各リソースセットが例えば、４つのアンテナポートを有するリソースを備えることができる（ＵＥが例えば、ランク２でのみプリスケジュールされている場合であっても、リソース内の残りのポートは空である）。
・リソースセット０：４  ４ポートリソース｛RS0,...,RS3｝
・リソースセット１：４  ４ポートリソース｛RS4,...,RS7｝
・リソースセット２：４  ４ポートリソース｛RS8,...,RS11｝
・リソースセット３：４  ４ポートリソース｛RS12,...,RS15｝
この場合、ｇＮＢは、以下の表９のように、異なるＵＥを異なるリソース設定に割り当てることによって、異なる共スケジューリング仮説を評価することができる。
2020536446.tif 000014
【００９７】
リソースセット内の一部のリソースは空（ＸＸで示される）で、ＵＥに割り当てられていない可能性があることに注意する。また、リソースセットにおける物理ＮＺＰ ＣＳＩ−ＲＳリソースが重複している可能性があるため、同じリソースが複数のセットで使用されることにも注意する。
【００９８】
チャネル測定のためのリソースをシグナリングするために、リソースセットを選択するために２個のＤＣＩビットが必要とされ、セット内のリソースを選択するために別の２個のＤＣＩビットが必要とされ、合計で４個のＤＣＩビットが必要とされる。選択したセット内の残りのリソースは、干渉測定に使用される。
【００９９】
別の実施形態では、ＵＥがチャネル測定のために使用するセット内のリソースはシグナリングされず、代わりに、ＵＥは好ましいリソースを選択し、選択したリソースをＣＳＩ−ＲＳリソースインジケータ（ＣＲＩ）の形成で報告するよう指示される。ＣＳＩ−ＲＳリソースはビーム形成されるので、ＵＥは非常に高い確率で、ｇＮＢがＵＥを形成した「意図されたリソース」を持つＣＲＩを選択する。選択したセット内の残りのリソースは、干渉測定に使用される。したがって、このアプローチでは、チャネル測定または干渉測定のためにセット内の特定のリソースをシグナリングする必要がなく、リソースセットを示すための２ビットのみがＤＣＩにおいてシグナリングされる。ＵＥは、いずれにせよ、ＣＳＩ−ＲＳリソース全体のチャネルを測定および推定する必要があるため、ＵＥの追加的な複雑性はない。
【０１００】
さらに別の実施形態では、１つのリソースセットのみが構成され、リソースセットの動的シグナリングの必要はない。
【０１０１】
図２２は、上述の第４の実施形態の態様のうちの少なくともいくつかによるネットワークノード７０４および無線デバイス７０２の動作を示す。図示されるように、ネットワークノード７０４は、各々が複数のＮＺＰ ＣＳＩ−ＲＳリソースを含む、複数のＮＺＰ ＣＳＩ−ＲＳリソースの設定を無線デバイス７０２に（例えば、半静的に）示す（ステップ２２００）。ネットワークノード７０４は、チャネル測定のために、ＮＺＰ ＣＳＩ−ＲＳリソースの示されたセットのうちの１つからの単一のＮＺＰ ＣＳＩ−ＲＳリソースを無線デバイス７０２に（例えば、動的に）示す（ステップ２２０２）。任意選択で、ネットワークノード７０４は、ＭＵ干渉測定のために、ＮＺＰ ＣＳＩ−ＲＳリソースの示されたセットのうちの１つからの単一のＮＺＰ ＣＳＩ−ＲＳリソースを、無線デバイス７０２に（例えば、動的に）示す（ステップ２２０４）。他の実施形態では、ＭＵ干渉測定のためのＮＺＰ ＣＳＩ−ＲＳリソースの示されたセットの１つからの単一のＮＺＰ ＣＳＩ−ＲＳリソースは暗に示される。無線デバイス７０２は、チャネル測定のために示されたＮＺＰ ＣＳＩ−ＲＳリソースにおいてチャネル測定を行い（ステップ２２０６）、ＭＵ干渉測定のために構成されたＮＺＰ ＣＳＩ−ＲＳリソースにおいてＭＵ干渉測定を行う（ステップ２２０８）。無線デバイス７０２は測定の結果を、例えば、１つまたは複数の報告でネットワークノード７０４に送信する（ステップ２２１０）。
【０１０２】
第５の実施形態では、各ＵＥがＭＵ−ＭＩＭＯ共スケジューリングの異なる仮説に対応するいくつかのＮＺＰ ＣＳＩ−ＲＳリソースセットで構成される（例えば、ＲＲＣシグナリングを介して、例えば、半静的に）。この実施形態では、チャネル測定のためのＮＺＰ ＣＳＩ−ＲＳリソースセットおよび干渉測定のためのＮＺＰ ＣＳＩ−ＲＳリソースセットが図２３に示すように異なるリソースセットで構成される（例えば、ＲＲＣシグナリングを介して、例えば、半静的に）。
【０１０３】
図２３の例では、リソース設定Ａは、チャネル測定のためのＳ個の異なるリソースセットからなり、各リソースセットは単一のＮＺＰ ＣＳＩ−ＲＳリソースからなる。リソース設定Ａ内のリソースセットの各々におけるこれらのＮＺＰ ＣＳＩ−ＲＳリソースは、チャネル測定目的のために使用される異なる数のポートから成ることができる。１つの例ではリソース設定Ａのリソースセット内のすべてのＮＺＰ ＣＳＩ−ＲＳリソースを４ポートで設定できる（ＵＥが事前にスケジュールされているだけであっても、例えば、ランク−２ではリソース内の残りのポートは空になる）。
【０１０４】
図２３において、リソース設定Ｂは、干渉測定のためのＳ個の異なるリソースセットからなり、各リソースセットは、Ｋ個のＮＺＰ ＣＳＩ−ＲＳリソースからなる。これらのＫ個のＮＺＰ ＣＳＩ−ＲＳリソースのそれぞれは、ｇＮＢによって異なるＵＥに割り当てられ得る（すなわち、ＭＵ干渉を生成するＫ個までのＵＥが可能である）。したがって、ｇＮＢは、Ｋ＋１個までのＵＥを含むＭＵ−ＭＩＭＯのための異なるコスケジューリング仮説を評価することができる。なお、リソース設定Ｂのリソースセットのうち、一部のＮＺＰ ＣＳＩ−ＲＳリソースがＵＥに割り当てられていない可能性がある。リソース設定Ｂのリソースセット内の物理ＮＺＰ ＣＳＩ−ＲＳリソースが重複している可能性があるため、同じリソースが複数のリソースセットで使用される可能性があることに注意する。
【０１０５】
この実施形態では、ＵＥは例えば、リソース設定Ａ内のどのリソースセットがチャネル測定のために使用される（べき）かを示すために、ｌｏｇ２（Ｓ）までのＤＣＩビットフィールドで動的に構成される。リソース設定Ａ内のリソースセットは、チャネル測定のための単一のＮＺＰ ＣＳＩ−ＲＳリソースのみを含むので、追加のシグナリングはこのＮＺＰ ＣＳＩ−ＲＳリソースを示す必要はない。いくつかの実施形態では、干渉測定に使用されるリソース設定Ｂからのリソースセットがリソース設定Ａからのどのリソースセットがチャネル測定に使用される（べき）かを示す同じＤＣＩビットフィールドによって暗黙的に示される。
【０１０６】
例えば、リソース設定Ａからのリソースセット２がチャネル測定のために使用される（べき）であることを示すために、ｌｏｇ２（Ｓ）までのＤＣＩビットフィールドがＵＥにシグナリングされる場合、ＵＥは、干渉測定のためにリソース設定Ｂからリソースセット２を仮定する。したがって、干渉測定に使用されるリソースセットまたはＮＺＰ ＣＳＩ−ＲＳリソースを明示的に示すために、追加のＤＣＩビットは必要とされない。別の言い方をすれば、チャネル測定に使用されるリソース設定Ａからのリソースセットと、干渉測定に使用されるリソース設定Ｂからのリソースセットとは、同じＤＣＩフィールドによって一緒に示される。
【０１０７】
リソース設定Ａおよびリソース設定Ｂの両方においてＳ=４リソースセットで構成されたＵＥの場合、この実施形態における解決策は２ＤＣＩビットまでを必要とするだけであり、したがって、ＤＣＩシグナリングオーバーヘッドを節約する。
【０１０８】
この実施形態では、ＵＥは、干渉測定に使用されているリソースセットのＫ個のＮＺＰ ＣＳＩ−ＲＳリソースのそれぞれに対してチャネル推定を実行し、Ｋ個のＮＺＰ ＣＳＩ−ＲＳリソースのそれぞれにおけるチャネル推定に基づいて干渉電力を決定することができる。非常に低い干渉電力のＮＺＰ ＣＳＩ−ＲＳリソースは、ＭＵ干渉電力推定から廃棄できるか、セル間干渉推定に使用できる。
【０１０９】
図２４は、上述の第５の実施形態の態様のうちの少なくともいくつかによるネットワークノード７０４および無線デバイス７０２の動作を示す。図示されるように、ネットワークノード７０４は無線デバイス７０２に、チャネル測定のためのＮＺＰ ＣＳＩ−ＲＳリソースの複数の第１のセットを（例えば、半静的に）示し、それぞれは、例えば、単一のＮＺＰ ＣＳＩ−ＲＳリソースを含む（ステップ２４００）。ネットワークノード７０４はまた、無線デバイス７０２に、チャネル測定のための複数の第２のセットのＮＺＰ ＣＳＩ−ＲＳリソースを（例えば、半静的に）示し、それぞれは、例えば、Ｋ個のＮＺＰ ＣＳＩ−ＲＳリソースを含む（ステップ２４０２）。ネットワークノード７０４は、チャネル測定のためのＮＺＰ ＣＳＩ−ＲＳリソースの第１のセットのうちの１つを無線デバイス７０２に（例えば、動的に）示す（ステップ２４０４）。任意選択で、ネットワークノード７０４は、ＭＵ干渉測定用のＮＺＰ ＣＳＩリソースの第２のセットのうちの１つを無線デバイス７０２に（例えば動的に）示す（ステップ２４０６）。他の実施形態では、ＮＺＰ ＣＳＩリソースの第２のセットの１つが暗に示されている。無線デバイス７０２は、チャネル測定のために示されたＮＺＰ ＣＳＩ−ＲＳリソースにおいてチャネル測定を行い（ステップ２４０８）、ＭＵ干渉測定のために構成されたＮＺＰ ＣＳＩ−ＲＳリソースにおいてＭＵ干渉測定を行う（ステップ２４１０）。無線デバイス７０２は、測定の結果を、例えば、１つまたは複数の報告でネットワークノード７０４に送信する（ステップ２４１２）。
【０１１０】
本明細書で説明される主題は任意の適切な構成要素を使用して任意の適切なタイプのシステムで実装され得るが、本明細書で開示される実施形態は図２５に示される例示的な無線ネットワークなどの無線ネットワークに関して説明される。簡潔にするために、図２５の無線ネットワークはネットワーク２５０６、ネットワークノード２５６０および２５６０Ｂ、ならびに無線デバイス（ＷＤ）２５１０、２５１０Ｂ、および２５１０Ｃのみを示す。ネットワークノード２５６０は、上述のネットワークノード７０４に対応し、本明細書で開示される実施形態のいずれかに従って、ネットワークノード７０４の機能を提供するように動作することができることに留意されたい。同様に、ＷＤ２５１０は上述の無線デバイス７０２に対応し、本明細書で開示される実施形態のいずれかに従って、無線デバイス７０２の機能を提供するように動作し得る。実際には、無線ネットワークが無線デバイス間の通信、または無線デバイスと、陸線電話、サービスプロバイダ、または任意の他のネットワークノードもしくはエンドデバイスなどの別の通信デバイスとの間の通信をサポートするのに適した任意の追加の要素をさらに含むことができる。図示された構成要素のうち、ネットワークノード２５６０およびＷＤ２５１０は、さらなる詳細を伴って示されている。無線ネットワークは、無線ネットワークによって、または無線ネットワークを介して提供されるサービスへの無線デバイスのアクセスおよび／またはそのサービスの使用を容易にするために、１つまたは複数の無線デバイスに通信および他のタイプのサービスを提供することができる。
【０１１１】
無線ネットワークは、任意のタイプの通信、電気通信、データ、セルラ、および／または無線ネットワーク、または他の同様のタイプのシステムを備え、および／またはそれらとインターフェースすることができる。いくつかの実施形態では、無線ネットワークが特定の規格または他のタイプの事前定義された規則または手順に従って動作するように構成され得る。したがって、無線ネットワークの特定の実施形態は、移動体通信用グローバルシステム（ＧＳＭ）、ユニバーサルモバイルテレコミュニケーションシステム（ＵＭＴＳ）、ＬＴＥ、および／またはその他の適当な第２、第３、第４、または第５世代（２Ｇ、３Ｇ、４Ｇまたは５Ｇ）標準規格、ＩＥＥＥ８０２．１１標準規格のような無線ローカルエリアネットワーク（ＷＬＡＮ）標準規格、および／または、ＷｉＭａｘ（Worldwide Interoperability for Microwage Access）、Ｂｌｕｅｔｏｏｔｈ、Ｚ-Ｗａｖｅおよび／またはＺｉｇＢｅｅ標準規格のような他の適当な無線通信標準規格を実装し得る。
【０１１２】
ネットワーク２５０６は、１つ以上のバックホールネットワーク、コアネットワーク、インターネットプロトコル（ＩＰ）ネットワーク、公衆交換電話ネットワーク（ＰＳＴＮ）、パケットデータネットワーク、光ネットワーク、ワイドエリアネットワーク（ＷＡＮ）、ローカルエリアネットワーク（ＬＡＮ）、ＷＬＡＮ、有線ネットワーク、無線ネットワーク、メトロポリタンエリアネットワーク、およびデバイス間の通信を可能にする他のネットワークを含むことができる。
【０１１３】
ネットワークノード２５６０およびＷＤ２５１０は、以下でより詳細に説明する様々な構成要素を備える。これらの構成要素は、無線ネットワークにおける無線接続を提供するなど、ネットワークノードおよび／または無線デバイスの機能を提供するために協働する。異なる実施形態では無線ネットワークが任意の数の有線または無線ネットワーク、ネットワークノード、基地局、コントローラ、無線デバイス、中継局、および／または有線またはワイヤレス接続を介するかどうかにかかわらず、データおよび／または信号の通信を容易にするかまたは参加することができる任意の他の構成要素またはシステムを備えることができる。
【０１１４】
本明細書で使用されるように、ネットワークノードは無線デバイスおよび／または無線ネットワーク内の他のネットワークノードまたは装置と直接的または間接的に通信するために、および／または無線ネットワーク内の他のネットワークノードまたは装置と直接的または間接的に通信することができ、および／または無線デバイスへの無線アクセスを可能にし、および／または無線ネットワーク内の他の機能（例えば、管理）を実行することができる、構成され、配置され、および／または動作可能な装置を指す。ネットワークノードの例にはアクセスポイント（例えば、無線アクセスポイント）、基地局（ＢＳ）（例えば、無線基地局、ノードＢ、ｅＮＢ、およびｇＮＢ）が含まれるが、これらに限定されない。基地局はそれらが提供する（または別の言い方をすれば、それらの送信電力レベル）カバレッジの量に基づいて分類され得、次いで、フェムト基地局、ピコ基地局、マイクロ基地局、またはマクロ基地局とも呼ばれ得る。基地局は、リレー（中継）を制御するリレーノードまたはリレードナーノードであってもよい。ネットワークノードは、集中型デジタルユニットおよび／または遠隔無線ユニット（ＲＲＵ）（遠隔無線ヘッド（ＲＲＨ）と呼ばれることもある）などの分散型無線基地局の１つまたは複数の（またはすべての）部分を含むこともできる。そのようなＲＲＵは、アンテナ統合無線機としてアンテナと統合されてもされなくてもよい。分散無線基地局の一部は、分散アンテナシステム（ＤＡＳ）におけるノードとも呼ばれることがある。ネットワークノードのさらなる例には、ＭＳＲ  ＢＳなどのマルチスタンダード無線（ＭＳＲ）機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（例えば、移動交換局（ＭＳＣ）、モビリティ管理エンティティ（ＭＭＥ））、操作および保守（Ｏ＆Ｍ）ノード、オペレーションサポートシステム（ＯＳＳ）ノード、自己最適化ネットワーク（ＳＯＮ）ノード、測位ノード（例えば、Ｅ−ＳＭＬＣ）、および／またはドライブテストの最小化（ＭＤＴ）が含まれる。別の例として、ネットワークノードは、以下でより詳細に説明するような仮想ネットワークノードであってもよい。しかしながら、より一般的には、ネットワークノードが無線デバイスに無線ネットワークへのアクセスを可能にする、および／または提供する、あるいは無線ネットワークにアクセスした無線デバイスに何らかのサービスを提供することが可能な、構成された、配置された、および／または動作可能な、任意の適切なデバイス（またはデバイスのグループ）を表し得る。
【０１１５】
図２５において、ネットワークノード２５６０は、処理回路２５７０、デバイス可読媒体２５８０、インターフェース２５９０、補助装置２５８４、電源２５８６、電力回路２５８７、およびアンテナ２５６２を含む。図２５の例示的な無線ネットワークに示されたネットワークノード２５６０はハードウェア構成要素の図示された組合せを含むデバイスを表すことができるが、他の実施形態は構成要素の異なる組合せを有するネットワークノードを備えることができる。ネットワークノードは、本明細書で開示されるタスク、特徴、機能、および方法を実行するために必要とされるハードウェアおよび／またはソフトウェアの任意の適切な組合せを備えることを理解されたい。さらに、ネットワークノード２５６０の構成要素はより大きなボックス内に配置された単一のボックスとして、または複数のボックス内に入れ子に描かれているが、実際にはネットワークノードが単一の図示された構成要素を構成する複数の異なる物理構成要素を含むことができる（例えば、デバイス可読媒体２５８０は複数の個別のハードドライブと、複数のランダムアクセスメモリ（ＲＡＭ）モジュールとを含むことができる）。
【０１１６】
同様に、ネットワークノード２５６０は複数の物理的に別個の構成要素（例えば、ノードＢ構成要素およびＲＮＣ構成要素、またはＢＴＳ構成要素およびＢＳＣ構成要素など）から構成されてもよく、それらはそれぞれ、それら自体のそれぞれの構成要素を有する可能性がある。ネットワークノード２５６０が複数の別個の構成要素（例えば、ＢＴＳおよびＢＳＣ構成要素）を備える特定のシナリオでは、別個の構成要素のうちの１つまたは複数がいくつかのネットワークノード間で共有され得る。例えば、単一のＲＮＣは、複数のノードＢを制御することができる。このようなシナリオでは、それぞれの一意のノードＢとＲＮＣのペアが場合によっては単一の個別のネットワークノードと見なされることがある。いくつかの実施形態では、ネットワークノード２５６０が複数の無線アクセス技術（ＲＡＴ）をサポートするように構成され得る。そのような実施形態ではいくつかの構成要素が複製されてもよく（例えば、異なるＲＡＴのための別個のデバイス可読媒体２５８０）、いくつかの構成要素は再使用されてもよい（例えば、同じアンテナ２５６２はＲＡＴによって共有されてもよい）。ネットワークノード２５６０はまた、例えば、ＧＳＭ、ＷＣＤＭＡ（広帯域符号分割多重アクセス）、ＬＴＥ、ＮＲ、ＷｉＦｉ（登録商標）、またはＢｌｕｅｔｏｏｔｈ無線技術のような、ネットワークノード２５６０に統合された異なる無線技術のための様々な例示された。これらの無線技術は、ネットワークノード２５６０内の同じまたは異なるチップまたはチップの設定および他の構成要素に統合され得る。
【０１１７】
処理回路２５７０は、ネットワークノードによって提供されるものとして本明細書で説明される任意の決定、計算、または類似の動作（例えば、特定の取得動作）を実行するように構成される。処理回路２５７０によって実行されるこれらの動作は例えば、取得された情報を他の情報に変換すること、取得された情報または変換された情報をネットワークノードに格納された情報と比較すること、および／または取得された情報または変換された情報に基づいて１つまたは複数の動作を実行すること、および前記処理の結果として判定を行うことによって、処理回路２５７０によって取得された情報を処理することを含み得る。
【０１１８】
処理回路２５７０は、マイクロプロセッサ、コントローラ、マイクロコントローラ、中央処理ユニット（ＣＰＵ）、デジタル信号プロセッサ（ＤＳＰ）、特定用途向け集積回路（ＡＳＩＣ）、フィールド・プログラマブル・ゲート・アレイ（ＦＰＧＡ）、または任意の他の適切なコンピューティングデバイス、リソース、またはハードウェア、ソフトウェア、および／または符号化ロジックの組合せのうちの１つまたは複数の組合せを備えることができ、これらは、単独で、またはデバイス可読媒体２５８０、ネットワークノード２５６０機能などの他のネットワークノード２５６０構成要素と併せてのいずれかで提供するように動作可能である。例えば、処理回路２５７０は、デバイス可読媒体２５８０または処理回路２５７０内のメモリに格納された命令を実行することができる。そのような機能は、本明細書で説明される各種無線特徴、機能、または利益のいずれかを提供することを含むことができる。一部の実施形態において、処理回路２５７０はシステム・オン・チップ（ＳＯＣ）を含むことができる。
【０１１９】
いくつかの実施形態では、処理回路２５７０は、無線周波数トランシーバ回路２５７２およびベースバンド処理回路２５７４のうちの１つ以上を含んでもよい。いくつかの実施形態では、ＲＦトランシーバ回路２５７２およびベースバンド処理回路２５７４が無線ユニットおよびデジタルユニットなどの、別個のチップ（またはチップの設定）、ボード、またはユニット上にあってもよい。代替実施形態では、ＲＦトランシーバ回路２５７２およびベースバンド処理回路２５７４の一部または全部が同一チップまたはチップ、ボード、またはユニットの設定上にあってもよい。
【０１２０】
いくつかの実施形態ではネットワークノード、基地局、ｅＮＢ、または他のそのようなネットワークデバイスによって提供されるものとして本明細書で説明される機能のいくつかまたはすべてはデバイス可読媒体２５８０または処理回路２５７０内のメモリ上に格納された命令を実行する処理回路２５７０によって実行され得る。代替の実施形態では、機能のいくつかまたはすべてはハードワイヤード方式などで、別個のまたは個別のデバイス可読媒体上に格納された命令を実行することなく、処理回路２５７０によって提供され得る。これらの実施形態のいずれにおいても、デバイス可読記憶媒体上に記憶された命令を実行するか否かにかかわらず、処理回路２５７０は、説明された機能を実行するように構成され得る。そのような機能性によって提供される利点は、処理回路２５７０単独またはネットワークノード２５６０の他の構成要素に限定されず、ネットワークノード２５６０全体によって、および／またはエンドユーザおよび無線ネットワーク全体によって享受される。
【０１２１】
デバイス可能媒体２５８０は、限定されるものではないが、永続的記憶装置、固体メモリ、遠隔マウントされたメモリ、磁気媒体、ＲＡＭ、読取専用メモリ（ＲＯＭ）、大容量記憶媒体（例えば、ハードディスク）、リムーバブル記憶媒体（例えば、フラッシュドライブ、コンパクトディスクまたはデジタルビデオディスク（ＤＶＤ））、および／または処理回路２５７０によって使用され得る情報、データ、および／または命令を格納する他の任意の揮発性または不揮発性、不揮発性、不一時的デバイス読取可能、および／またはコンピュータ実行可能メモリデバイスを含む、任意の形式の揮発性または不揮発性コンピュータ読取可能メモリを含み得る。デバイス可読媒体２５８０は、コンピュータプログラム、ソフトウェア、ロジック、ルール、コード、テーブルなどのうちの１つまたは複数を含むアプリケーション、および／または処理回路２５７０によって実行され、ネットワークノード２５６０によって利用されることが可能な他の命令を含む、任意の適切な命令、データ、または情報を格納することができる。デバイス可読媒体２５８０は、処理回路２５７０によって行われた任意の計算、および／またはインターフェース２５９０を介して受信された任意のデータを格納するために使用され得る。いくつかの実施形態では、処理回路２５７０およびデバイス読み取り可能媒体２５８０が集積されていると考えられてもよい。
【０１２２】
インターフェース２５９０は、ネットワークノード２５６０、ネットワーク２５０６、および／またはＷＤ２５１０間の信号および／またはデータの有線または無線通信に使用される。図示のように、インターフェース２５９０は、例えば有線接続を介してネットワーク２５０６との間でデータを送受信するためのポート／端子２５９４を備える。インターフェース２５９０はまた、アンテナ２５６２の一部に結合され得る、または特定の実施形態では無線フロントエンド回路２５９２を含む。無線フロントエンド回路２５９２は、フィルタ２５９８および増幅器２５９６を含む。無線フロントエンド回路２５９２は、アンテナ２５６２および処理回路２５７０に接続されてもよい。無線フロントエンド回路は、アンテナ２５６２と処理回路２５７０との間で通信される信号を条件付けるように構成されてもよい。無線フロントエンド回路２５９２は、無線接続を介して他のネットワークノードまたはＷＤに送出されるデジタルデータを受信することができる。無線フロントエンド回路２５９２は、フィルタ２５９８および／または増幅器２５９６の組合せを使用して、デジタルデータを適切なチャネルおよび帯域幅パラメータを有する無線信号に変換することができる。次いで、無線信号は、アンテナ２５６２を介して送信されてもよい。同様に、データを受信する場合、アンテナ２５６２は無線信号を収集し、次いで、無線フロントエンド回路２５９２によってデジタルデータに変換されてもよい。デジタルデータは、処理回路２５７０に渡されてもよい。他の実施形態では、インターフェースが異なる構成要素および／または構成要素の異なる組合せを含むことができる。
【０１２３】
特定の代替実施形態では、ネットワークノード２５６０が別個の無線フロントエンド回路２５９２を含んでもよく、代わりに、処理回路２５７０は無線フロントエンド回路を含んでもよく、別個の無線フロントエンド回路２５９２を伴わずに、アンテナ２５６２に接続されてもよい。同様に、いくつかの実施形態では、ＲＦトランシーバ回路２５７２のすべてまたは一部がインターフェース２５９０の一部とみなされてもよい。さらに他の実施形態ではインターフェース２５９０が無線ユニット（図示せず）の一部として、１つまたは複数のポートまたは端子２５９４、無線フロントエンド回路２５９２、およびＲＦトランシーバ回路２５７２を含むことができ、インターフェース２５９０はデジタルユニット（図示せず）の一部であるベースバンド処理回路２５７４と通信することができる。
【０１２４】
アンテナ２５６２は、無線信号を送信および／または受信するように構成された１つまたは複数のアンテナ、またはアンテナアレイを含み得る。アンテナ２５６２は無線フロントエンド回路２５９２に結合することができ、データおよび／または信号を無線で送受信することができる任意のタイプのアンテナとすることができる。いくつかの実施形態では、アンテナ２５６２が例えば、２ギガヘルツ（ＧＨｚ）と６６ＧＨｚとの間で無線信号を送信／受信するように動作可能な１つまたは複数の全方向性アンテナ、セクタアンテナ、またはパネルアンテナを備えることができる。無指向性アンテナは任意の方向に無線信号を送信／受信するために使用されてもよく、セクタアンテナは特定のエリア内のデバイスから無線信号を送信／受信するために使用されてもよく、パネルアンテナは比較的直線で無線信号を送信／受信するために使用される見通し線（line of sight）アンテナであってもよい。いくつかの例では、２つ以上のアンテナの使用が多入力多出力（ＭＩＭＯ）と呼ばれ得る。いくつかの実施形態では、アンテナ２５６２がネットワークノード２５６０とは別個であってもよく、インターフェースまたはポートを介してネットワークノード２５６０に接続可能であってもよい。
【０１２５】
アンテナ２５６２、インターフェース２５９０、および／または処理回路２５７０は、ネットワークノードによって実行されるものとして本明細書で説明される任意の受信動作および／または特定の取得動作を実行するように構成され得る。任意の情報、データ、および／または信号は、無線デバイス、別のネットワークノード、および／または任意の他のネットワーク機器から受信され得る。同様に、アンテナ２５６２、インターフェース２５９０、および／または処理回路２５７０は、ネットワークノードによって実行されるものとして、本明細書に記載される任意の送信動作を実行するように構成されてもよい。任意の情報、データ、および／または信号は、無線デバイス、別のネットワークノード、および／または任意の他のネットワーク機器に送信され得る。
【０１２６】
電力回路２５８７は、電力管理回路を備えてもよく、または電力管理回路に結合されてもよく、本明細書に記載される機能を実行するための電力をネットワークノード２５６０の構成要素に供給するように構成される。電力回路２５８７は、電源２５８６から電力を受け取ってもよい。電源２５８６および／または電力回路２５８７はそれぞれの構成要素に適した形式でネットワークノード２５６０の様々な構成要素に電源を提供するように構成されてもよい（例えば、各構成要素に必要な圧及び現在のレベルで）。電源２５８６は、電力回路２５８７および／またはネットワークノード２５６０に含まれるか、または外部から構成されてもよい。例えば、ネットワークノード２５６０は電気ケーブルなどの入力回路またはインターフェースを介して、外部電源（例えば、電気コンセント）に接続可能であってもよく、それによって、外部電源は、電力回路２５８７に電力を供給する。さらなる例として、電源２５８６は、電力回路２５８７に接続される、または集積される、バッテリまたはバッテリパックの形態の電源を含んでもよい。バッテリは、外部電源が故障した場合にバックアップ電力を供給することができる。光起電装置のような他のタイプの電源も使用することができる。
【０１２７】
ネットワークノード２５６０の代替的な実施形態は、本明細書で説明される機能性のいずれか、および／または本明細書で説明される主題をサポートするために必要な任意の機能性を含む、ネットワークノードの機能性のある態様を提供する責任を負うことができる、図２５に示されるものを超える追加の構成要素を含むことができる。例えば、ネットワークノード２５６０はネットワークノード２５６０への情報の入力を可能にし、ネットワークノード２５６０からの情報の出力を可能にするユーザインターフェース装置を含むことができる。これにより、ユーザは、ネットワークノード２５６０の診断、保守、修理、および他の管理機能を実行することができる。
【０１２８】
本明細書で使用されるように、ＷＤは、ネットワークノードおよび／または他の無線デバイスと無線に通信することができる、構成される、配置される、および／または動作可能なデバイスを指す。特に断らない限り、用語ＷＤは、本明細書ではＵＥと互換的に使用され得る。無線通信は、電磁波、電波、赤外線、および／またはエアを介して情報を伝達するのに適した他のタイプの信号を使用して、無線信号を送信および／または受信することを伴ってもよい。いくつかの実施形態では、ＷＤが直接的な人間の対話なしに情報を送信および／または受信するように構成され得る。例えば、ＷＤは内部イベントまたは外部イベントによってトリガされたとき、またはネットワークからの要求に応答して、所定のスケジュールでネットワークに情報を送信するように設計され得る。ＷＤの例としてはスマートフォン、携帯電話、ボイスオーバーＩＰ電話、無線ローカルループ電話、デスクトップコンピュータ、パーソナルデジタルアシスタント（ＰＤＡ）、無線カメラ、ゲームコンソールまたはデバイス、音楽ストレージデバイス、再生アプライアンス、ウェアラブル端末デバイス、無線エンドポイント、移動局、タブレット、ラップトップ、ラップトップ組み込み機器（ＬＥＥ）、ラップトップ搭載機器（ＬＭＥ）、スマートデバイス、無線カスタマープレミス機器（ＣＰＥ）、車載無線端末機器等があるが、これらに限定されない。ＷＤは例えば、サイドリンク通信、車車間（Ｖ２Ｖ）、車間インフラストラクチャ（Ｖ２Ｉ）、車間（Ｖ２Ｘ）のための３ＧＰＰ標準を実装することによって、デバイス間（Ｄ２Ｄ）通信をサポートすることができ、この場合、Ｄ２Ｄ通信デバイスと呼ばれることがある。さらに別の特定の例として、ＩｏＴ（Internet of Things（モノのインターネット））シナリオでは、ＷＤが監視および／または測定を実行し、そのような監視および／または測定の結果を別のＷＤおよび／またはネットワークノードに送信する機械または他のデバイスを表すことができる。この場合、ＷＤはマシン・ツー・マシン（Ｍ２Ｍ）デバイスとすることができ、３ＧＰＰ文脈では、マシンタイプ通信（ＭＴＣ）デバイスと呼ばれることができる。１つの特定の例として、ＷＤは、３ＧＰＰ Ｎａｒｒｏｗｂａｎｄ ＩｏＴ（ＮＢ−ＩｏＴ）標準規格を実装するＵＥであり得る。そのような機械または装置の特定の例はセンサ、電力計、産業機械、家庭用または個人用機器（例えば、冷蔵庫、テレビなど）などの計量装置、または個人用ウェアラブル（例えば、時計、フィットネストラッカなど）である。他のシナリオでは、ＷＤがその動作状態またはその動作に関連する他の機能を監視および／または報告することができる車両または他の機器を表すことができる。上述のＷＤはワイヤレス接続のエンドポイントを表すことができ、この場合、装置は、ワイヤレス端末と呼ばれることができる。さらに、上述したようなＷＤは、モバイルであってもよく、その場合、モバイルデバイスまたはモバイル端末とも呼ばれてもよい。
【０１２９】
図示のように、無線デバイス２５１０は、アンテナ２５１１、インターフェース２５１４、処理回路２５２０、機器読み取り可能媒体２５３０、ユーザインターフェース機器２５３２、補助装置２５３４、電源２５３６、および電力回路２５３７を含む。ＷＤ ２５１０はほんの数例を挙げると、例えば、ＧＳＭ、ＷＣＤＭＡ、ＬＴＥ、ＮＲ、ＷｉＦｉ、ＷｉＭａｘ、またはＢｌｕｅｔｏｏｔｈ無線技術など、ＷＤ ２５１０によってサポートされる異なる無線技術のための例示された構成要素のうちの１つまたは複数の複数のセットを含み得る。これらの無線技術は、ＷＤ ２５１０内の他のコンポーネントと同じまたは異なるチップまたはチップの設定に統合され得る。
【０１３０】
アンテナ２５１１は、無線信号を送信および／または受信するように構成された１つまたは複数のアンテナまたはアンテナアレイを含むことができ、インターフェース２５１４に接続される。特定の代替実施形態では、アンテナ２５１１がＷＤ ２５１０とは別個であってもよく、インターフェースまたはポートを介してＷＤ ２５１０に接続可能であってもよい。アンテナ２５１１、インターフェース２５１４、および／または処理回路２５２０は、ＷＤによって実行されるものとして、本明細書に記載される任意の受信または送信動作を実行するように構成されてもよい。任意の情報、データ、および／または信号が、ネットワークノードおよび／または別のＷＤから受信され得る。いくつかの実施形態では、無線フロントエンド回路および／またはアンテナ２５１１がインターフェースとみなされてもよい。
【０１３１】
図示されるように、インターフェース２５１４は、無線フロントエンド回路２５１２およびアンテナ２５１１を備える。無線フロントエンド回路２５１２は、１つまたは複数のフィルタ２５１８および増幅器２５１６を備える。無線フロントエンド回路２５１２は、アンテナ２５１１および処理回路２５２０に接続され、アンテナ２５１１と処理回路２５２０との間で通信される信号を調整するように構成される。無線フロントエンド回路２５１２は、アンテナ２５１１に結合されてもよく、またはその一部であってもよい。一部の実施形態ではＷＤ２５１０が別個の無線フロントエンド回路２５１２を含まなくてもよく、むしろ、処理回路２５２０は無線フロントエンド回路を含んでもよく、アンテナ２５１１に接続されてもよい。同様に、いくつかの実施形態では、ＲＦトランシーバ回路２５２２の一部または全部がインターフェース２５１４の一部とみなされてもよい。無線フロントエンド回路２５１２は、無線接続を介して他のネットワークノードまたはＷＤに送出されるデジタルデータを受信することができる。無線フロントエンド回路２５１２は、フィルタ２５１８および／または増幅器２５１６の組合せを使用して、デジタルデータを適切なチャネルおよび帯域幅パラメータを有する無線信号に変換することができる。次いで、無線信号は、アンテナ２５１１を介して送信されてもよい。同様に、データを受信する場合、アンテナ２５１１は無線信号を収集し、次いで、無線フロントエンド回路２５１２によってデジタルデータに変換されてもよい。デジタルデータは、処理回路２５２０に渡されてもよい。他の実施形態では、インターフェースが異なる構成要素および／または構成要素の異なる組合せを含むことができる。
【０１３２】
処理回路２５２０はマイクロプロセッサ、コントローラ、マイクロコントローラ、ＣＰＵ、ＤＳＰ、ＡＳＩＣ、ＦＰＧＡ、または任意の他の適切なコンピューティングデバイス、リソース、またはハードウェア、ソフトウェア、および／または符号化ロジックの組合せのうちの１つまたは複数の組合せを備えることができ、これらは、単独で、またはデバイス可読媒体２５３０、ＷＤ２５１０機能性などの他のＷＤ２５１０構成要素と併せてのいずれかで提供するように動作可能である。そのような機能は、本明細書で説明される各種ワイヤレス特徴または利点のいずれかを提供することを含むことができる。例えば、処理回路２５２０は本明細書で開示される機能を提供するために、デバイス可読媒体２５３０または処理回路２５２０内のメモリに格納された命令を実行することができる。
【０１３３】
図示されるように、処理回路２５２０は、ＲＦトランシーバ回路２５２２、ベースバンド処理回路２５２４、およびアプリケーション処理回路２５２６のうちの１つ以上を含む。他の実施形態では、処理回路が異なる構成要素および／または構成要素の異なる組み合わせを含むことができる。特定の実施形態では、ＷＤ２５１０の処理回路２５２０がＳＯＣを備えることができる。いくつかの実施形態ではＲＦトランシーバ回路２５２２、ベースバンド処理回路２５２４、およびアプリケーション処理回路２５２６は別個のチップまたはチップセット上にあってもよい。代替実施形態では、ベースバンド処理回路２５２４およびアプリケーション処理回路２５２６の一部または全部が１つのチップまたはチップの設定に組み合わされてもよく、ＲＦトランシーバ回路２５２２は別個のチップまたはチップの設定上にあってもよい。さらに代替の実施形態ではＲＦトランシーバ回路２５２２およびベースバンド処理回路２５２４の一部または全部が同一チップまたはチップセット上にあってもよく、アプリケーション処理回路２５２６は別個のチップまたはチップセット上にあってもよい。さらに他の代替実施形態では、ＲＦトランシーバ回路２５２２、ベースバンド処理回路２５２４、およびアプリケーション処理回路２５２６の一部または全部が同一チップまたは一組のチップ内で組み合わされてもよい。いくつかの実施形態では、ＲＦトランシーバ回路２５２２がインターフェース２５１４の一部であってもよい。ＲＦトランシーバ回路２５２２は、処理回路２５２０のためのＲＦ信号を条件付けてもよい。
【０１３４】
特定の実施形態では、ＷＤによって実行されるものとして本明細書で説明される機能の一部またはすべては、特定の実施形態ではコンピュータ可読記憶媒体とすることができるデバイス可読媒体２５３０上に記憶された命令を実行する処理回路２５２０によって提供することができる。代替の実施形態では、機能のいくつかまたはすべてはハードワイヤード方式などで、別個のまたは個別のデバイス可読記憶媒体上に記憶された命令を実行することなく、処理回路２５２０によって提供され得る。これらの特定の実施形態のいずれにおいても、デバイス可読記憶媒体上に記憶された命令を実行するか否かにかかわらず、処理回路２５２０は、説明された機能を実行するように構成され得る。そのような機能性によって提供される利点は、処理回路２５２０単独またはＷＤ２５１０の他の構成要素に限定されず、ＷＤ２５１０全体によって、および／またはエンドユーザおよび無線ネットワーク全体によって享受される。
【０１３５】
処理回路２５２０はＷＤによって実行されるものとして本明細書で説明される任意の決定、計算、または類似の動作（例えば、ある取得動作）を実行するように構成され得る。これらの動作は処理回路２５２０によって実行されるように、例えば、取得された情報を他の情報に変換すること、取得された情報または変換された情報をＷＤ２５１０によって記憶された情報と比較すること、および／または取得された情報または変換された情報に基づいて１つまたは複数の動作を実行すること、および前記処理の結果として決定を行うことによって、処理回路２５２０によって取得された情報を処理することを含み得る。
【０１３６】
デバイス可読媒体２５３０は、コンピュータプログラム、ソフトウェア、ロジック、ルール、コード、表などのうちの１つまたは複数を含むアプリケーション、および／または処理回路２５２０によって実行されることが可能な他の命令を格納するように動作可能であり得る。デバイス可読媒体２５３０はコンピュータメモリ（例えば、ＲＡＭまたはＲＯＭ）、大容量記憶媒体（例えば、ハードディスク）、リムーバブル記憶媒体（例えば、ＣＤまたはＤＶＤ）、および／または、処理回路２５２０によって使用され得る情報、データ、および／または命令を記憶する任意の他の揮発性または不揮発性の不揮発性デバイス可読および／またはコンピュータ実行可能メモリ装置を含み得る。いくつかの実施形態では、処理回路２５２０およびデバイス可読媒体２５３０が集積されていると考えられてもよい。
【０１３７】
ユーザインターフェース機器２５３２は、人間のユーザがＷＤ２５１０と対話することを可能にするコンポーネントを提供することができる。このような相互作用は、視覚的、聴覚的、触覚的などの多くの形態であり得る。ユーザインターフェース機器２５３２はユーザに出力を生成し、ユーザがＷＤ２５１０に入力を提供することを可能にするように動作可能であり得る。対話のタイプは、ＷＤ２５１０にインストールされたユーザインターフェース機器２５３２のタイプに応じて変わり得る。例えば、ＷＤ２５１０がスマートフォンである場合、相互作用はタッチスクリーンを介して行われてもよく、ＷＤ２５１０がスマートメータである場合、相互作用は使用量（例えば、使用されるガロン数）を提供するスクリーン、または可聴警報（例えば、煙が検出される場合）を提供するスピーカを介して行われてもよい。ユーザインターフェース機器２５３２は、入力インターフェース、装置及び回路、ならびに出力インターフェース、装置及び回路を含み得る。ユーザインターフェース機器２５３２は、ＷＤ２５１０への情報の入力を可能にするように構成され、処理回路２５２０に接続されて、処理回路２５２０が入力情報を処理することを可能にする。ユーザインターフェース機器２５３２は例えば、マイクロフォン、近接または他のセンサ、キー／ボタン、タッチディスプレイ、１つまたは複数のカメラ、ユニバーサルシリアルバス（ＵＳＢ）ポート、または他の入力回路を含むことができる。ユーザインターフェース機器２５３２はまた、ＷＤ２５１０からの情報の出力を可能にし、処理回路２５２０がＷＤ２５１０から情報を出力することを可能にするように構成される。ユーザインターフェース機器２５３２は例えば、スピーカ、ディスプレイ、振動回路、ＵＳＢポート、ヘッドホンインターフェース、または他の出力回路を含み得る。ユーザインターフェース機器２５３２の１つまたは複数の入出力インターフェース、デバイス、および回路を使用して、ＷＤ２５１０はエンドユーザおよび／または無線ネットワークと通信することができ、本明細書で説明する機能性からの利益をエンドユーザおよび／または無線ネットワークに与えることができる。
【０１３８】
補助装置２５３４は、ＷＤによって一般に実行されない可能性があるより具体的な機能を提供するように動作可能である。これは、様々な目的のために測定を行うための専用センサ、有線通信などの追加のタイプの通信のためのインターフェースを含むことができる。補助装置２５３４の構成要素の含有及び種類は、実施例および／またはシナリオに応じて変わり得る。
【０１３９】
電源２５３６は、一部の実施形態ではバッテリまたはバッテリパックの形態であってもよい。外部電源（例えば、電気コンセント）、光起電力デバイス、またはパワーセルなどの他のタイプの電源も使用することができる。ＷＤ２５１０はさらに、電源２５３６からの電力を、電源２５３６からの電力を必要とするＷＤ２５１０の様々な部分に送り、本明細書に記載または示される任意の機能を実行するための電力回路２５３７を含んでもよい。電力回路２５３７は、特定の実施形態では電力管理回路を備えてもよい。電力回路２５３７は追加的または代替的に、外部電源から電力を受け取るように動作可能であってもよく、その場合、ＷＤ２５１０は、入力回路または電力ケーブルなどのインターフェースを介して、外部電源（電気コンセントなど）に接続可能であってもよい。また、特定の実施形態において、電力回路２５３７は、外部電源から電源２５３６に電力を送達するように動作可能であってもよい。これは、例えば、電源２５３６の充電のためであってもよい。電力回路２５３７は電力が供給されるＷＤ２５１０のそれぞれの構成要素に適した電力にするために、電源２５３６からの電力に対して、任意のフォーマット、変換、または他の修正を実行することができる。
【０１４０】
図２６は、本明細書で説明される様々な態様によるＵＥの一実施形態を示す。本明細書で使用されるように、ユーザ装置またはＵＥは、必ずしも、関連するデバイスを所有し、および／または操作する人間のユーザという意味でユーザを有するとは限らない。代わりに、ＵＥは人間のユーザへの販売または人間のユーザによる操作が意図されているが、最初は特定の人間のユーザ（例えば、スマートスプリンクラコントローラ）に関連付けられていてもいなくてもよく、または関連付けられていなくてもよいデバイスを表してもよい。あるいはUEがエンドユーザへの販売またはエンドユーザによる操作を意図されていないが、ユーザ（例えば、スマート電力メータ）のために関連付けられるか、または操作され得るデバイスを表し得る。ＵＥ２６００は、ＮＢ−ＩｏＴ ＵＥ、ＭＴＣ ＵＥ、および／または拡張ＭＴＣ(ｅＭＴＣ)ＵＥを含む、３ＧＰＰによって識別される任意のＵＥであり得る。ＵＥ２６００は、図２６に示されるように、３ＧＰＰのＧＳＭ、ＵＭＴＳ、ＬＴＥ、および／または５Ｇ標準規格のような、３ＧＰＰによって公布される１つまたは複数の通信標準規格に従って通信するように構成されたＷＤの一例である。前述のように、用語ＷＤおよびＵＥは、互換的に使用され得る。したがって、図２６はＵＥであるが、本明細書で説明される構成要素はＷＤに等しく適用可能であり、その逆もまた同様である。
【０１４１】
図２６では、ＵＥ２６００が入力／出力インターフェース２６０５、ＲＦインターフェース２６０９、ネットワーク接続インターフェース２６１１、ＲＡＭ２６１７、ＲＯＭ２６１９、および記憶媒体２６２１などを含むメモリ２６１５、通信サブシステム２６３１、電源２６１３、および／または任意の他の構成要素、またはそれらの任意の組合せに動作可能に結合された処理回路２６０１を含む。記憶媒体２６２１は、オペレーティングシステム２６２３、アプリケーションプログラム２６２５、およびデータ２６２７を含む。他の実施形態では、記憶媒体２６２１が他の同様のタイプの情報を含むことができる。いくつかのＵＥは、図２６に示される構成要素のすべて、または構成要素のサブセットのみを利用し得る。コンポーネント間の統合のレベルは、１つのＵＥから別のＵＥへと変化し得る。さらに、いくつかのＵＥは、複数のプロセッサ、メモリ、トランシーバ、送信機、受信機など、コンポーネントの複数のインスタンスを含み得る。
【０１４２】
図２６では、処理回路２６０１がコンピュータ命令およびデータを処理するように構成されてもよい。処理回路２６０１は１つまたは複数のハードウェア実装状態機械（例えば、個別論理、ＦＰＧＡ、ＡＳＩＣなど）、適切なファームウェアとともにプログラマブル論理、適切なソフトウェアとともに１つまたは複数の格納プログラム、マイクロプロセッサまたはＤＳＰなどの汎用プロセッサ、または上記の任意の組合せなど、機械可読コンピュータプログラムとしてメモリに格納された機械命令を実行するように動作する任意の順次状態機械を実装するように構成され得る。例えば、処理回路２６０１は、２つのＣＰＵを含むことができる。データは、コンピュータによる使用に適した形式の情報であってもよい。
【０１４３】
図示された実施形態では、入力／出力インターフェース２６０５が入力デバイス、出力装置、または入力および出力装置への通信インターフェースを提供するように構成され得る。ＵＥ２６００は、入力／出力インターフェース２６０５を介して出力デバイスを使用するように構成され得る。出力デバイスは、入力デバイスと同じタイプのインタフェースポートを使用することができる。例えば、ＵＳＢポートを使用して、ＵＥ２６００との間で入力および出力を行うことができる。出力デバイスは、スピーカ、サウンドカード、ビデオカード、ディスプレイ、モニタ、プリンタ、アクチュエータ、エミッタ、スマートカード、他の出力デバイス、またはそれらの任意の組み合わせであり得る。ＵＥ２６００はユーザがＵＥ２６００に情報をキャプチャすることを可能にするために、入力／出力インターフェース２６０５を介して入力デバイスを使用するように構成され得る。入力デバイスはタッチセンシティブまたはプレゼンスセンシティブディスプレイ、カメラ（例えば、デジタルカメラ、デジタルビデオカメラ、ウェブカメラなど）、マイクロフォン、センサ、マウス、トラックボール、方向パッド、トラックパッド、スクロールホイール、スマートカードなどを含むことができる。プレゼンスセンシティブディスプレイは、ユーザからの入力を感知するための容量性または抵抗性タッチセンサを含むことができる。センサは例えば、加速度計、ジャイロスコープ、傾斜センサ、力センサ、磁力計、光学センサ、近接センサ、別の同様のセンサ、またはそれらの任意の組合せとすることができる。例えば、入力装置は、加速度計、磁力計、デジタルカメラ、マイクロフォン、および光センサであってもよい。
【０１４４】
図２６では、ＲＦインターフェース２６０９が送信機、受信機、およびアンテナなどのＲＦ構成要素に通信インターフェースを提供するように構成されてもよい。ネットワーク接続インターフェース２６１１は、ネットワーク２６４３Ａへの通信インターフェースを提供するように構成され得る。ネットワーク２６４３Ａは、ＬＡＮ、ＷＡＮ、コンピュータネットワーク、無線ネットワーク、電気通信ネットワーク、別の同様のネットワーク、またはそれらの任意の組合せなどの有線および／または無線ネットワークを包含することができる。例えば、ネットワーク２６４３Ａは、Ｗｉ-Ｆｉネットワークを構成することができる。ネットワーク接続インターフェース２６１１は、イーサネット、ＴＣＰ（Transmission Control Protocol）／ＩＰ、ＳＯＮＥＴ（Synchronous Optical Networking）、ＡＴＭ（Asynchronous Transfer Mode）などの１つ以上の通信プロトコルに従って、通信ネットワークを介して１つ以上の他のデバイスと通信するために使用される受信機および送信機インターフェースを含むように構成することができる。ネットワーク接続インターフェース２６１１は通信ネットワークリンク（例えば、光、電気など）に適切な受信機および送信機機能を実装し得る。送信機機能および受信機機能は回路構成要素、ソフトウェア、またはファームウェアを共有することができ、あるいは、別々に実装することができる。
【０１４５】
ＲＡＭ２６１７は、オペレーティングシステム、アプリケーションプログラム、およびデバイスドライバなどのソフトウェアプログラムの実行中にデータまたはコンピュータ命令の記憶またはキャッシュを提供するために、バス２６０２を介して処理回路２６０１にインターフェースするように構成することができる。ＲＯＭ２６１９は、コンピュータ命令またはデータを処理回路２６０１に提供するように構成することができる。例えば、ＲＯＭ２６１９は、不揮発性メモリに記憶されたキーボードからの基本的な入出力、スタートアップ、またはキーストロークの受信のような基本的なシステム機能のための不変な低レベルのシステムコードまたはデータを記憶するように構成されてもよい。記憶媒体２６２１は、ＲＡＭ、ＲＯＭ、ＰＲＯＭ（Programmable ROM）、ＥＰＲＯＭ（Erasable PROM）、ＥＥＰＲＯＭ（Electrically EPROM）、磁気ディスク、光ディスク、フロッピーディスク、ハードディスク、リムーバブルカートリッジ、またはフラッシュドライブなどのメモリを含むように構成することができる。一例では、記憶媒体２６２１がオペレーティングシステム２６２３、ウェブブラウザアプリケーション、ウィジェットまたはガジェットエンジンまたは別のアプリケーションなどのアプリケーションプログラム２６２５、およびデータ・ファイル２６２７を含むように構成することができる。記憶媒体２６２１はＵＥ ２６００によって使用するために、様々なオペレーティングシステムのうちの任意のもの、またはオペレーティングシステムの組合せを記憶することができる。
【０１４６】
記憶媒体２６２１は、独立ディスク冗長アレイ（ＲＡＩＤ）、フロッピー（登録商標）ディスクドライブ、フラッシュメモリ、ＵＳＢフラッシュドライブ、外部ハードディスクドライブ、サムドライブ、ペンドライブ、キードライブ、高密度ＤＶＤ(ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ミニデュアルインラインメモリモジュール（ＤＩＭＭ）、同期ダイナミックＲＡＭ(ＳＤＲＡＭ)、外部マイクロＤＩＭＭ ＳＤＲＡＭ、加入者識別モジュールまたはリムーバブルユーザ識別モジュール（ＳＩＭ/ＲＵＩＭ）などのスマートカードメモリ、他のメモリ、またはそれらの任意の組合せなどの、いくつかの物理駆動部含むように構成され得る。記憶媒体２６２１はＵＥ ２６００が一時的または非一時的記憶媒体に記憶されたコンピュータ実行可能命令、アプリケーションプログラム等にアクセスし、データをオフロードし、またはデータをアップロードすることを可能にし得る。通信システムを利用するものなどの製造品は、デバイス可読媒体を備えることができる記憶媒体２６２１内に有形に具現化することができる。
【０１４７】
図２６では、処理回路２６０１が通信サブシステム２６３１を使用してネットワーク２６４３Ｂと通信するように構成することができる。ネットワーク２６４３Ａおよびネットワーク２６４３Ｂは、同じネットワークまたはネットワーク、または異なるネットワークまたはネットワークであってもよい。通信サブシステム２６３１は、ネットワーク２６４３Ｂと通信するために使用される１つまたは複数の送受信機を含むように構成され得る。例えば、通信サブシステム２６３１は、ＩＥＥＥ ８０２．２４、符号分割多元接続（ＣＤＭＡ）、ＷＣＤＭＡ、ＧＳＭ、ＬＴＥ、ＵＴＲＡＮ（Universal Terrestrial Radio Access Network）、ＷｉＭａｘなどの１つまたは複数の通信プロトコルに従って、別のＷＤ、ＵＥ、またはＲＡＮの基地局などの無線通信が可能な別のデバイスの１つまたは複数のリモート送受信機と通信するために使用される１つまたは複数の送受信機を含むように構成され得る。各トランシーバはＲＡＮリンク（例えば、周波数割り当てなど）に適切な送信機または受信機機能をそれぞれ実装するために、送信機２６３３および／または受信機２６３５を含んでもよい。さらに、各トランシーバの送信機２６３３および受信機２６３５は回路構成要素、ソフトウェア、またはファームウェアを共有してもよく、あるいは別々に実装されてもよい。
【０１４８】
図示の実施形態では、通信サブシステム２６３１の通信機能がデータ通信、音声通信、マルチメディア通信、Ｂｌｕｅｔｏｏｔｈなどの短距離通信、近距離通信、位置を決定するための全地球測位システム（ＧＰＳ）の使用などの位置ベース通信、別の同様の通信機能、またはそれらの任意の組合せを含むことができる。例えば、通信サブシステム２６３１は、セルラ通信、ＷｉＦｉ通信、Ｂｌｕｅｔｏｏｔｈ通信、およびＧＰＳ通信を含むことができる。ネットワーク２６４３Ｂは、有線および／または無線ネットワーク、例えばＬＡＮ、ＷＡＮ、コンピュータネットワーク、無線ネットワーク、電気通信ネットワーク、他の同様のネットワーク、またはこれらの任意の組合せを含むことができる。例えば、ネットワーク２６４３Ｂは、セルラネットワーク、ＷｉＦｉネットワーク、および／または近距離無線ネットワークであってもよい。電源２６１３は、ＵＥ２６００の構成要素に交流（ＡＣ）又は直流（ＤＣ）電力を供給するように構成することができる。
【０１４９】
本明細書で説明される特徴、利点、および／または機能は、ＵＥ２６００の構成要素のうちの１つにおいて実装され得るか、またはＵＥ２６００の複数の構成要素にわたって区分され得る。さらに、本明細書で説明される特徴、利点、および／または機能は、ハードウェア、ソフトウェア、またはファームウェアの任意の組合せで実装され得る。一例では、通信サブシステム２６３１が本明細書で説明される構成要素のいずれかを含むように構成され得る。さらに、処理回路２６０１は、バス２６０２を介してそのような構成要素のいずれかと通信するように構成されてもよい。別の例では、そのような構成要素のいずれも、処理回路２６０１によって実行されるときに本明細書で説明される対応する機能を実行する、メモリに格納されたプログラム命令によって表され得る。別の実施例では、そのような構成要素のいずれかの機能が処理回路２６０１と通信サブシステム２６３１との間で区分され得る。別の例ではそのような構成要素のいずれかの計算集約的でない機能がソフトウェアまたはファームウェアで実装されてもよく、計算集約的な機能はハードウェアで実装されてもよい。
【０１５０】
図２７は、いくつかの実施形態によって実装される機能を仮想化することができる仮想化環境２７００を示す概略ブロック図である。本文脈では、仮想化手段がハードウェアプラットフォーム、記憶装置、およびネットワーク資源を仮想化することを含み得る装置または装置の仮想版を生成する。本明細書で使用されるように、仮想化はノード（例えば、仮想化された基地局または仮想化された無線アクセスノード）またはデバイス（例えば、ＵＥ、無線デバイス、または任意の他のタイプの通信デバイス）またはそれらの構成要素に適用されることができ、機能の少なくとも一部が１つまたは複数の仮想構成要素として（例えば、１つまたは複数のネットワーク内の１つまたは複数の物理処理ノード上で実行される１つまたは複数のアプリケーション、構成要素、機能、仮想マシン、またはコンテナを介して）実装される実装形態に関係する。
【０１５１】
いくつかの実施形態において、本明細書に記載する機能の一部または全部は、１つ以上のハードウェアノード２７３０によってホストされる１つ以上の仮想環境２７００内に実装される１つ以上の仮想マシンによって実行される仮想コンポーネントとして実装することができる。さらに、仮想ノードが無線アクセスノードでないか、または無線接続性を必要としない実施形態（例えば、コアネットワークノード）では、ネットワークノードを完全に仮想化することができる。
【０１５２】
機能は、本明細書で開示される実施形態のいくつかの特徴、機能、および／または利益のいくつかを実装するように動作する１つまたは複数のアプリケーション２７２０（代替として、ソフトウェアインスタンス、仮想アプライアンス、ネットワーク機能、仮想ノード、仮想ネットワーク機能などと呼ばれ得る）によって実装され得る。アプリケーション２７２０は、処理回路２７６０およびメモリ２７９０を備えるハードウェア２７３０を提供する仮想化環境２７００において実行される。メモリ２７９０は処理回路２７６０によって実行可能な命令２７９５を含み、それによって、アプリケーション２７２０は、本明細書で開示される特徴、利点、および／または機能のうちの１つまたは複数を提供するように動作可能である。
【０１５３】
仮想化環境２７００は商用オフザシェルフ（ＣＯＴＳ）プロセッサ、専用ＡＳＩＣ、またはデジタルもしくはアナログハードウェア構成要素もしくは専用プロセッサを含む任意の他のタイプの処理回路であってもよい、１つまたは複数のプロセッサまたは処理回路２７６０のセットを備える汎用または専用ネットワークハードウェアデバイス２７３０を備える。各ハードウェアデバイスは、処理回路２７６０によって実行される命令２７９５またはソフトウェアを一時的に格納するための非永続的メモリであり得るメモリ２７９０−１を備え得る。各ハードウェアデバイスは、物理ネットワークインターフェース２７８０を含むネットワークインタフェースカードとしても知られる、１つ以上のネットワークインターフェースコントローラ２７７０を含むことができる。各ハードウェアデバイスはまた、ソフトウェア２７９５および／または処理回路２７６０によって実行可能な命令を格納した、非一時的な、永続的な、機械可読記憶媒体２７９０−２を含むことができる。ソフトウェア２７９５は、１つ以上の仮想化レイヤ２７５０（ハイパーバイザとも呼ばれる）をインスタンス化するためのソフトウェア、仮想マシン２７４０を実行するためのソフトウェア、および本明細書に記載するいくつかの実施形態に関連して説明される機能、特徴、および／または利点を実行することを可能にするソフトウェアを含む任意のタイプのソフトウェアを含むことができる。
【０１５４】
仮想マシン２７４０は仮想処理、仮想メモリ、仮想ネットワークワーキングまたはインターフェース、および仮想ストレージを含み、対応する仮想化レイヤ２７５０またはハイパーバイザによって実行することができる。仮想アプライアンス２７２０のインスタンスの異なる実施形態は１つまたは複数の仮想マシン２７４０上で実装されてもよく、実装は異なる方法で行われてもよい。
【０１５５】
動作中、処理回路２７６０は、ソフトウェア２７９５を実行して、仮想マシンモニタ（ＶＭＭ）と呼ばれることもあるハイパーバイザまたは仮想化レイヤ２７５０をインスタンス化する。仮想化レイヤ２７５０は、ネットワークハードウェアのように見える仮想オペレーティングプラットフォームを仮想マシン２７４０に提示することができる。
【０１５６】
図２７に示すように、ハードウェア２７３０は、一般的または特定のコンポーネントを有するスタンドアロンネットワークノードであってもよい。ハードウェア２７３０はアンテナ２７２２５を備えることができ、仮想化を介していくつかの機能を実装することができる。あるいは、ハードウェア２７３０が多くのハードウェアノードが共に動作し、特にアプリケーション２７２０のライフサイクル管理を監視する管理および編成（ＭＡＮＯ（Management and Orchestration））２７１００を介して管理される、より大きなハードウェアのクラスタ（例えば、データセンタまたはＣＰＥ内）の一部であってもよい。
【０１５７】
ハードウェアの仮想化は、ネットワーク機能仮想化（ＮＦＶ（Network Function Virtualization）と呼ばれるいくつかの文脈で行われる。ＮＦＶは、多くのネットワーク機器タイプを、データセンター内に配置することができる業界標準の大容量サーバハードウェア、物理スイッチ、および物理ストレージ、ならびにＣＰＥ上に統合するために使用することができる。
【０１５８】
ＮＦＶの文脈では、仮想マシン２７４０があたかも物理的な仮想化されていないマシン上で実行されているかのようにプログラムを実行する物理マシンのソフトウェア実装であってもよい。仮想マシン２７４０の各々、およびその仮想マシンを実行するハードウェア２７３０のその一部はその仮想マシンおよび／またはその仮想マシンによって他の仮想マシン２７４０と共有されるハードウェア専用のハードウェアであり、別個の仮想ネットワーク要素（ＶＮＥ）を形成する。
【０１５９】
なお、ＮＦＶの文脈では、仮想ネットワーク機能（ＶＮＦ（Virtual Network Function））がハードウェアネットワークインフラストラクチャ２７３０上の１つ以上の仮想マシン２７４０で実行され、図２７のアプリケーション２７２０に対応する特定のネットワーク機能を処理する責任がある。
【０１６０】
いくつかの実施形態では、それぞれが１つまたは複数の送信機２７２２０および１つまたは複数の受信機２７２１０を含む１つまたは複数の無線部（無線ユニット）２７２００が１つまたは複数のアンテナ２７２２５に結合され得る。無線部２７２００は１つ以上の適切なネットワークインターフェースを介してハードウェアノード２７３０と直接通信することができ、仮想構成要素と組み合わせて使用して、無線アクセスノードまたは基地局などの無線機能を仮想ノードに提供することができる。
【０１６１】
いくつかの実施形態では、いくつかの信号がハードウェアノード２７３０と無線部２７２００との間の通信のために代替的に使用され得る制御系統２７２３０を使用して達成され得る。
【０１６２】
図２８を参照すると、実施形態に従って、通信システムは、無線アクセスネットワークなどのアクセスネットワーク２８１１を含む３ＧＰＰタイプのセルラネットワークなどの電気通信ネットワーク２８１０と、コアネットワーク２８１４とを含む。アクセスネットワーク２８１１は、ＮＢ、ｅＮＢ、ｇＮＢ、または他のタイプの無線アクセスポイントなどの複数の基地局２８１２Ａ、２８１２Ｂ、２８１２Ｃを備え、それぞれが対応するカバレッジエリア２８１３Ａ、２８１３Ｂ、２８１３Ｃを定義する。各基地局２８１２Ａ、２８１２Ｂ、２８１２Ｃは、有線接続または無線接続２８１５を介してコアネットワーク２８１４に接続可能である。カバレッジエリア２８１３ｃに位置する最初のＵＥ２８９１は、対応する基地局２８１２Ｃと無線で接続されるか、またはポケットベルされるように構成されている。カバレッジエリア２８１３Ａ内の第２のＵＥ２８９２は、対応する基地局２８１２Ａに無線で接続可能である。この例では複数のＵＥ２８９１、２８９２が示されているが、開示された実施形態は単一のＵＥがカバレッジエリア内にある状況、または単一のＵＥが対応する基地局２８１２に接続している状況に等しく適用可能である。
【０１６３】
電気通信ネットワーク２８１０はそれ自体がホストコンピュータ２８３０に接続されており、これは、スタンドアロンサーバ、クラウドに実装されたサーバ、分散サーバ、またはサーバファーム内の処理リソースのハードウェアおよび／またはソフトウェア内で具体化され得る。ホストコンピュータ２８３０はサービスプロバイダの所有権または制御下にあってもよいし、サービスプロバイダによって、またはサービスプロバイダの代わりに操作されてもよい。電気通信ネットワーク２８１０とホストコンピュータ２８３０との間の接続２８２１および２８２２は、コアネットワーク２８１４からホストコンピュータ２８３０まで直接延びてもよく、あるいは任意の中間ネットワーク２８２０を介して延びてもよい。中間ネットワーク２８２０はパブリック、私設、またはホストネットワークのうちの１つ、または複数の組合せであってもよく、中間ネットワーク２８２０はもしあれば、バックボーンネットワークまたはインターネットであってもよく、特に、中間ネットワーク２８２０は、２つ以上のサブネットワーク（図示せず）を含んでもよい。
【０１６４】
全体として図２８の通信システムは、接続性されたＵＥ２８９１、２８９２とホストコンピュータ２８３０との間の接続性を可能にする。接続性は、オーバー・ザ・トップ（ＯＴＴ）接続２８５０として記述されうる。ホストコンピュータ２８３０および接続されたＵＥ２８９１、２８９２は、アクセスネットワーク２８１１、コアネットワーク２８１４、任意の中間ネットワーク２８２０、および可能なさらなるインフラストラクチャ（図示せず）を中継として使用して、ＯＴＴ接続２８５０を介してデータおよび／または信号を通信するように構成される。ＯＴＴ接続２８５０は、ＯＴＴ接続２８５０が通過する参加通信デバイスがアップリンク通信およびダウンリンク通信のルーティングに気付かないという意味で、透過的（トランスペアレント）であり得る。例えば、基地局２８１２は接続されたＵＥ２８９１に転送される（例えば、ハンドオーバされる）ためにホストコンピュータ２８３０から発信されるデータをもつ着信ダウンリンク通信の過去のルーティングについて知らされる必要はない。同様に、基地局２８１２は、ＵＥ２８９１からホストコンピュータ２８３０へ向かう発信アップリンク通信の将来のルーティングを認識する必要はない。
【０１６５】
実施例は上記の実施形態に従い、図２９を参照して、本節で説明したＵＥ、基地局およびホストコンピュータの具体化に従い、通信システム２９００では、ホストコンピュータ２９１０が通信システム２９００の異なる通信装置のインターフェースと有線または無線の接続を設定し維持するように構成された通信インターフェース２９１６を含むハードウェア２９１５を構成する。通信システム２９００では、ホストコンピュータ２９１０が通信システム２９００の異なる通信デバイスのインターフェースとの有線または無線接続をセットアップおよび維持するように構成された通信インターフェース２９１６を含むハードウェア２９１５を備える。ホストコンピュータ２９１０は、記憶および／または処理能力を有することができる処理回路２９１８をさらに備える。具体的には、処理回路２９１８が命令を実行するように適合された１つまたは複数のプログラマブルプロセッサ、ＡＳＩＣ、ＦＰＧＡ、またはこれらの組合せ（図示せず）を備えることができる。ホストコンピュータ２９１０はさらにソフトウェア２９１１を構成し、それがホストコンピュータ２９１０に記憶されるか、アクセス可能であり、処理回路２９１８によって実行可能である。ソフトウェア２９１１は、ホストアプリケーション２９１２を含む。ホストアプリケーション２９１２は、ＵＥ２９３０およびホストコンピュータ２９１０で終端するＯＴＴ接続２９５０を介して接続するＵＥ２９３０などのリモートユーザにサービスを提供するように動作可能であってもよい。リモートユーザにサービスを提供する際に、ホストアプリケーション２９１２は、ＯＴＴ接続２９５０を使用して送信されるユーザデータを提供することができる。
【０１６６】
通信システム２９００はさらに、遠隔通信システム内に設けられ、ホストコンピュータ２９１０およびＵＥ２９３０と通信することを可能にするハードウェア２９２５を含む基地局２９２０を含む。ハードウェア２９２５は、通信システム２９００の異なる通信デバイスのインターフェースとの有線接続または無線接続をセットアップおよび維持するための通信インターフェース２９２６、ならびに基地局２９２０によってサービスされるカバレッジエリア（図２９には示されていない）内に位置するＵＥ２９３０との少なくとも無線接続２９７０をセットアップおよび維持するための無線インターフェース２９２７を含み得る。通信インターフェース２９２６は、ホストコンピュータ２９１０への接続２９６０を容易にするように構成することができる。接続２９６０は直接的であってもよいし、電気通信システムのコアネットワーク（図２９には示されていない）を通過してもよいし、および／または電気通信システムの外部の１つ以上の中間ネットワークを通過してもよい。図示の実施形態では、基地局２９２０のハードウェア２９２５が命令を実行するように適合された１つまたは複数のプログラマブルプロセッサ、ＡＳＩＣ、ＦＰＧＡ、またはこれらの組合せ（図示せず）を備えることができる処理回路２９２８をさらに含む。さらに、基地局２９２０は、内部に記憶されるか、または外部接続を介してアクセス可能なソフトウェア２９２１を有する。
【０１６７】
通信システム２９００は、既に言及したＵＥ２９３０をさらに含む。そのハードウェア２９３５はＵＥ２９３０が現在位置するカバレッジエリアにサービスを提供する基地局との無線接続２９７０をセットアップし、維持するように構成された無線インターフェース２９３７を含み得る。ＵＥ２９３０のハードウェア２９３５は、命令を実行するように適合された１つまたは複数のプログラマブルプロセッサ、ＡＳＩＣ、ＦＰＧＡ、またはこれらの組合せ（図示せず）を備えることができる処理回路２９３８をさらに含む。ＵＥ２９３０はさらにソフトウェア２９３１を構成し、これらはＵＥ２９３０内に記憶されるかアクセス可能であり、また、処理回路２９３８によって実行可能である。ソフトウェア２９３１は、クライアントアプリケーション２９３２を含む。クライアントアプリケーション２９３２は、ホストコンピュータ２９１０のサポートを受けて、ＵＥ２９３０を介して人間または非人間のユーザにサービスを提供するように動作可能である。ホストコンピュータ２９１０において、実行中のホストアプリケーション２９１２は、ＵＥ２９３０およびホストコンピュータ２９１０で終了するＯＴＴ接続２９５０を介して実行中のクライアントアプリケーション２９３２と通信することができる。ユーザにサービスを提供する際に、クライアントアプリケーション２９３２はホストアプリケーション２９１２から要求データを受信し、要求データに応答してユーザデータを提供することができる。ＯＴＴ接続２９５０は、要求データおよびユーザデータの両方を転送することができる。クライアントアプリケーション２９３２は、ユーザと対話して、ユーザが提供するユーザデータを生成することができる。
【０１６８】
図２９に示されるホストコンピュータ２９１０、基地局２９２０、およびＵＥ２９３０は、それぞれ、ホストコンピュータ２８３０、基地局２８１２Ａ、２８１２Ｂ、２８１２Ｃのうちの１つ、および図２８のＵＥ２８９１、２８９２のうちの１つと類似または同一であり得ることに留意されたい。すなわち、これらのエンティティの内部動作は図２９に示されるようなものであってもよく、独立して、周囲のネットワークトポロジは図２８のものであってもよい。
【０１６９】
図２９ではＯＴＴ接続２９５０を抽象的に描いて、基地局２９２０を介したホストコンピュータ２９１０とＵＥ２９３０との間の通信を示すが、任意の中間デバイスおよびこれらのデバイスを介したメッセージの正確なルーティングを明示的に参照することはない。ネットワークインフラストラクチャはルーティングを決定してもよく、ルーティングはＵＥ２９３０から、またはサービスプロバイダオペレーティングホストコンピュータ２９１０から、あるいはその両方から隠すように構成されてもよい。ＯＴＴ接続２９５０がアクティブである間、ネットワークインフラストラクチャは（例えば、負荷分散の考慮またはネットワークの再構成に基づいて）ネットワークインフラストラクチャがルーティングを動的に変更する決定をさらに行うことができる。
【０１７０】
ＵＥ２９３０と基地局２９２０との間の無線接続２９７０は、本開示全体にわたって説明される実施形態の教示に従う。様々な実施形態のうちの１つまたは複数は、無線接続２９７０が最後のセグメントを形成するＯＴＴ接続２９５０を使用して、ＵＥ２９３０に提供されるＯＴＴサービスの性能を改善する。より正確には、これらの実施形態の教示が（低減されたオーバーヘッドを介して）スループットを改善し、それによって改善されたユーザ体験などの利益を提供することができる。
【０１７１】
測定手順は、データ速度、待ち時間、および１つまたは複数の実施形態が改善する他の要因を監視する目的で提供され得る。さらに、測定結果の変動に応答して、ホストコンピュータ２９１０とＵＥ２９３０との間のＯＴＴ接続２９５０を再構成するためのオプションのネットワーク機能があってもよい。ＯＴＴ接続２９５０を再構成するための測定手順および／またはネットワーク機能は、ホストコンピュータ２９１０のソフトウェア２９１１およびハードウェア２９１５、またはソフトウェア２９３１およびＵＥ２９３０のハードウェア２９３５、あるいはその両方で実施することができる。いくつかの実施形態ではセンサ（図示せず）がＯＴＴ接続２９５０が通過する通信デバイス内に、またはそれに関連して配備することができ、センサは上で例示した監視量の値を供給することによって、またはソフトウェア２９１１、２９３１が監視量を計算または推定することができる他の物理量の値を供給することによって、測定手順に関与することができる。ＯＴＴ接続２９５０の再構成はメッセージフォーマット、再送信設定、好ましいルーティングなどを含むことができ、再構成は、基地局２９２０に影響を及ぼす必要はなく、基地局２９２０には知られていないか、または知覚できないことがある。このような手順および機能性は当技術分野で公知であり、実践され得る。特定の実施形態では、測定がホストコンピュータ２９１０のスループット、伝搬時間、待ち時間などの測定を容易にする独自のＵＥシグナリングを含むことができる。測定は、ソフトウェア２９１１および２９３１が伝搬時間、エラーなどを監視しながら、ＯＴＴ接続２９５０を使用して、メッセージ、特に空または「ダミー」メッセージを送信させることによって実施することができる。
【０１７２】
図３０は、一実施形態による、通信システムにおいて実施される方法を示すフローチャートである。通信システムはホストコンピュータと、基地局と、ＵＥとを含み、ＵＥは、図２８および図２９を参照して説明したものとすることができる。本開示を簡単にするために、図３０に対する図面参照のみがこのセクションに含まれる。ステップ３０１０において、ホストコンピュータはユーザデータを提供する。ステップ３０１０のサブステップ３０１１（オプションであってもよい）では、ホストコンピュータがホストアプリケーションを実行することによってユーザデータを提供する。ステップ３０２０において、ホストコンピュータは、ユーザデータをＵＥに搬送する送信を開始する。ステップ３０３０（任意であってもよい）において、基地局は、本開示全体にわたって説明される実施形態の教示に従って、ホストコンピュータが開始した送信において搬送されたユーザデータをＵＥに送信する。ステップ３０４０（オプションであってもよい）において、ＵＥは、ホストコンピュータによって実行されるホストアプリケーションに関連付けられたクライアントアプリケーションを実行する。
【０１７３】
図３１は、一実施形態による、通信システムにおいて実施される方法を示すフローチャートである。通信システムはホストコンピュータと、基地局と、ＵＥとを含み、ＵＥは、図２８および図２９を参照して説明したものとすることができる。本開示を簡単にするために、図３１に対する図面参照のみがこのセクションに含まれる。本方法のステップ３１１０において、ホストコンピュータはユーザデータを提供する。任意のサブステップ（図示せず）において、ホストコンピュータがホストアプリケーションを実行することによってユーザデータを提供する。ステップ３１２０において、ホストコンピュータは、ユーザデータをＵＥに搬送する送信を開始する。送信は、本開示全体にわたって説明される実施形態の教示に従って、基地局を介して渡され得る。ステップ３１３０（任意であってもよい）において、ＵＥは、送信において搬送されるユーザデータを受信する。
【０１７４】
図３２は、一実施形態による、通信システムにおいて実施される方法を示すフローチャートである。通信システムはホストコンピュータと、基地局と、ＵＥとを含み、ＵＥは、図２８および図２９を参照して説明したものとすることができる。本開示を簡単にするために、図３２に対する図面参照のみがこのセクションに含まれる。ステップ３２１０（任意選択であってもよい）において、ＵＥは、ホストコンピュータによって提供された入力データを受信する。さらに、または代替的に、ステップ３２２０で、ＵＥはユーザデータを提供する。ステップ３２２０のサブステップ３２２１（任意選択であってもよい）において、ＵＥは、クライアントアプリケーションを実行することによってユーザデータを提供する。ステップ３２１０のサブステップ３２１１（オプションであってもよい）において、ＵＥは、ホストコンピュータによって提供された受信入力データに応答してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、ＵＥは、サブステップ３２３０において、ユーザデータのホストコンピュータへの送信を開始する。本方法のステップ３２４０において、ホストコンピュータは、本開示全体にわたって説明される実施形態の教示に従って、ＵＥから送信されたユーザデータを受信する。
【０１７５】
図３３は、一実施形態による、通信システムにおいて実施される方法を示すフローチャートである。通信システムはホストコンピュータと、基地局と、ＵＥとを含み、ＵＥは、図２８および図２９を参照して説明したものとすることができる。本開示を簡単にするために、図３３に対する図面参照のみがこのセクションに含まれる。ステップ３３１０（オプションであってもよい）において、本開示全体にわたって説明される実施形態の教示に従って、基地局は、ＵＥからユーザデータを受信する。ステップ３３２０（任意選択でよい）において、基地局は、受信されたユーザデータのホストコンピュータへの送信を開始する。ステップ３３３０（任意であってもよい）において、ホストコンピュータは、基地局によって開始された送信において反動されるユーザデータを受信する。
【０１７６】
本明細書で開示される任意の適切な工程（ステップ）、方法、特徴、機能、または利益は、１つまたは複数の仮想装置の１つまたは複数の機能ユニットまたはモジュールを介して実行され得る。各仮想装置は、いくつかのこれらの機能ユニットを備えることができる。これらの機能ユニットは、１つまたは複数のマイクロプロセッサまたはマイクロコントローラを含むことができる処理回路、ならびにＤＳＰ、専用デジタルロジックを含むことができる他のデジタルハードウェアを介して実装することができる。処理回路は、ＲＯＭ、ＲＡＭ、キャッシュメモリ、フラッシュメモリデバイス、光記憶デバイスなどの１つまたはいくつかのタイプのメモリを含み得る、メモリに格納されたプログラムコードを実行するように構成され得る。メモリに格納されたプログラムコードは、いくつかの実施形態では１つまたは複数の電気通信および／またはデータ通信プロトコルを実行するためのプログラム命令、ならびに本明細書で説明される技法のうちの１つまたは複数を実行するための命令を含む。いくつかの実装形態では、処理回路がそれぞれの機能ユニットに、本開示の１つまたは複数の実施形態による対応する機能を実行させるために使用され得る。
【０１７７】
図３４は、無線ネットワーク（例えば、図２５に示される無線ネットワーク）における装置３４００の概略ブロック図を示す。装置は無線デバイスまたはネットワークノード（例えば、図２５に示される無線デバイス２５１０またはネットワークノード２５６０）において実装され得る。装置３４００は、図１５、図１７、図２１、および／または図２２を参照して説明した例示的な方法、および場合によっては本明細書で開示した任意の他のプロセスまたは方法を実行するように動作可能である。図１５、図１７、図２１、および／または図２２の方法は、必ずしも装置３４００によってのみ実行されるわけではないことも理解されたい。本方法の少なくともいくつかの操作は、１つまたは複数の他のエンティティによって実行することができる。
【０１７８】
仮想装置３４００は、１つまたは複数のマイクロプロセッサまたはマイクロコントローラを含むことができる処理回路、ならびにＤＳＰ、専用デジタル論理などを含むことができる他のデジタルハードウェアを含むことができる。処理回路は、ＲＯＭ、ＲＡＭ、キャッシュメモリ、フラッシュメモリデバイス、光記憶デバイスなどの１つまたはいくつかのタイプのメモリを含み得る、メモリに格納されたプログラムコードを実行するように構成され得る。メモリに格納されたプログラムコードは、いくつかの実施形態では１つまたは複数の電気通信および／またはデータ通信プロトコルを実行するためのプログラム命令、ならびに本明細書で説明される技法のうちの１つまたは複数を実行するための命令を含む。いくつかの実装形態では、装置３４００はネットワークノード７０４であり、処理回路は１つまたは複数のユニット３４０２に、図１５、図１７、図２１、および／または図２２に関して上述したネットワークノード７０４の機能を実行させるために使用され得る。幾つかの他の実装形態では、装置３４００が無線デバイス７０２であり、処理回路は１つ以上のユニットに、図１５、１７、２１、および／または２２に関して上述した無線デバイス７０２の機能を実行させるために使用されてもよい。処理回路は装置３４００の任意の他の適切なユニットに、本開示の１つまたは複数の実施形態による対応する機能を実行させるために使用され得る。
【０１７９】
ユニットという用語は電子機器、電気デバイス、および／または電子デバイスの分野において従来の意味を有することができ、例えば、本明細書で説明されるような、電気および／または電子回路、デバイス、ユニット（部）、プロセッサ、メモリ、論理ソリッドステートおよび／またはディスクリートデバイス、それぞれのタスク、手順、計算、出力、および／または表示機能などを実行するためのコンピュータプログラムまたは命令を含むことができる。
【０１８０】
以下は、本開示のいくつかの非限定的な実施形態の説明である。
【０１８１】
［グループＡの実施形態］
実施形態１：無線通信システムにおいて測定を行うために無線デバイスによって実行される方法であって、チャネル測定およびマルチユーザ（ＭＵ）干渉測定のためにネットワークノードから指標を受信することと、当該指標に従ってチャネル測定およびＭＵ干渉測定を実行することを含む方法。
【０１８２】
実施形態２：実施形態１の方法であって、当該指標は、チャネル測定およびＭＵ干渉測定の両方のためのＮＺＰ ＣＳＩ−ＲＳリソースの（例えば、半静的）指標、チャネル測定のために使用するためのＮＺＰ ＣＳＩ−ＲＳリソースにおける１つ以上の第１ポートの（動的）指標、およびＭＵ干渉測定のために使用するためのＮＺＰ ＣＳＩ−ＲＳリソースにおける１つ以上の第２ポートの明示的または暗示的（例えば、動的）指標のうちの少なくとも１つを含み、当該１つ以上の第１ポートは当該１つ以上の第２ポートと異なる、方法。
【０１８３】
実施形態３：実施形態１の方法であって、当該指標は、異なる数のポートを有する２つ以上のＮＺＰ ＣＳＩ−ＲＳリソースの（例えば、半静的）指標と、チャネル測定のための２つ以上のＮＺＰ ＣＳＩ−ＲＳリソースのうちの１つで使用するための１つ以上の第１のポートの（動的）指標と、ＭＵ干渉測定のための２つ以上のＮＺＰ ＣＳＩ−ＲＳリソースのうちの１つで使用するための１つ以上の第２のポートの明示的または暗示的（例えば、動的）指標のうちの少なくとも１つを含む、方法。
【０１８４】
実施形態４：実施形態１の方法であって、当該指標は、２つ以上のＮＺＰ ＣＳＩ−ＲＳリソースを含むＮＺＰ ＣＳＩ−ＲＳリソースのセットの（例えば、半静的）指標と、チャネル測定のために使用するためのＮＺＰ ＣＳＩ−ＲＳリソースのセットからの第１のＮＺＰ ＣＳＩ−ＲＳリソースの（動的）指標と、ＭＵ干渉測定のために使用するためのＮＺＰ ＣＳＩ−ＲＳリソースのセットからの第２のＮＺＰ ＣＳＩ−ＲＳリソースの明示的または暗示的な（例えば、動的）指標のうちの少なくとも１つを含む、方法。
【０１８５】
実施形態５：実施形態１の方法であって、当該指標は、ＮＺＰ ＣＳＩ−ＲＳリソースの２つ以上のセットの（例えば、半静的）指標と、チャネル測定のために使用するためのＮＺＰ ＣＳＩ−ＲＳリソースの２つ以上のセットのうちの１つからの第１のＮＺＰ ＣＳＩ−ＲＳリソースの（動的）指標と、ＭＵ干渉測定のために使用するためのＮＺＰ ＣＳＩ−ＲＳリソースの２つ以上のセットのうちの１つからの第２のＮＺＰ ＣＳＩ−ＲＳリソースの明示的または暗示的な（例えば、動的）指標のうちの少なくとも１つを含む、方法。
【０１８６】
実施形態６：実施形態１の方法であって、当該指標は、チャネル測定のための２つ以上の第１のセットのＮＺＰ ＣＳＩ−ＲＳリソースの（例えば、半静的）指標、ＭＵ干渉測定のための２つ以上の第２のセットのＮＺＰ ＣＳＩ−ＲＳリソースの（例えば、半静的）指標、チャネル測定のための２つ以上の第１のセットのＮＺＰ ＣＳＩ−ＲＳリソースの１つの（例えば、動的）指標、およびチャネル測定のための２つ以上の第２のセットのＮＺＰ ＣＳＩ−ＲＳリソースの１つの明示的または暗示的（例えば、動的）指標のうちの少なくとも１つを含む、方法。
【０１８７】
実施形態７：実施形態６の方法であって、ＮＺＰ ＣＳＩ−ＲＳリソースの２つ以上の第１のセットは、それぞれ単一のＮＺＰ ＣＳＩ−ＲＳリソースからなる、方法。
【０１８８】
実施形態８：実施形態７の方法であって、ＮＺＰ ＣＳＩ−ＲＳリソースの２つ以上の第２のセットは、それぞれＫ個のＮＺＰ ＣＳＩ−ＲＳリソースからなる、方法。
【０１８９】
実施形態９：実施形態６から８のいずれかの方法であって、チャネル推定のための２つ以上の第１のセットのＮＺＰ ＣＳＩ−ＲＳリソースのうちの１つの指標は、干渉測定のための２つ以上の第２のセットのＮＺＰ ＣＳＩ−ＲＳリソースのうちの１つの指標としても機能する、方法。
【０１９０】
実施形態１０：実施形態１から９のいずれかの方法であって、チャネル測定（値）およびＭＵ干渉測定（値）の結果をネットワークノードに報告することをさらに含む、方法。
【０１９１】
実施形態１１：実施形態１から１０のいずれかの方法であって、ユーザデータを提供することと、ネットワークノードへの送信を介してホストコンピュータにユーザデータを転送することをさらに含む、方法。
【０１９２】
［グループＢの実施形態］
実施形態１２：チャネル測定およびマルチユーザ（ＭＵ）干渉測定を実行するように無線デバイスを指示するためにネットワークノードによって実行される方法であって、チャネル測定およびＭＵ干渉測定のために無線デバイスに指標を提供することを含む方法。
【０１９３】
実施形態１３：実施形態１２の方法であって、当該指標は、チャネル測定およびＭＵ干渉測定の両方のためのＮＺＰ ＣＳＩ−ＲＳリソースの（例えば、半静的）指標、チャネル測定のためにＮＺＰ ＣＳＩ−ＲＳリソース上で使用する１つ以上の第１ポートの（動的）指標、およびＭＵ干渉測定のためにＮＺＰ ＣＳＩ−ＲＳリソース上で使用する１つ以上の第２ポートの明示的または暗示的（例えば、動的）指標のうちの少なくとも１つを含み、当該１つ以上の第１ポートは、当該１つ以上の第２ポートとは異なる、方法。
【０１９４】
実施形態１４：実施形態１２の方法であって、当該指標は、異なる数のポートを有する２つ以上のＮＺＰ ＣＳＩ−ＲＳリソースの（例えば、半静的）指標と、チャネル測定のために２つ以上のＮＺＰ ＣＳＩ−ＲＳリソースのうちの１つで使用するための１つ以上の第１のポートの（動的）指標と、ＭＵ干渉測定のために２つ以上のＮＺＰ ＣＳＩ−ＲＳリソースのうちの１つで使用するための１つ以上の第２のポートの明示的または暗示的（例えば、動的）指標のうちの少なくとも１つを含む、方法。
【０１９５】
実施形態１５：実施形態１２の方法であって、当該指標は、２つ以上のＮＺＰ ＣＳＩ−ＲＳリソースを含むＮＺＰ ＣＳＩ−ＲＳリソースのセットの（例えば、半静的）指標と、チャネル測定のために使用するためのＮＺＰ ＣＳＩ−ＲＳリソースのセットからの第12のＮＺＰ ＣＳＩ−ＲＳリソースの（動的）指標と、ＭＵ干渉測定のために使用するためのＮＺＰ ＣＳＩ−ＲＳリソースのセットからの第２のＮＺＰ ＣＳＩ−ＲＳリソースの明示的または暗示的な（例えば、動的）指標のうちの少なくとも１つを含む、方法。
【０１９６】
実施形態１６：実施形態１２の方法であって、当該指標は、ＮＺＰ ＣＳＩ−ＲＳリソースの２つ以上のセットの（例えば、半静的）指標と、チャネル測定のために使用するためのＮＺＰ ＣＳＩ−ＲＳリソースの２つ以上のセットのうちの１つからの第１のＮＺＰ ＣＳＩ−ＲＳリソースの（動的）指標と、ＭＵ干渉測定のために使用するためのＮＺＰ ＣＳＩ−ＲＳリソースの２つ以上のセットのうちの１つからの第２のＮＺＰ ＣＳＩ−ＲＳリソースの明示的または暗示的な（例えば、動的）指標のうちの少なくとも１つを含む、方法。
【０１９７】
実施形態１７：実施形態１２の方法であって、当該指標は、チャネル測定のための２つ以上の第１のセットのＮＺＰ ＣＳＩ−ＲＳリソースの（例えば、半静的）指標、ＭＵ干渉測定のための２つ以上の第２のセットのＮＺＰ ＣＳＩ−ＲＳリソースの（例えば、半静的）指標、チャネル測定のための２つ以上の第１のセットのＮＺＰ ＣＳＩ−ＲＳリソースの１つの（例えば、動的）指標、およびチャネル測定のための２つ以上の第２のセットのＮＺＰ ＣＳＩ−ＲＳリソースの１つの明示的または暗示的（例えば、動的）指標のうちの少なくとも１つを含む、方法。
【０１９８】
実施形態１８：実施形態１７の方法であって、ＮＺＰ ＣＳＩ−ＲＳリソースの２つ以上の第１のセットは、それぞれ単一のＮＺＰ ＣＳＩ−ＲＳリソースからなる、方法。
【０１９９】
実施形態１９：実施形態１８の方法であって、ＮＺＰ ＣＳＩ−ＲＳリソースの２つ以上の第２のセットは、それぞれＫ個のＮＺＰ ＣＳＩ−ＲＳリソースからなる、方法。
【０２００】
実施形態２０：実施形態１７から１９のいずれかの方法であって、チャネル推定のための２つ以上の第１のセットのＮＺＰ ＣＳＩ−ＲＳリソースのうちの１つの指標は、干渉測定のための２つ以上の第２のセットのＮＺＰ ＣＳＩ−ＲＳリソースのうちの１つの指標としても機能する、方法。
【０２０１】
実施形態２１：実施形態１２から２０のいずれかの方法であって、無線デバイスから、ネットワークノードへのチャネル測定（値）およびＭＵ干渉測定（値）の結果を受信することをさらに含む、方法。
【０２０２】
実施形態２２：前述の実施形態のいずれかの方法であって、ユーザデータを取得することと、ユーザデータをホストコンピュータまたは無線デバイスに転送することをさらに含む、方法。
【０２０３】
［グループＣの実施形態］
実施形態２３：無線通信システムにおいて測定を実行するための無線デバイスであって、グループＡ実施形態のいずれかの工程のいずれかを実行するように構成される処理回路と、無線デバイスに電力を供給するように構成される電源回路とを備える、無線デバイス。
【０２０４】
実施形態２４：チャネル測定およびマルチユーザ（ＭＵ）干渉測定を実行するように無線デバイスを指示するためのネットワークノードであって、グループＢの実施形態のいずれかの工程のいずれかを実行するように構成された処理回路と、無線デバイスに電力を供給するように構成された電源回路とを備える、ネットワークノード。
【０２０５】
実施形態２５：無線通信システムにおいて測定を実行するためのユーザ装置（ＵＥ）であって、無線信号を送受信するように構成されたアンテナと、当該アンテナと処理回路に接続され、かつ、当該アンテナと当該処理回路との間で通信される信号を条件付けるように構成された無線フロントエンド回路と、グループＡの実施形態のいずれかの工程を実行するように構成された処理回路と、当該処理回路に接続され、かつ、当該処理回路によって当該ＵＥへの情報の入力が処理されることを可能にするように構成された入力インターフェースと、当該処理回路に接続され、かつ、当該処理回路によって処理された当該ＵＥからの情報を出力するように構成された出力インターフェースと、当該処理回路に接続され、当該ＵＥに電力を供給するように構成されたバッテリと、を含む、ユーザ装置。
【０２０６】
実施形態２６：ユーザデータを提供するように構成された処理回路と、ユーザ装置（ＵＥ）に送信するためにユーザデータをセルラーネットワークに転送するように構成された通信インターフェースとを備えるホストコンピュータを含む通信システムであって、セルラーネットワークは、無線インターフェースおよび処理回路を有するネットワークノードを有し、ネットワークノードの処理回路は、グループＢの実施形態のいずれかの工程のいずれかを実行するように構成される、通信システム。
【０２０７】
実施形態２７：ネットワークノードをさらに有する、前述の実施形態の通信システム。
【０２０８】
実施形態２８：前述の２つの実施形態の通信システムであって、ＵＥをさらに有し、ＵＥがネットワークノードと通信するように構成される、通信システム。
【０２０９】
実施形態２９：前述の３つの実施形態の通信システムであって、当該ホストコンピュータの当該処理回路はホストアプリケーションを実行し、それによってユーザデータを提供するように構成され、当該ＵＥは、ホストアプリケーションに関連付けられたクライアントアプリケーションを実行するように構成された処理回路を有する、通信システム。
【０２１０】
実施形態３０：ホストコンピュータと、ネットワークノードと、ユーザ装置（ＵＥ）とを有する通信システムにおいて実装される方法であって、当該方法は、当該ホストコンピュータにおいて、ユーザデータを提供することと、当該ホストコンピュータにおいて、当該ネットワークノードを有するセルラーネットワークを介して当該ＵＥへのユーザデータの送信を開始することと、を含み、当該ネットワークノードは、グループＢの実施形態のいずれかの工程のいずれかを実行する、方法。
【０２１１】
実施形態３１：ネットワークノードにおいて、ユーザデータを送信することをさらに含む、前述の実施形態の方法。
【０２１２】
実施形態３２：前述の２つの実施形態の方法であって、当該ユーザデータは、ホストアプリケーションを実行することによって当該ホストコンピュータにおいて提供され、当該方法は、当該ＵＥにおいて、当該ホストアプリケーションに関連付けられたクライアントアプリケーションを実行することをさらに含む、方法。
【０２１３】
実施形態３３：ネットワークノードと通信するように構成されたユーザ装置（ＵＥ）であって、当該ＵＥは、無線インターフェースと、前述の３つの実施形態の方法を実行するように構成された処理回路とを有する、ユーザ装置（ＵＥ）。
【０２１４】
実施形態３４：ユーザデータを提供するように構成された処理回路と、ユーザデータをユーザ装置（ＵＥ）に送信するためにセルラーネットワークに転送するように構成された通信インターフェースとを有するホストコンピュータを含む通信システムであって、当該ＵＥは、無線インターフェースおよび処理回路を有し、当該ＵＥの構成要素はグループＡの実施形態のいずれかの工程のいずれかを実行するように構成される、通信システム。
【０２１５】
実施形態３５：前述の実施形態の通信システムであって、当該セルラーネットワークは、当該ＵＥと通信するように構成されたネットワークノードをさらに有する、通信システム。
【０２１６】
実施形態３６：前述の２つの実施形態の通信システムであって、当該ホストコンピュータの当該処理回路は、ホストアプリケーションを実行し、それによってユーザデータを提供するように構成され、当該ＵＥの処理回路は、当該ホストアプリケーションに関連付けられたクライアントアプリケーションを実行するように構成される、通信システム。
【０２１７】
実施形態３７：ホストコンピュータ、基地局、およびユーザ装置（ＵＥ）を有する通信システムにおいて実施される方法であって、当該方法は、当該ホストコンピュータにおいて、ユーザデータを提供することと、当該ホストコンピュータにおいて、当該ネットワークノードを有するセルラーネットワークを介して当該ＵＥへのユーザデータの送信を開始することと、を含み、当該ＵＥは、グループＡの実施形態のいずれかの工程のいずれかを実行する、方法。
【０２１８】
実施形態３８：ＵＥにおいて、ネットワークノードからユーザデータを受信することをさらに含む、前述の実施形態の方法。
【０２１９】
実施形態３９：ユーザ装置（ＵＥ）からネットワークノードへの送信から生じるユーザデータを受信するように構成された通信インターフェースを有するホストコンピュータを有する通信システムであって、当該ＵＥは、無線インターフェースおよび処理回路を備え、当該ＵＥの処理回路は、グループＡの実施形態のいずれかの工程のいずれかを実行するように構成される、通信システム。
【０２２０】
実施形態４０：ＵＥをさらに有する、前述の実施形態の通信システム。
【０２２１】
実施形態４１：前述の２つの実施形態の通信システムであって、ネットワークノードをさらに有し、当該ネットワークノードは、当該ＵＥと通信するように構成された無線インターフェースと、当該ＵＥから当該ネットワークノードへの送信によって搬送されるユーザデータを当該ホストコンピュータに転送するように構成された通信インターフェースとを含む、通信システム。
【０２２２】
実施形態４２：前述の３つの実施形態の通信システムであって、当該ホストコンピュータの当該処理回路は、ホストアプリケーションを実行するように構成され、当該ＵＥの当該処理回路は、ホストアプリケーションに関連付けられたクライアントアプリケーションを実行するように構成され、それによってユーザデータを提供する、通信システム。
【０２２３】
実施形態４３：前述の４つの実施形態の通信システムであって、当該ホストコンピュータの当該処理回路は、ホストアプリケーションを実行し、それによって要求データを提供するように構成され、当該ＵＥの当該処理回路は、ホストアプリケーションに関連するクライアントアプリケーションを実行し、それによって当該要求データに応答してユーザデータを提供するように構成される、通信システム。
【０２２４】
実施形態４４：ホストコンピュータ、ネットワークノード、およびユーザ装置（ＵＥ）を有する通信システムにおいて実施される方法であって、当該ホストコンピュータにおいて、ＵＥから基地局に送信されたユーザデータを受信することを含み、当該ＵＥは、グループＡの実施形態のいずれかの工程いずれかを実行する、方法。
【０２２５】
実施形態４５：前述の実施形態の方法であって、当該ユーザデータを当該基地局に提供することをさらに含む、方法。
【０２２６】
実施形態４６：前述の２つの実施形態の方法であって、当該ＵＥにおいて、クライアントアプリケーションを実行し、それによって、送信されるべきユーザデータを提供し、ホストコンピュータにおいて、クライアントに関連付けられたホストアプリケーションを実行することをさらに含む、方法。
【０２２７】
実施形態４７：前述の３つの実施形態の方法であって、当該ＵＥにおいて、クライアントアプリケーションを実行することと、当該ＵＥにおいて、クライアントアプリケーションへの入力データを受信することをさらに含み、当該入力データは、クライアントアプリケーションに関連付けられたホストアプリケーションを実行することによってホストコンピュータにおいて提供され、送信されるべきユーザデータは、当該入力データに応答してクライアントアプリケーションによって提供される、方法。
【０２２８】
実施形態４８：ユーザ装置（ＵＥ）からネットワークノードへの送信に由来するユーザデータを受信するように構成された通信インターフェースを有するホストコンピュータを含む通信システムであって、当該ネットワークノードは、無線インターフェースおよび処理回路を有し、当該ネットワークノードの当該処理回路は、グループＢの実施形態のいずれかの工程のいずれかを実行するように構成される、通信システム。
【０２２９】
実施形態４９：ネットワークノードをさらに有する、前述の実施形態の通信システム。
【０２３０】
実施形態５０：ＵＥをさらに有し、当該ＵＥが当該ネットワークノードと通信するように構成される、前述の２つの実施形態の通信システム。
【０２３１】
実施形態５１：前述の３つの実施形態の通信システムであって、当該ホストコンピュータの当該処理回路は、ホストアプリケーションを実行するように構成され、当該ＵＥは、当該ホストアプリケーションに関連付けられたクライアントアプリケーションを実行するように構成され、それによって、ホストコンピュータによって受信されるユーザデータを提供する、通信システム。
【０２３２】
実施形態５２：ホストコンピュータ、基地局、およびユーザ装置（ＵＥ）を有する通信システムにおいて実施される方法であって、当該ホストコンピュータにおいて、基地局がＵＥから受信した送信に由来するユーザデータを基地局から受信することを含み、当該ＵＥは、グループＡの実施形態のいずれかの工程のいずれかを実行する、方法。
【０２３３】
実施形態５３：当該ネットワークノードにおいて、当該ＵＥからユーザデータを受信することをさらに含む、前述の実施形態の方法。
【０２３４】
実施形態５４：当該ネットワークノードにおいて、受信されたユーザデータのホストコンピュータへの送信を開始することをさらに含む、前述の２つの実施形態の方法。
【０２３５】
本開示では、以下の略語の少なくともいくつかを使用することができる。略語間に不一致がある場合、それが上記でどのように使用されるかが優先されるべきである。以下に複数回列挙される場合、最初の列挙は、その後の任意の列挙よりも優先されるべきである。
２Ｇ：Second Generation（第２世代）
３Ｇ：Third Generation（第３世代）
３ＧＰＰ：3rd Generation Partnership Project（第三世代パートナーシップ・プロジェクト）
４Ｇ：Fourth Generation（第４世代）
５Ｇ：5th Generation（第５世代）
ＡＣ：Alternating Current（交流）
ＡＳＩＣ：Application Specific Integrated Circuit（特定用途向け集積回路）
ＡＴＭ：Asynchronous Transfer Mode（非同期転送モード）
ＢＳ：Base Station（基地局）
ＢＳＣ：Base Station Controller（基地局コントローラ）
ＢＴＳ：Base Transceiver Station（基地トランシーバ局）
ＣＤ：Compact Disk（コンパクトディスク）
ＣＤＭＡ：Code Division Multiple Access（符号分割多重アクセス）
ＣＯＴＳ：Commercial Off-the-Shelf（商用オフザシェルフ）
ＣＰＥ：Customer Premise Equipment（顧客構内装置）
ＣＰＵ：Central Processing Unit（中央処理装置）
ＣＱＩ：Channel Quality information（チャネル品質情報）
ＣＲＩ：Channel State Information Reference Signal Resource Index（チャネル状態情報基準信号リソースインデックス）
ＣＳＩ：Channel State Information（チャネル状態情報）
ＣＳＩ−ＲＳ：Channel State Information Reference Signal（チャネル状態情報基準信号）
Ｄ２Ｄ：Device-to-Device（デバイス・ツー・デバイス）
ＤＡＳ：Distributed Antenna System（分散アンテナシステム）
ＤＣ：Direct Current（直流）
ＤＣＩ：Downlink Control Information（ダウンリンク制御情報）
ＤＦＴ：Discrete Fourier Transform（離散フーリエ変換）
ＤＦＴ−Ｓ−ＯＦＤＭ：Discrete Fourier Transform Spread Orthogonal Frequency Division Multiplexing（離散フーリエ変換拡散直交周波数分割多重）
ＤＩＭＭ：Dual In-line Memory Module（デュアルインラインメモリモジュール）
ＤＳＰ：Digital Signal Processor（デジタル信号プロセッサ）
ＤＶＤ：Digital Video Disk（デジタルビデオディスク）
ＥＥＰＲＯＭ：Electrically Erasable Programmable Read-Only Medium（電気的に消去可能なプログラム可能なＲＯＭ）
ｅＭＴＣ：Enhanced Machine Type Communication（拡張マシンタイプ通信）
ＥＰＲＯＭ：Erasable Programmable Read-Only Medium（消去可能なプログラム可能なＲＯＭ）
ｅＮＢ：Evolved or Enhanced NodeB Evolved NodeBまたはEnhanced NodeB（進化型または拡張型ノードＢ）
Ｅ−ＳＭＬＣ：Evolved Serving Mobile Location Center（進化型サービング・モバイル・ロケーション・センター）
ＦＰＧＡ：Field Programmable Gate Array（フィールド・プログラマブル・ゲート・アレイ）
ＧＨｚ：Gigahertz（ギガヘルツ）
ＧＰＳ：Global Positioning System（全地球測位システム）
ｇＮＢ：New Radio Base Station（New Radio（新無線）基地局）
ＧＳＭ：Global System for Mobile communication（グローバル移動通信システム）
ＨＤＤＳ：Holographic Digital Data Storage（ホログラフィックデジタルデータ記憶装置）
ＨＤ−ＤＶＤ：High Density Digital Video Disk（高密度デジタルビデオディスク）
ＩＭＲ：Interference Measurement Resource（干渉測定リソース）
Ｉ/Ｏ：Input and Output（入力／出力）
ＩｏＴ：Internet of Things（モノのインターネット）
ＩＰ：Internet Protocol（インターネットプロトコル）
ｋＨｚ：Kilohertz（キロヘルツ）
ＬＡＮ：Local Area Network（ローカルエリアネットワーク）
ＬＥＥ：Laptop Embedded Equipment（ラップトップ内蔵機器）
ＬＭＥ：Laptop Mounted Equipment（ラップトップ搭載機器）
ＬＴＥ：Long-Term Evolution（ロングタームエボリューション）
Ｍ２Ｍ：Machine-to-Machine（マシン・ツー・マシン）
ＭＡＮＯ：Management and Orchestration（管理・組織）
ＭＣＥ：Multi-cell/Multicast Coordination Entity（マルチセル／マルチキャスト協調エンティティ）
ＭＤＴ：Minimization of Drive Tests（ドライブテストの最小化）
ＭＨｚ：Megahertz（メガヘルツ）
ＭＩＭＯ：Multiple Input Multiple Output（多入力多出力）
ｍｍ：Millimeter（ミリメートル）
ＭＭＥ：Mobility Management Entity（モビリティ管理エンティティ）
ＭＳＣ：Mobile Switching Center（移動交換センタ）
ＭＳＲ：Multi-Standard Radio（マルチスタンダード無線）
ＭＴＣ：Machine Type Communication（マシンタイプ通信）
ＭＵ：Multiple User（マルチ（複数）ユーザ）
ＭＵ−ＭＩＭＯ：Multiple User Multiple Input Multiple Output（マルチユーザ多重入力多重出力）
ＮＢ−ＩｏＴ：Narrowband Internet of Things（ナローバンド（狭帯域）ＩｏＴ）
ＮＦＶ：Network Function Virtualization（ネットワーク機能の仮想化）
ＮＩＣ：Network Interface Controller（ネットワークインタフェースコントローラ）
ＮＲ：New Radio（新無線）
ＮＺＰ：Non-Zero Power（非ゼロパワー（電力））
ＮＺＰ−ＣＳＩ：Non-Zero Power Channel State Information（非ゼロパワーチャネル状態情報）
ＯＦＤＭ：Orthogonal Frequency Division Multiplexing（直交周波数分割多重）
ＯＳＳ：Operations Support System（業務支援システム）
ＯＴＴ：Over-the-Top（オーバー・ザ・トップ）
Ｏ&Ｍ：Operation and Maintenance（運用・保守）
ＰＤＡ：Personal Digital Assistant（携帯情報端末）
ＰＤＣＣＨ：Physical Downlink Control Channel（物理ダウンリンク制御チャネル）
ＰＤＳＣＨ：Physical Downlink Shared Channel（物理ダウンリンク共有チャネル）
ＰＩ：Port Indication（ポートインジケーション）
ＰＭＩ：Precoder Matrix Indicator（プリコーダ行列インジケータ）
ＰＲＢ：Physical Resource Block（物理リソースブロック）
ＰＲＯＭ：Programmable Read-Only Medium（プログラム可能なＲＯＭ）
ＰＳＴＮ：Public Switched Telephone Network（公衆交換電話網）
ＰＵＳＣＨ：Physical Uplink Shared Channel（物理アップリンク共有チャネル）
ＱＡＭ：Quadrature Amplitude Modulation（直交振幅変調）
ＱＰＳＫ：Quadrature Phase Shift Keying（直交位相シフトキーイング）
ＲＡＩＤ：Redundant Array of Independent Disk（独立ディスクの冗長アレイ）
ＲＡＭ：Random Access Memory（ランダムアクセスメモリ）
ＲＡＮ：Radio Access Network（無線アクセスネットワーク）
ＲＡＴ：Radio Access Technology（無線アクセス技術）
ＲＢ：Resource Block（リソースブロック）
ＲＥ：Resource Element（リソースエレメント（要素））
ＲＦ：Radio Frequency（無線周波数）
ＲＩ：Rank Indicator（ランクインジケータ）
ＲＮＣ：Radio Network Controller（無線ネットワークコントローラ）
ＲＯＭ：Read Only Memory（読み取り専用メモリ）
ＲＲＣ：Radio Resource Control（無線リソース制御）
ＲＲＨ：Remote Radio Head（リモート無線ヘッド）
ＲＲＵ：Remote Radio Unit（リモート無線ユニット）
ＲＵＩＭ：Removable User Identity Module（リムーバブルユーザー識別モジュール）
ＳＣ−ＦＤＭＡ：Single Carrier Frequency Division Multiple Access（単一キャリア周波数分割多重アクセス）
ＳＤＲＡＭ：Synchronous Dynamic Radio Access Memory（同期ダイナミック無線アクセスメモリ）
ＳＩＭ：Subscriber Identity Module（加入者識別モジュール）
ＳＩＮＲ：Signal to Interference plus Noise Ratio（信号対干渉雑音比）
ＳＯＣ：System on a Chip（システムオンチップ）
ＳＯＮ：Self-Optimized Network（自己最適化ネットワーク）
ＳＯＮＥＴ：Synchronous Optical Networking（同期光ネットワーク）
ＳＵ−ＭＩＭＯ：Single User Multiple Input Multiple Output（単一ユーザ多入力多出力）
ＴＣＰ：Transmission Control Protocol（送信制御プロトコル）
ＵＥ；User Equipment（ユーザ装置）
ＵＭＴＳ：Universal Mobile Telecommunication System（ユニバーサル移動通信システム）
ＵＳＢ：Universal Serial Bus（ユニバーサルシリアルバス）
ＵＴＲＡＮ：Universal Terrestrial Radio Access Network（ユニバーサル地上無線アクセスネットワーク）
Ｖ２Ｉ：Vehicle-to-Infrastructure（車両対インフラ）
Ｖ２Ｖ：Vehicle-to-Vehicle（車車間（車両対車両））
Ｖ２Ｘ：Vehicle-to-Everything（車両対全て）
ＶＭＭ：Virtual Machine Monitor（仮想マシンモニター）
ＶＮＥ：Virtual Network Element（仮想ネットワーク要素）
ＶＮＦ：Virtual Network Function（仮想ネットワーク機能）
ＶｏＩＰ：Voice-Over Internet Protocol（Voice−Over Internetプロトコル）
ＷＡＮ：Wide Local Area Network（ワイドエリアネットワーク）
ＷＣＤＭＡ：Wide Code Division Multiplexing Access（広域符号分割多重アクセス）
ＷＤ：Wireless Device（無線デバイス）
ＷＧ：Working Group（ワーキンググループ）
ＷｉＭａｘ：Worldwide Interoperability for Microwave Access
ＷＬＡＮ：Wide Local Area Network（ワイドローカルエリアネットワーク）
ＺＰ：Zero-Power（ゼロパワー（電力））
【０２３６】
当業者は、本開示の実施形態に対する改良および修正を認識するのであろう。全てのそのような改良及び修正は、本明細書に開示された概念の範囲内にあると考えられる。
【図１】
2020536446.tif 000015
【図２】
2020536446.tif 000016
【図３】
2020536446.tif 000017
【図４】
2020536446.tif 000018
【図５】
2020536446.tif 000019
【図６】
2020536446.tif 000020
【図７】
2020536446.tif 000021
【図８】
2020536446.tif 000022
【図９】
2020536446.tif 000023
【図１０】
2020536446.tif 000024
【図１１】
2020536446.tif 000025
【図１２】
2020536446.tif 000026
【図１３】
2020536446.tif 000027
【図１４】
2020536446.tif 000028
【図１５】
2020536446.tif 000029
【図１６】
2020536446.tif 000030
【図１７】
2020536446.tif 000031
【図１８】
2020536446.tif 000032
【図１９】
2020536446.tif 000033
【図２０】
2020536446.tif 000034
【図２１】
2020536446.tif 000035
【図２２】
2020536446.tif 000036
【図２３】
2020536446.tif 000037
【図２４】
2020536446.tif 000038
【図２５】
2020536446.tif 000039
【図２６】
2020536446.tif 000040
【図２７】
2020536446.tif 000041
【図２８】
2020536446.tif 000042
【図２９】
2020536446.tif 000043
【図３０】
2020536446.tif 000044
【図３１】
2020536446.tif 000045
【図３２】
2020536446.tif 000046
【図３３】
2020536446.tif 000047
【図３４】
2020536446.tif 000048
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
ユーザ装置（７０２）のための方法であって、
無線通信システム（７００）の基地局（７０４）から、チャネル測定のための非ゼロパワー（ＮＺＰ）チャネル状態情報基準信号（ＣＳＩ−ＲＳ）リソースの１つまたは複数のセットの半静的指標を受信すること（２４００）と、
前記基地局（７０４）から、干渉測定のためのＮＺＰ ＣＳＩ−ＲＳリソースの１つまたは複数のセットの半静的指標を受信すること（２４０２）と、
前記基地局（７０４）から、チャネル測定のためのＮＺＰ ＣＳＩ−ＲＳリソースの前記１つまたは複数のセットからのＮＺＰ ＣＳＩ−ＲＳリソースの第１のセットと、干渉測定のためのＮＺＰ ＣＳＩ−ＲＳリソースの前記１つまたは複数のセットからのＮＺＰ ＣＳＩ−ＲＳリソースの第２のセットとを示す１つまたは複数の動的指標を受信すること（２４０４、２４０６）を含む、方法。
【請求項２】
請求項１に記載の方法であって、さらに、
ＮＺＰ ＣＳＩ−ＲＳリソースの前記第１のセットにおいてチャネル測定を実行すること（２４０８）と、
ＮＺＰ ＣＳＩ−ＲＳリソースの前記第２のセットにおいて干渉測定を実行すること（２４１０）を含む、方法。
【請求項３】
請求項１または２に記載の方法であって、前記１つまたは複数の動的指標は、チャネル測定のためのＮＺＰ ＣＳＩ−ＲＳリソースの前記１つまたは複数のセットからのＮＺＰ ＣＳＩ−ＲＳリソースの前記第１のセットと、干渉測定のためのＮＺＰ ＣＳＩ−ＲＳリソースの前記１つまたは複数のセットからのＮＺＰ ＣＳＩ−ＲＳリソースの前記第２のセットの両方を示す、単一の動的指標を含む、方法。
【請求項４】
請求項１から３のいずれか１項に記載の方法であって、前記チャネル測定および前記干渉測定の結果を前記基地局（７０４）に報告すること（２４１２）をさらに含む、方法。
【請求項５】
請求項１から４のいずれか１項に記載の方法であって、チャネル測定のためのＮＺＰ ＣＳＩ−ＲＳリソースの前記１つまたは複数のセットにおける各ＮＺＰ ＣＳＩ−ＲＳリソースセットは、単一のＮＺＰ ＣＳＩ−ＲＳリソースから構成される、方法。
【請求項６】
請求項１から５のいずれか１項に記載の方法であって、各ＮＺＰ ＣＳＩ−ＲＳリソースは、１つまたは複数のポートから構成される、方法。
【請求項７】
請求項１から５のいずれか１項に記載の方法であって、各ＮＺＰ ＣＳＩ−ＲＳリソースは、１つ、２つ、または４つのポートから構成される、方法。
【請求項８】
請求項１から４のいずれか１項に記載の方法であって、干渉測定のためのＮＺＰ ＣＳＩ−ＲＳリソースの前記１つまたは複数のセットにおける各ＮＺＰ ＣＳＩ−ＲＳリソースは、数ＫのＮＺＰ ＣＳＩ−ＲＳリソースで構成され、Ｋは１以上である、方法。
【請求項９】
無線通信システム（７００）において測定を実行するためのユーザ装置（７０２）であって、
前記無線通信システム（７００）の基地局（７０４）から、チャネル測定のための非ゼロパワー（ＮＺＰ）チャネル状態情報基準信号（ＣＳＩ−ＲＳ）リソースの１つまたは複数のセットの半静的指標を受信し、
前記基地局（７０４）から、干渉測定のためのＮＺＰ ＣＳＩ−ＲＳリソースの１つまたは複数のセットの半静的指標を受信し、
前記基地局（７０４）から、チャネル測定のためのＮＺＰ ＣＳＩ−ＲＳリソースの前記１つまたは複数のセットからのＮＺＰ ＣＳＩ−ＲＳリソースの第１のセットと、干渉測定のためのＮＺＰ ＣＳＩ−ＲＳリソースの前記１つまたは複数のセットからのＮＺＰ ＣＳＩ−ＲＳリソースの第２のセットとを示す１つまたは複数の動的指標を受信する、ように構成される、ユーザ装置。
【請求項１０】
請求項９に記載のユーザ装置（７０２）であって、さらに、
ＮＺＰ ＣＳＩ−ＲＳリソースの前記第１のセットにおいてチャネル測定を実行し、
ＮＺＰ ＣＳＩ−ＲＳリソースの前記第２のセットにおいて干渉測定を実行する、ように構成される、ユーザ装置。
【請求項１１】
請求項９または１０に記載のユーザ装置（７０２）であって、前記１つまたは複数の動的指標は、チャネル測定のためのＮＺＰ ＣＳＩ−ＲＳリソースの前記１つまたは複数のセットからのＮＺＰ ＣＳＩ−ＲＳリソースの前記第１のセットと、干渉測定のためのＮＺＰ ＣＳＩ−ＲＳリソースの前記１つまたは複数のセットからのＮＺＰ ＣＳＩ−ＲＳリソースの前記第２のセットの両方を示す、単一の動的指標を含む、ユーザ装置。
【請求項１２】
請求項９から１１のいずれか１項に記載のユーザ装置（７０２）であって、前記チャネル測定および前記干渉測定に基づくチャネル状態情報（ＣＳＩ）結果を前記基地局（７０４）に報告するようにさらに構成される、ユーザ装置。 
【請求項１３】
インターフェース（２５１４）および処理回路（２５２０）を有するユーザ装置（７０２、２５１０）であって、それによってユーザ装置（７０２、２５１０）は、
前記無線通信システム（７００）の基地局（７０４）から、チャネル測定のための非ゼロパワー（ＮＺＰ）チャネル状態情報基準信号（ＣＳＩ−ＲＳ）リソースの１つまたは複数のセットの半静的指標を受信し、
前記基地局（７０４）から、干渉測定のためのＮＺＰ ＣＳＩ−ＲＳリソースの１つまたは複数のセットの半静的指標を受信し、
前記基地局（７０４）から、チャネル測定のためのＮＺＰ ＣＳＩ−ＲＳリソースの前記１つまたは複数のセットからのＮＺＰ ＣＳＩ−ＲＳリソースの第１のセットと、干渉測定のためのＮＺＰ ＣＳＩ−ＲＳリソースの前記１つまたは複数のセットからのＮＺＰ ＣＳＩ−ＲＳリソースの第２のセットとを示す１つまたは複数の動的指標を受信する、ように動作可能である、ユーザ装置。
【請求項１４】
請求項１３に記載のユーザ装置（７０２、２５１０）であって、前記インターフェース（２５１４）および前記処理回路（２５２０）を介して、前記ユーザ装置（７０２、２５１０）は、さらに、
ＮＺＰ ＣＳＩ−ＲＳリソースの前記第１のセットにおいてチャネル測定を実行し、
ＮＺＰ ＣＳＩ−ＲＳリソースの前記第２のセットにおいて干渉測定を実行する、ように動作可能である、ユーザ装置。
【請求項１５】
請求項１３または１４に記載のユーザ装置（７０２、２５１０）であって、前記１つまたは複数の動的指標は、チャネル測定のためのＮＺＰ ＣＳＩ−ＲＳリソースの前記１つまたは複数のセットからのＮＺＰ ＣＳＩ−ＲＳリソースの前記第１のセットと、干渉測定のためのＮＺＰ ＣＳＩ−ＲＳリソースの前記１つまたは複数のセットからのＮＺＰ ＣＳＩ−ＲＳリソースの前記第２のセットの両方を示す、単一の動的指標を含む、ユーザ装置。
【請求項１６】
請求項１３から１５のいずれか１項に記載のユーザ装置（７０２、２５１０）であって、前記インターフェース（２５１４）および前記処理回路（２５２０）を介して、前記ユーザ装置（７０２、２５１０）は、さらに、前記チャネル測定および干渉測定の結果を前記基地局（７０４）に報告する、ように動作可能である、ユーザ装置。
【請求項１７】
ユーザ装置であって、
前記無線通信システム（７００）の基地局（７０４）から、チャネル測定のための非ゼロパワー（ＮＺＰ）チャネル状態情報基準信号（ＣＳＩ−ＲＳ）リソースの１つまたは複数のセットの半静的指標を受信し、
前記基地局（７０４）から、干渉測定のためのＮＺＰ ＣＳＩ−ＲＳリソースの１つまたは複数のセットの半静的指標を受信し、
前記基地局（７０４）から、チャネル測定のためのＮＺＰ ＣＳＩ−ＲＳリソースの前記１つまたは複数のセットからのＮＺＰ ＣＳＩ−ＲＳリソースの第１のセットと、干渉測定のためのＮＺＰ ＣＳＩ−ＲＳリソースの前記１つまたは複数のセットからのＮＺＰ ＣＳＩ−ＲＳリソースの第２のセットとを示す１つまたは複数の動的指標を受信する、
ように動作可能である受信部（３４０２）を有する、ユーザ装置。
【請求項１８】
請求項１７に記載のユーザ装置（７０２）であって、さらに、
ＮＺＰ ＣＳＩ−ＲＳリソースの前記第１のセットにおいてチャネル測定を実行し、
ＮＺＰ ＣＳＩ−ＲＳリソースの前記第２のセットにおいて干渉測定を実行する、
ように動作可能である処理部（３４０２）を有する、ユーザ装置。
【請求項１９】
少なくとも１つのプロセッサ上で実行されるときに、前記少なくとも１つのプロセッサに、請求項１から８のいずれか１項に記載の方法を実行させる命令を含むコンピュータプログラム。
【請求項２０】
請求項１９の前記コンピュータプログラムを含むキャリアであって、前記キャリアは、電子信号、光信号、無線信号、またはコンピュータ可読媒体のうちの１つである、キャリア。
【請求項２１】
ユーザ装置（７０２）を構成するために基地局（７０４）によって実行される方法であって、
ユーザ装置（７０２）へ、チャネル測定のための非ゼロパワー（ＮＺＰ）チャネル状態情報基準信号（ＣＳＩ−ＲＳ）リソースの１つまたは複数のセットの半静的指標を送信すること（２４００）と、
前記ユーザ装置（７０２）へ、干渉測定のためのＮＺＰ ＣＳＩ−ＲＳリソースの１つまたは複数のセットの半静的指標を送信すること（２４０２）と、
前記ユーザ装置（７０２）へ、チャネル測定のためのＮＺＰ ＣＳＩ−ＲＳリソースの前記１つまたは複数のセットからのＮＺＰ ＣＳＩ−ＲＳリソースの第１のセットと、干渉測定のためのＮＺＰ ＣＳＩ−ＲＳリソースの前記１つまたは複数のセットからのＮＺＰ ＣＳＩ−ＲＳリソースの第２のセットとを示す１つまたは複数の動的指標を送信すること（２４０４、２４０６）を含む、方法。
【請求項２２】
請求項２１に記載の方法であって、さらに、前記ユーザ装置（７０２）から、ＮＺＰ ＣＳＩ−ＲＳリソースの前記第１のセットにおけるチャネル測定の結果と、ＮＺＰ ＣＳＩ−ＲＳリソースの前記第２のセットにおける干渉測定の結果とを受信すること（２４１２）を含む、方法。
【請求項２３】
請求項２１または２２に記載の方法であって、前記１つまたは複数の動的指標は、チャネル測定のためのＮＺＰ ＣＳＩ−ＲＳリソースの前記１つまたは複数のセットからのＮＺＰ ＣＳＩ−ＲＳリソースの前記第１のセットと、干渉測定のためのＮＺＰ ＣＳＩ−ＲＳリソースの前記１つまたは複数のセットからのＮＺＰ ＣＳＩ−ＲＳリソースの前記第２のセットの両方を示す、単一の動的指標を含む、方法。
【請求項２４】
無線通信システム（７００）において測定を実行するようにユーザ装置（７０２）を構成するための基地局（７０４）であって、
ユーザ装置（７０２）へ、チャネル測定のための非ゼロパワー（ＮＺＰ）チャネル状態情報基準信号（ＣＳＩ−ＲＳ）リソースの１つまたは複数のセットの半静的指標を送信し、
前記ユーザ装置（７０２）へ、干渉測定のためのＮＺＰ ＣＳＩ−ＲＳリソースの１つまたは複数のセットの半静的指標を送信し、
前記ユーザ装置（７０２）へ、チャネル測定のためのＮＺＰ ＣＳＩ−ＲＳリソースの前記１つまたは複数のセットからのＮＺＰ ＣＳＩ−ＲＳリソースの第１のセットと、干渉測定のためのＮＺＰ ＣＳＩ−ＲＳリソースの前記１つまたは複数のセットからのＮＺＰ ＣＳＩ−ＲＳリソースの第２のセットとを示す１つまたは複数の動的指標を送信する、ように構成される、基地局。
【請求項２５】
請求項２４に記載の基地局（７０４）であって、さらに、前記ユーザ装置（７０２）から、ＮＺＰ ＣＳＩ−ＲＳリソースの前記第１のセットにおけるチャネル測定の結果と、ＮＺＰ ＣＳＩ−ＲＳリソースの前記第２のセットにおける干渉測定の結果とを受信する、ように構成される、基地局。
【請求項２６】
請求項２４または２５に記載の基地局（７０４）であって、前記１つまたは複数の動的指標は、チャネル測定のためのＮＺＰ ＣＳＩ−ＲＳリソースの前記１つまたは複数のセットからのＮＺＰ ＣＳＩ−ＲＳリソースの前記第１のセットと、干渉測定のためのＮＺＰ ＣＳＩ−ＲＳリソースの前記１つまたは複数のセットからのＮＺＰ ＣＳＩ−ＲＳリソースの前記第２のセットの両方を示す、単一の動的指標を含む、基地局。
【請求項２７】
インターフェース（２５９０）および処理回路（２５７０）を有する基地局（７０４、２５６０）であって、それによって基地局（７０４、２５６０）は、
ユーザ装置（７０２）へ、チャネル測定のための非ゼロパワー（ＮＺＰ）チャネル状態情報基準信号（ＣＳＩ−ＲＳ）リソースの１つまたは複数のセットの半静的指標を送信し、
前記ユーザ装置（７０２）へ、干渉測定のためのＮＺＰ ＣＳＩ−ＲＳリソースの１つまたは複数のセットの半静的指標を送信し、
前記ユーザ装置（７０２）へ、チャネル測定のためのＮＺＰ ＣＳＩ−ＲＳリソースの前記１つまたは複数のセットからのＮＺＰ ＣＳＩ−ＲＳリソースの第１のセットと、干渉測定のためのＮＺＰ ＣＳＩ−ＲＳリソースの前記１つまたは複数のセットからのＮＺＰ ＣＳＩ−ＲＳリソースの第２のセットとを示す１つまたは複数の動的指標を送信する、ように動作可能である、基地局。
【請求項２８】
請求項２７に記載の基地局（７０４）であって、前記インターフェース（２５９０）および前記処理回路（２５７０）を介して、前記基地局（７０４、２５６０）は、さらに、前記ユーザ装置（７０２）から、ＮＺＰ ＣＳＩ−ＲＳリソースの前記第１のセットにおけるチャネル測定の結果と、ＮＺＰ ＣＳＩ−ＲＳリソースの前記第２のセットにおける干渉測定の結果とを受信する、ように動作可能である、基地局。
【請求項２９】
請求項２７または２８に記載の基地局（７０４）であって、前記１つまたは複数の動的指標は、チャネル測定のためのＮＺＰ ＣＳＩ−ＲＳリソースの前記１つまたは複数のセットからのＮＺＰ ＣＳＩ−ＲＳリソースの前記第１のセットと、干渉測定のためのＮＺＰ ＣＳＩ−ＲＳリソースの前記１つまたは複数のセットからのＮＺＰ ＣＳＩ−ＲＳリソースの前記第２のセットの両方を示す、単一の動的指標を含む、基地局。
【請求項３０】
ユーザ装置（７０２）を構成するための基地局（７０４）であって、
ユーザ装置（７０２）へ、チャネル測定のための非ゼロパワー（ＮＺＰ）チャネル状態情報基準信号（ＣＳＩ−ＲＳ）リソースの１つまたは複数のセットの半静的指標を送信し、
前記ユーザ装置（７０２）へ、干渉測定のためのＮＺＰ ＣＳＩ−ＲＳリソースの１つまたは複数のセットの半静的指標を送信し、
前記ユーザ装置（７０２）へ、チャネル測定のためのＮＺＰ ＣＳＩ−ＲＳリソースの前記１つまたは複数のセットからのＮＺＰ ＣＳＩ−ＲＳリソースの第１のセットと、干渉測定のためのＮＺＰ ＣＳＩ−ＲＳリソースの前記１つまたは複数のセットからのＮＺＰ ＣＳＩ−ＲＳリソースの第２のセットとを示す１つまたは複数の動的指標を送信する、
ように動作可能である送信部（３４０２）を有する、基地局。
【請求項３１】
請求項３０に記載の基地局（７０４）であって、さらに、前記ユーザ装置（７０２）から、ＮＺＰ ＣＳＩ−ＲＳリソースの前記第１のセットにおけるチャネル測定の結果と、ＮＺＰ ＣＳＩ−ＲＳリソースの前記第２のセットにおける干渉測定の結果とを受信する、ように動作可能である受信部（３４０２）を有する、基地局。
【請求項３２】
少なくとも１つのプロセッサ上で実行されるときに、前記少なくとも１つのプロセッサに、請求項２１か２３のいずれか１項に記載の方法を実行させる命令を含むコンピュータプログラム。
【請求項３３】
請求項３２の前記コンピュータプログラムを含むキャリアであって、前記キャリアは、電子信号、光信号、無線信号、またはコンピュータ可読媒体のうちの１つである、キャリア。
【請求項３４】
請求項１、１３、１７、１９から２１、２４、２７、３０、３２、３３のいずれか１項に記載の方法であって、チャネル測定のためのＮＺＰ ＣＳＩ−ＲＳリソースの前記１つまたは複数のセットは、第１のリソース設定に関連付けられ、干渉測定のためのＮＺＰ ＣＳＩ−ＲＳリソースの前記１つまたは複数のセットは、第２のリソース設定に関連付けられ、前記第１のリソース設定は前記第２のリソース設定とは異なる、方法。
【国際調査報告】
2020536446.tif 000049
2020536446.tif 000050
2020536446.tif 000051